(57)【要約】【課題】ＬＴＥ／ＬＴＥ−Ａなどのワイヤレス通信システムにおけるチャネルのためのカバレッジ拡張に関係付けられる新規なシステムおよび方法が開示される。【解決手段】サービスデータは無線通信システムにおいて送信される。システムのセルのロングタームエボリューション（ＬＴＥ）およびＬＴＥアドバンスト（ＬＴＥ−Ａ）などのワイヤレス通信システムにおけるチャネルのカバレッジ拡張。カバレッジ拡張は、時間および／または周波数領域におけるチャネルの反復、チャネルの電力ブースト、ならびにより良いチャネル推定精度のための基準信号改善を含むことができる。リンクアダプテーション技術が説明され、リンクアダプテーションは、カバレッジ拡張（ＣＥ）レベルまたは反復レベルに依存している。【選択図】図２
2020061785.tif 000002
【特許請求の範囲】
【請求項１】
無線送受信ユニット（ＷＴＲＵ）で実施される方法であって、
アップリンク信号のための反復の数を決定するステップであって、前記アップリンク信号は、物理ランダムアクセスチャネル（ＰＲＡＣＨ）プリアンブルの送信のために使用され、前記反復の数は、単一のＰＲＡＣＨプリアンブル送信試行の中におけるＰＲＡＣＨプリアンブル反復の数である、ステップと、
前記アップリンク信号のためのアップリンク送信電力を導き出すステップであって、前記アップリンク信号のための前記アップリンク送信電力を導き出すことは、オフセットパラメータを含む電力制御式を使用することを含み、前記オフセットパラメータは、前記反復の数の関数として決定される、ステップと、
前記決定された反復の数および前記導き出されたアップリンク送信電力を使用して、前記アップリンク信号を繰り返して送信するステップと
を備えることを特徴とする方法。
【請求項２】
前記反復の数の前記決定は、ダウンリンク測定に基づくことを特徴とする請求項１に記載の方法。
【請求項３】
前記反復の数の前記決定は、反復レベルのセットから反復の数を選択することで実施されること特徴とする請求項１に記載の方法。
【請求項４】
前記反復レベルのセットは、拡張ノードＢ（ｅＮＢ）によって構成されることを特徴とする請求項３に記載の方法。
【請求項５】
前記反復の数の前記決定は、拡張ノードＢ（ｅＮＢ）から受信される情報に基づいて、実施されることを特徴とする請求項１に記載の方法。  
【請求項６】
前記反復の数の前記決定は、ダウンリンク制御インジケータ（ＤＣＩ）において受信される情報に基づいて、実施されることを特徴とする請求項１に記載の方法。
【請求項７】
前記アップリンク信号のための前記アップリンク送信電力を導き出すステップは、前記反復数の１０底とする対数を１０倍して差し引くことによって電力オフセットを適用することを含むことを特徴とする請求項１に記載の方法。
【請求項８】
前記アップリンク信号のための前記アップリンク送信電力を導き出すステップは、
プリアンブル受信ターゲット電力を決定すること、
前記プリアンブル受信ターゲット電力から反復オフセットを差し引くことに基づいて、前記アップリンク送信電力を導き出すことであって、前記反復オフセットは前記反復数の関数として決定されるオフセットであること
を含むことを特徴とする請求項１に記載の方法。
【請求項９】
前記プリアンブル受信ターゲット電力は、拡張ノードＢ（ｅＮＢ）から受信される情報に基づいて、決定されることを特徴とする請求項８に記載の方法。
【請求項１０】
前記アップリンク信号は、複数のサブフレームに渡って、送信されることを特徴とする請求項１に記載の方法。
【請求項１１】
前記複数のサブフレームの数は、前記決定された反復数に対応することを特徴とする請求項１０に記載の方法。
【請求項１２】
前記ＷＴＲＵは、カバリッジ拡張（ＣＥ）モードにあるＷＴＲＵであり、前記反復の数は、ＣＥレベルに従って決定されることを特徴とする請求項１に記載の方法。
【請求項１３】
無線送受信ユニット（ＷＴＲＵ）であって、
プロセッサと、
メモリであって、前記プロセッサによって実行されるとき、前記プロセッサに、
アップリンク信号のための反復の数を決定し、前記アップリンク信号は、物理ランダムアクセスチャネル（ＰＲＡＣＨ）プリアンブルの送信のために使用され、前記反復の数は、単一のＰＲＡＣＨプリアンブル送信試行の中におけるＰＲＡＣＨプリアンブル反復の数であり、
前記アップリンク信号のためのアップリンク送信電力を導き出し、前記アップリンク信号のための前記アップリンク送信電力を導き出すことは、オフセットパラメータを含む電力制御式を使用することを含んでおり、前記オフセットパラメータは前記反復の数の関数として決定され、
前記決定された反復の数および前記導き出されたアップリンク送信電力を使用して、繰り返して、前記アップリンク信号を送信させる複数の命令をストアするよう構成された、メモリと
を備えたＷＴＲＵ。
【請求項１４】
前記アップリンク信号のための前記アップリンク送信電力を導き出す前記命令は、前記反復の数の１０底とする対数を１０倍して差し引くことによって電力オフセットを適用する命令を含むことを特徴とする請求項１３に記載のＷＴＲＵ。
【請求項１５】
前記アップリンク信号のための前記アップリンク送信電力を導き出す前記命令は、
プリアンブル受信ターゲット電力を決定し、および、
前記プリアンブル受信ターゲット電力から反復オフセットを差し引くことに基づいて、前記アップリンク送信電力を導き出し、前記反復オフセットは前記反復の数の関数として決定されるオフセットである、命令
を含むことを特徴とする請求項１３に記載のＷＴＲＵ。
【発明の詳細な説明】
【背景技術】
【０００１】
本発明は、無線通信に関する。
【発明の概要】
【０００２】
（関連出願の相互参照）
本出願は、参照により内容が全体として本明細書に組み込まれている２０１４年１月２９日に出願された米国特許仮出願第６１／９３３３００号明細書、２０１４年３月１９日に出願された米国特許仮出願第６１／９５５６５５号明細書、および２０１４年１１月５日に出願された米国特許仮出願第６２／０７５６３０号明細書の非仮出願であり、合衆国法典第３５巻第１１９条（ｅ）項のもとでそれらの利益を主張する。
【０００３】
第３世代パートナーシップ（３ＧＰＰ）ロングタームエボリューション（ＬＴＥ）アドバンストでは、カバレッジが限定されたエリアに配置され得るワイヤレス送信／受信ユニット（ＷＴＲＵ）をサポートするためにカバレッジ拡張技法が研究されている。
【発明が解決しようとする課題】
【０００４】
そのようなＷＴＲＵは、カバレッジが限定されたエリアにおいて、遅延耐性を有する、機能を縮小している、または限られたサービスで動作することが可能である。例として、非常に高い透過損失が予期される住宅の地下部に配置され得るスマートメータまたはセンサのような低コストまたは低複雑度マシンタイプコミュニケーション（low-cost or low-complexity machine type communication：ＬＣ−ＭＴＣ）ＷＴＲＵがある。
【課題を解決するための手段】
【０００５】
本明細書では、ＬＴＥ／ＬＴＥ−Ａなどのワイヤレス通信システムにおけるチャネルのためのカバレッジ拡張に関係付けられるシステムおよび方法が説明される。カバレッジ拡張は、時間および／または周波数領域におけるチャネルの反復、チャネルの電力ブースト、ならびにより良いチャネル推定精度のための基準信号改善を含むことができる。本明細書に説明されている代表的な実施形態において、ワイヤレス送信／受信ユニット（ＷＴＲＵ）との通信のためのリンクアダプテーション（link adaptation）は、カバレッジ拡張レベルまたはチャネル反復レベルに基づいている。本明細書では、リンクアダプテーション技法が、データ、制御、アクセス、およびブロードキャストチャネルを含むアップリンクおよびダウンリンクチャネルに関して説明される。
【０００６】
例示的実施形態では、ＷＴＲＵは、アップリンクチャネルに対する反復の数を決定し、決定された反復の数に基づいて、アップリンクチャネルに対する送信電力を導出し、導出された送信電力レベルで、決定された反復の数でアップリンクチャネルを送信することができる。ＷＴＲＵは、決定されたカバレッジ拡張（ＣＥ）レベル、ダウンリンク測定値（downlink measurement）、ランダムアクセス手順、およびネットワークからの標識のうちの少なくとも１つから、反復の数を決定することができる。
【０００７】
さらに本明細書では、カバレッジ拡張（ＣＥ）モードにおいてＵＥバッテリ寿命を延長するためのシステムおよび方法が説明される。特に、チャネル依存ＣＥレベル構成が、反復の数を最適化するために使用され得る。さらに、ＣＥモードにおける（Ｅ）ＰＤＣＣＨ監視が、時間窓ベースの送信を用いて最小限にされ得る。
【０００８】
添付の図面と併せて例として提示される以下の説明から、より詳細な理解が与えられ得る。詳細な説明と同様にそのような図面における図は例である。したがって、図および詳細な説明は限定とみなされるべきではなく、他の同様に有効な例が可能であり見込まれる。さらに、図における同様の参照番号は、同様の要素を示す。
【発明の効果】
【０００９】
ＬＴＥ／ＬＴＥ−Ａなどのワイヤレス通信システムにおけるチャネルのためのカバレッジ拡張に関係付けられるシステムおよび方法が開示される。
【図面の簡単な説明】
【００１０】
【図１Ａ】開示される実施形態が実装される例示的通信システムの図である。
【図１Ｂ】図１Ａに示された通信システム内で使用され得る例示的ワイヤレス送信／受信ユニット（ＷＴＲＵ）のシステム図である。
【図１Ｃ】図１Ａの通信システム内で使用され得る例示的無線アクセスネットワーク（ＲＡＮ）およびコアネットワークのシステム図である。
【図１Ｄ】図１Ａの通信システム内で使用され得る別の例示的ＲＡＮおよびコアネットワークのシステム図である。
【図１Ｅ】図１Ａの通信システム内で使用され得る別の例示的ＲＡＮおよびコアネットワークのシステム図である。
【図１Ｆ】図１Ａの通信システム内で使用され得る例示的ネットワークエンティティを示すシステム図である。
【図２】ランダムアクセス（ＲＡ）手順に基づくコンテンションの例の図である。
【図３】ＣＥレベルに応じた物理ランダムアクセスチャネル（ＰＲＡＣＨ）窓の例を示す図である。
【図４】通常モードとＣＥモードとの間のＰＲＡＣＨリソース周波数分割多重化（ＦＤＭ）の例を示す図である。
【図５】通常モードとＣＥモードとの間のＰＲＡＣＨリソース符号分割多重化（ＣＤＭ）の例を示す図である。
【図６】いくつかの実施形態による反復レベルを設定する方法のフロー図である。
【図７】いくつかの実施形態による反復レベルを設定する方法のフロー図である。
【図８】ダウンリンク（ＤＬ）オフセット、アップリンク（ＵＬ）オフセットを使用しＰＤＳＣＨ窓、ＰＵＳＣＨ窓の開始サブフレームを指し示す方法を示す図である。
【発明を実施するための形態】
【００１１】
ここで、例示的な実施形態の詳細な説明が種々の図を参照して提供される。しかしながら、本発明は代表的な実施形態に関連して説明され得るが、それに限定されることはなく、本発明から逸脱することなく、本発明の同じ機能を実施するために、他の実施形態が使用されてもよく、または詳細な実施形態に対して修正もしくは追加が行われてもよい。以下では代表的な実施形態は一般にワイヤレスネットワークアーキテクチャを使用して示されるが、たとえば、有線コンポーネントおよび／またはワイヤレスコンポーネントを有するネットワークを含む、任意の数の異なるネットワークアーキテクチャが使用されてもよい。
【００１２】
図１Ａは、１または複数の開示される実施形態が実装され得る例示的通信システム１００を示す図である。通信システム１００は、音声、データ、ビデオ、メッセージング、ブロードキャストなどのコンテンツを複数のワイヤレスユーザに提供する、多重アクセスシステムとすることができる。通信システム１００は、複数のワイヤレスユーザが、ワイヤレス帯域幅を含むシステムリソースの共有を通して、そのようなコンテンツにアクセスすることを可能にすることができる。たとえば、通信システム１００は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）などの１または複数のチャネルアクセス方法を採用することができる。
【００１３】
図１Ａに示されるように、通信システム１００は、（一般的もしくは集合的にＷＴＲＵ１０２と呼ばれることがある）ＷＴＲＵ１０２ａ、１０２ｂ、１０２ｃ、および／または１０２ｄ、ＲＡＮ１０３／１０４／１０５、コアネットワーク１０６／１０７／１０９、公衆交換電話網（ＰＳＴＮ）１０８、インターネット１１０、ならびに他のネットワーク１１２を含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、ワイヤレス環境で動作および／または通信するように構成された任意のタイプのデバイスとすることができる。例として、ＷＴＲＵ１０２ａ、１０２ｂ、１０２ｃ、１０２ｄは、ワイヤレス信号を送信および／または受信するように構成されることができ、ユーザ機器（ＵＥ）、移動局、固定またはモバイル加入者ユニット、ページャ、セルラ電話、携帯情報端末（ＰＤＡ）、スマートフォン、ラップトップ、ネットブック、パーソナルコンピュータ、ワイヤレスセンサ、および家庭用電化製品などを含み得る。ＷＴＲＵ１０２ａ、１０２ｂ、１０２ｃおよび／または１０２ｄは、ＵＥと呼ばれることもある。
【００１４】
通信システム１００は、基地局１１４ａおよび／または基地局１１４ｂも含むことができる。基地局１１４ａ、１１４ｂの各々は、コアネットワーク１０６／１０７／１０９、インターネット１１０、および／または他のネットワーク１１２などの１または複数の通信ネットワークへのアクセスを容易にするために、ＷＴＲＵ１０２ａ、１０２ｂ、１０２ｃ、１０２ｄのうちの少なくとも１つとワイヤレスでインターフェースを取るように構成された、任意のタイプのデバイスとすることができる。例として、基地局１１４ａ、１１４ｂは、トランシーバ基地局（ＢＴＳ）、ノード−Ｂ、ｅＮｏｄｅＢ、ホームノードＢ、ホームｅＮｏｄｅＢ、サイトコントローラ、アクセスポイント（ＡＰ）、およびワイヤレスルータなどとすることができる。基地局１１４ａ、１１４ｂは各々が単一の要素として示されているが、基地局１１４ａ、１１４ｂが、任意の数の相互接続された基地局および／またはネットワーク要素を含むことができることは理解されよう。
【００１５】
基地局１１４ａは、ＲＡＮ１０３／１０４／１０５の一部とすることができ、ＲＡＮ１０３／１０４／１０５は、基地局コントローラ（ＢＳＣ）、無線ネットワークコントローラ（ＲＮＣ）、中継ノードなど、他の基地局および／またはネットワーク要素（図示せず）を含むこともできる。基地局１１４ａおよび／または基地局１１４ｂは、セル（図示せず）と呼ばれることがある特定の地理的領域内で、ワイヤレス信号を送信および／または受信するように構成され得る。セルは、セクタ、たとえば、セルセクタにさらに分割され得る。たとえば、基地局１１４ａに関連付けられたセルは、３つのセクタに分割され得る。したがって、一実施形態では、基地局１１４ａは、３つのトランシーバ、すなわち、セルのセクタごとに１つのトランシーバを含むことができる。別の実施形態では、基地局１１４ａは、多入力多出力（ＭＩＭＯ）技術を採用することができ、したがって、セルのセクタごとに複数のトランシーバを利用することができる。
【００１６】
基地局１１４ａ、１１４ｂは、エアインターフェース１１５／１１６／１１７上でＷＴＲＵ１０２ａ、１０２ｂ、１０２ｃ、１０２ｄのうちの１または複数と通信することができ、エアインターフェース１１６は、任意の適切なワイヤレス通信リンク（たとえば、無線周波（ＲＦ）、マイクロ波、赤外線（ＩＲ）、紫外線（ＵＶ）、可視光など）とすることができる。エアインターフェース１１５／１１６／１１７は、任意の適切な無線アクセス技術（ＲＡＴ）を使用して確立され得る。
【００１７】
より具体的には、上述されたように、通信システム１００は、多重アクセスシステムとすることができ、ＣＤＭＡ、ＴＤＭＡ、ＦＤＭＡ、ＯＦＤＭＡ、ＳＣ−ＦＤＭＡなどの１または複数のチャネルアクセス方式を採用することができる。たとえば、ＲＡＮ１０３／１０４／１０５内の基地局１１４ａ、およびＷＴＲＵ１０２ａ、１０２ｂ、１０２ｃは、ユニバーサル移動体通信システム（ＵＭＴＳ）地上無線アクセス（ＵＴＲＡ）などの無線技術を実装することができ、その無線技術は、広帯域ＣＤＭＡ（ＷＣＤＭＡ：登録商標）を使用してエアインターフェース１１５／１１６／１１７を確立することができる。ＷＣＤＭＡは、高速パケットアクセス（ＨＳＰＡ）および／または進化されたＨＳＰＡ（ＨＳＰＡ＋）などの通信プロトコルを含むことができる。ＨＳＰＡは、高速ダウンリンク（ＤＬ）パケットアクセス（ＨＳＤＰＡ）および／または高速アップリンク（ＵＬ）パケットアクセス（ＨＳＵＰＡ）を含むことができる。
【００１８】
別の実施形態では、基地局１１４ａおよびＷＴＲＵ１０２ａ、１０２ｂ、１０２ｃは、進化されたＵＭＴＳ地上無線アクセス（Ｅ−ＵＴＲＡ）などの無線技術を実装することができ、その無線技術は、ロングタームエボリューション（ＬＴＥ）および／またはＬＴＥアドバンスト（ＬＴＥ−Ａ）を使用してエアインターフェース１１５／１１６／１１７を確立することができる。
【００１９】
他の実施形態では、基地局１１４ａおよびＷＴＲＵ１０２ａ、１０２ｂ、１０２ｃは、ＩＥＥＥ８０２．１１（すなわち、ワイヤレスフィディリティ（ＷｉＦｉ））、ＩＥＥＥ８０２．１６（すなわち、マイクロ波アクセス用世界的相互運用（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ：登録商標）、ＧＳＭエボリューション用拡張されたデータレート（ＥＤＧＥ）、ＧＳＭ  ＥＤＧＥ（ＧＥＲＡＮ）などの無線技術を実装することができる。
【００２０】
図１Ａの基地局１１４ｂは、例として、ワイヤレスルータ、ホームノードＢ、ホームｅＮｏｄｅＢ、またはアクセスポイントとすることができ、職場、家庭、乗り物、およびキャンパスなどの局所化されたエリアにおけるワイヤレス接続性を容易にするために、任意の適切なＲＡＴを利用することができる。一実施形態では、基地局１１４ｂおよびＷＴＲＵ１０２ｃ、１０２ｄは、ＩＥＥＥ８０２．１１などの無線技術を実装して、ワイヤレスローカルエリアネットワーク（ＷＬＡＮ）を確立することができる。別の実施形態では、基地局１１４ｂおよびＷＴＲＵ１０２ｃ、１０２ｄは、ＩＥＥＥ８０２．１５などの無線技術を実施して、ワイヤレスパーソナルエリアネットワーク（ＷＰＡＮ）を確立することができる。さらに別の実施形態では、基地局１１４ｂおよびＷＴＲＵ１０２ｃ、１０２ｄは、セルラベースのＲＡＴ（たとえば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示されるように、基地局１１４ｂは、インターネット１１０への直接的接続を有することができる。したがって、基地局１１４ｂは、コアネットワーク１０６／１０７／１０９を介してインターネット１１０にアクセスすることを必要とされなくてよい。
【００２１】
ＲＡＮ１０３／１０４／１０５は、コアネットワーク１０６／１０７／１０９と通信することができ、コアネットワーク１０６／１０７／１０９は、音声、データ、アプリケーション、および／またはボイスオーバインターネットプロトコル（ＶｏＩＰ）サービスをＷＴＲＵ１０２ａ、１０２ｂ、１０２ｃ、１０２ｄのうちの１または複数に提供するように構成された、任意のタイプのネットワークとすることができる。例として、コアネットワーク１０６／１０７／１０９は、呼制御、請求サービス、モバイルロケーションベースのサービス、プリペイド通話、インターネット接続性、およびビデオ配信などを提供すること、ならびに／またはユーザ認証などの高レベルセキュリティ機能を実行することができる。図１Ａには示されていないが、ＲＡＮ１０３／１０４／１０５および／またはコアネットワーク１０６／１０７／１０９は、ＲＡＮ１０３／１０４／１０５と同じＲＡＴまたは異なるＲＡＴを採用する他のＲＡＮと直接的または間接的に通信し得ることが理解されよう。たとえば、Ｅ−ＵＴＲＡ無線技術を利用できるＲＡＮ１０３／１０４／１０５に接続されるのに加えて、コアネットワーク１０６／１０７／１０９は、ＧＳＭ、ＵＭＴＳ、ＣＤＭＡ２０００、ＷｉＭＡＸ、またはＷｉＦｉ無線技術を採用する別のＲＡＮ（図示せず）と通信してもよい。
【００２２】
コアネットワーク１０６／１０７／１０９は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイの役割をすることもできる。ＰＳＴＮ１０８は、基本電話サービス（ＰＯＴＳ）を提供する回線交換電話網を含むことができる。インターネット１１０は、ＴＣＰ／ＩＰインターネットプロトコルスイートにおける伝送制御プロトコル（ＴＣＰ）、ユーザデータグラムプロトコル（ＵＤＰ）、および／またはインターネットプロトコル（ＩＰ）などの一般的通信プロトコルを使用する、相互接続されたコンピュータネットワークおよびデバイスのグローバルシステムを含むことができる。ネットワーク１１２は、他のサービスプロバイダによって所有および／または運用される有線および／またはワイヤレス通信ネットワークを含むことができる。たとえば、ネットワーク１１２は、１または複数のＲＡＮに接続される別のコアネットワークを含むことができ、ＲＡＮは、ＲＡＮ１０３／１０４／１０５と同じＲＡＴまたは異なるＲＡＴを採用することができる。
【００２３】
通信システム１００内のＷＴＲＵ１０２ａ、１０２ｂ、１０２ｃ、１０２ｄの一部または全部は、マルチモード機能を含むことができ、たとえば、ＷＴＲＵ１０２ａ、１０２ｂ、１０２ｃ、１０２ｄは、異なるワイヤレスリンク上で異なるワイヤレスネットワークと通信するための複数のトランシーバを含むことができる。たとえば、図１Ａに示されたＷＴＲＵ１０２ｃは、セルラベースの無線技術を採用することができる基地局１１４ａ、およびＩＥＥＥ８０２無線技術を採用することができる基地局１１４ｂと通信するように構成され得る。通信システム１００内のＷＴＲＵ１０２ａ、１０２ｂ、１０２ｃ、１０２ｄの一部または全部は、Ｂｌｕｅｔｏｏｔｈ技術を使用して他のデバイスと通信してもよい。
【００２４】
図１Ｂは、例示的ＷＴＲＵ１０２を示すシステム図である。図１Ｂに示されるように、ＷＴＲＵ１０２は、プロセッサ１１８、トランシーバ１２０、送信／受信要素１２２、スピーカ／マイクロフォン１２４、キーパッド１２６、ディスプレイ／タッチパッド１２８、着脱不能メモリ１３０、着脱可能メモリ１３２、電源１３４、全地球測位システム（ＧＰＳ）チップセット１３６、および他の周辺機器１３８を含むことができる。トランシーバ１２０は、デコーダロジック１１９のコンポーネントとして実装され得る。たとえば、トランシーバ１２０およびデコーダロジック１１９は、単一のＬＴＥまたはＬＴＥ−Ａチップ上に実装され得る。デコーダロジックは、非一時的コンピュータ可読媒体に記憶され得る命令を実行するように動作するプロセッサを含むことができる。代替としてまたは加えて、デコーダロジックは、カスタムおよび／またはプログラマブルデジタル論理回路構成を使用して実装され得る。
【００２５】
ＷＴＲＵ１０２は、実施形態との整合性を保ちながら、上記の要素の任意の部分的組み合わせを含むことができることが理解されよう。また、実施形態では、基地局１１４ａおよび１１４ｂ、ならびに／または基地局１１４ａおよび１１４ｂが表し得るノード、たとえば、以下に限定されないが、特に、トランシーバ局（ＢＴＳ）、ノード−Ｂ、サイトコントローラ、アクセスポイント（ＡＰ）、ホームノード−Ｂ、進化型ホームノード−Ｂ（ｅＮｏｄｅＢ）、ホーム進化型ノード−Ｂ（ＨｅＮＢ）、ホーム進化型ノード−Ｂゲートウェイ、プロキシノードなどが、図１Ｂに示され本明細書に説明される要素の一部または全部を含むことができることを企図していることは理解されよう。
【００２６】
プロセッサ１１８は、汎用プロセッサ、専用プロセッサ、従来型プロセッサ、デジタル信号プロセッサ（ＤＳＰ）、複数のマイクロプロセッサ、ＤＳＰコアと関連する１または複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などとすることができる。プロセッサ１１８は、信号符号化、データ処理、電力制御、入出力処理、および／またはＷＴＲＵ１０２がワイヤレス環境で動作することを可能にする任意の他の機能性を実行することができる。プロセッサ１１８は、トランシーバ１２０に結合されることができ、トランシーバ１２０は、送信／受信要素１２２に結合されることができる。図１Ｂは、プロセッサ１１８およびトランシーバ１２０を別々のコンポーネントとして示しているが、プロセッサ１１８およびトランシーバ１２０は、電子パッケージまたはチップ内に一緒に統合され得ることが理解されよう。
【００２７】
送信／受信要素１２２は、エアインターフェース１１５／１１６／１１７上で、基地局（たとえば基地局１１４ａ）へ信号を送信し、および／または基地局から信号を受信するように構成され得る。たとえば、一実施形態では、送信／受信要素１２２は、ＲＦ信号を送信および／または受信するように構成されたアンテナとすることができる。別の実施形態では、送信／受信要素１２２は、例として、ＩＲ、ＵＶ、または可視光信号を送信および／または受信するように構成されたエミッタ／ディテクタとすることができる。さらに別の実施形態では、送信／受信要素１２２は、ＲＦ信号と光信号の両方を送信および／または受信するように構成され得る。送信／受信要素１２２は、ワイヤレス信号の任意の組み合わせを送信および／または受信するように構成され得ることが理解されよう。信号およびチャネルという用語は、交換可能に使用され得ることが企図されている。
【００２８】
図１Ｂでは送信／受信要素１２２は単一の要素として示されているが、ＷＴＲＵ１０２は、任意の数の送信／受信要素１２２を含むことができる。より具体的には、ＷＴＲＵ１０２はＭＩＭＯ技術を採用することができる。したがって、一実施形態では、ＷＴＲＵ１０２は、エアインターフェース１１５／１１６／１１７上でワイヤレス信号を送信および／または受信する２つ以上の送信／受信要素１２２（たとえば、複数のアンテナ）を含むことができる。
【００２９】
トランシーバ（送受信機）１２０は、送信／受信要素１２２によって送信される信号を変調し、および／または送信／受信要素１２２によって受信された信号を復調するように構成され得る。上述されたように、ＷＴＲＵ１０２はマルチモード機能を有することができる。したがって、トランシーバ１２０は、例として、ＵＴＲＡおよびＩＥＥＥ８０２．１１などの複数のＲＡＴを介してＷＴＲＵ１０２が通信することを可能にするために、複数のトランシーバを含むことができる。
【００３０】
ＷＴＲＵ１０２のプロセッサ１１８は、スピーカ／マイクロフォン１２４、キーパッド１２６、および／またはディスプレイ／タッチパッド１２８（たとえば、液晶表示（ＬＣＤ）ディスプレイユニットもしくは有機発光ダイオード（ＯＬＥＤ）ディスプレイユニット）に結合されることができ、それらからユーザ入力データを受信することができる。プロセッサ１１８は、スピーカ／マイクロフォン１２４、キーパッド１２６、および／またはディスプレイ／タッチパッド１２８にユーザデータを出力することもできる。加えて、プロセッサ１１８は、着脱不能メモリ１３０および／または着脱可能メモリ１３２など任意のタイプの適切なメモリからの情報にアクセスすることができ、それらにデータを記憶することができる。着脱不能メモリ１３０は、ランダムアクセスメモリ（ＲＡＭ）、読み出し専用メモリ（ＲＯＭ）、ハードディスク、または任意の他のタイプのメモリ記憶デバイスを含み得る。着脱可能メモリ１３２は、加入者識別モジュール（ＳＩＭ）カード、メモリスティック、セキュアデジタル（ＳＤ）メモリカードなどを含み得る。他の実施形態では、プロセッサ１１８は、ＷＴＲＵ１０２上に物理的に配置されずにサーバまたはホームコンピュータ（図示せず）上などに配置されたメモリからの情報にアクセスすることができ、それらにデータを記憶することができる。
【００３１】
プロセッサ１１８は、電源１３４から電力を受け取ることができ、ＷＴＲＵ１０２内の他のコンポーネントへの電力を分配および／または制御するように構成され得る。電源１３４は、ＷＴＲＵ１０２に電力供給するための任意の適切なデバイスとすることができる。例として、電源１３４は、１または複数の乾電池（たとえば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、および燃料電池などを含み得る。
【００３２】
プロセッサ１１８は、ＧＰＳチップセット１３６にも結合されることができ、ＧＰＳチップセット１３６は、ＷＴＲＵ１０２の現在位置に関する位置情報（たとえば、経度および緯度）を提供するように構成され得る。ＧＰＳチップセット１３６からの情報に加えて、またはその代わりに、ＷＴＲＵ１０２は、基地局（たとえば、基地局１１４ａ、１１４ｂ）からエアインターフェース１１５／１１６／１１７上で位置情報を受信することができ、および／または２つ以上の近くの基地局から受信された信号のタイミングに基づいて、その位置を決定することができる。ＷＴＲＵ１０２は、実施形態との整合性を保ちながら、任意の適切な位置決定方法を用いて位置情報を取得できることが理解されよう。
【００３３】
プロセッサ１１８は、他の周辺機器１３８にさらに結合されることができ、他の周辺機器１３８は、追加の特徴、機能性、および／または有線もしくはワイヤレス接続性を提供する、１または複数のソフトウェアモジュールおよび／またはハードウェアモジュールを含むことができる。たとえば、周辺機器１３８は、加速度計、電子コンパス、衛星トランシーバ、（写真またはビデオ用）デジタルカメラ、ユニバーサルシリアルバス（ＵＳＢ）ポート、振動デバイス、テレビトランシーバ、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、インターネットブラウザなどを含み得る。
【００３４】
図１Ｃは、実施形態によるＲＡＮ１０３およびコアネットワーク１０６を示すシステム図である。上述されたように、ＲＡＮ１０３は、エアインターフェース１１５上でＷＴＲＵ１０２ａ、１０２ｂ、１０２ｃと通信するためにＵＴＲＡ無線技術を採用することができる。ＲＡＮ１０３は、コアネットワーク１０６と通信することもできる。図１Ｃに示されるように、ＲＡＮ１０３は、ノード−Ｂ１４０ａ、１４０ｂ、１４０ｃを含むことができ、ノード−Ｂ１４０ａ、１４０ｂ、１４０ｃは各々が、エアインターフェース１１５上でＷＴＲＵ１０２ａ、１０２ｂ、１０２ｃと通信するための１または複数のトランシーバを含むことができる。ノード−Ｂ１４０ａ、１４０ｂ、１４０ｃは各々が、ＲＡＮ１０３内の特定のセル（図示せず）に関連付けられ得る。ＲＡＮ１０３はまた、ＲＮＣ１４２ａ、１４２ｂを含むことができる。ＲＡＮ１０３は、実施形態との整合性を保ちながら、任意の数のノード−ＢおよびＲＮＣを含むことができることは理解されよう。
【００３５】
図１Ｃに示されるように、ノード−Ｂ１４０ａ、１４０ｂはＲＮＣ１４２ａと通信することができる。加えて、ノード−Ｂ１４０ｃはＲＮＣ１４２ｂと通信することができる。ノード−Ｂ１４０ａ、１４０ｂ、１４０ｃは、Ｉｕｂインターフェースを介してそれぞれの１４２ａ、１４２ｂと通信することができる。ＲＮＣ１４２ａ、１４２ｂは、Ｉｕｒインターフェースを介して互いに通信することができる。ＲＮＣ１４２ａ、１４２ｂの各々は、各々が接続されたそれぞれのノード−Ｂ１４０ａ、１４０ｂ、１４０ｃを制御するように構成され得る。加えて、ＲＮＣ１４２ａ、１４２ｂの各々は、アウターループ電力制御、負荷制御、アドミッション制御、パケットスケジューリング、ハンドオーバ制御、マクロダイバーシチ、セキュリティ機能、データ暗号化など、他の機能性を実施またはサポートするように構成され得る。
【００３６】
図１Ｃに示されたコアネットワーク１０６は、メディアゲートウェイ（ＭＧＷ）１４４、移動交換局（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。上述の要素の各々はコアネットワーク１０６の一部として示されているが、これらの要素のいずれも、コアネットワーク運用者とは異なるエンティティによって所有および／または運用され得ることは理解されよう。
【００３７】
ＲＡＮ１０３内のＲＮＣ１４２ａは、ＩｕＣＳインターフェースを介してコアネットワーク１０６内のＭＳＣ１４６に接続され得る。ＭＳＣ１４６は、ＭＧＷ１４４に接続され得る。ＭＳＣ１４６およびＭＧＷ１４４は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスとの間の通信を容易にすることができる。
【００３８】
ＲＡＮ１０３内のＲＮＣ１４２ａはまた、ＩｕＰＳインターフェースを介してコアネットワーク１０６内のＳＧＳＮ１４８に接続され得る。ＳＧＳＮ１４８は、ＧＧＳＮ１５０に接続され得る。ＳＧＳＮ１４８およびＧＧＳＮ１５０は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。
【００３９】
上述されたように、コアネットワーク１０６は、他のサービスプロバイダによって所有および／または運用される他の有線および／またはワイヤレスネットワークを含み得る他のネットワーク１１２にも接続され得る。
【００４０】
図１Ｄは、実施形態によるＲＡＮ１０４およびコアネットワーク１０７を示すシステム図である。上述されたように、ＲＡＮ１０４は、エアインターフェース１１６上でＷＴＲＵ１０２ａ、１０２ｂ、１０２ｃと通信するためにＥ−ＵＴＲＡ無線技術を採用することができる。ＲＡＮ１０４はまた、コアネットワーク１０７と通信できる。
【００４１】
ＲＡＮ１０４はｅＮｏｄｅＢ１６０ａ、１６０ｂ、１６０ｃを含み得るが、ＲＡＮ１０４は、実施形態との整合性を保ちながら、任意の数のｅＮｏｄｅＢを含むことができることは理解されよう。ｅＮｏｄｅＢ１６０ａ、１６０ｂ、１６０ｃは各々が、エアインターフェース１１６上でＷＴＲＵ１０２ａ、１０２ｂ、１０２ｃと通信するための１または複数のトランシーバを含むことができる。一実施形態では、ｅＮｏｄｅＢ１６０ａ、１６０ｂ、１６０ｃは、ＭＩＭＯ技術を実装することができる。したがって、ｅＮｏｄｅＢ１６０ａは、たとえば、複数のアンテナを使用して、ＷＴＲＵ１０２ａにワイヤレス信号を送信し、ＷＴＲＵ１０２ａからワイヤレス信号を受信することができる。
【００４２】
ｅＮｏｄｅＢ１６０ａ、１６０ｂ、１６０ｃの各々は、特定のセル（図示せず）と関連付けられることができ、無線リソース管理決定、ハンドオーバ決定、ならびにアップリンクおよび／またはダウンリンクでのユーザのスケジューリングなどを処理するように構成され得る。図１Ｄに示されるように、ｅＮｏｄｅＢ１６０ａ、１６０ｂ、１６０ｃは、Ｘ２インターフェース上で互いに通信することができる。
【００４３】
図１Ｄに示されたコアネットワーク１０７は、モビリティ管理ゲートウェイ（ＭＭＥ）１６２、サービングゲートウェイ１６４、およびパケットデータネットワーク（ＰＤＮ）ゲートウェイ（ＰＧＷ）１６６を含むことができる。上述の要素の各々はコアネットワーク１０７の一部として示されているが、これらの要素のいずれも、コアネットワーク運用者とは異なるエンティティによって所有および／または運用され得ることは理解されよう。
【００４４】
ＭＭＥ１６２は、ＲＡＮ１０４内のｅＮｏｄｅＢ１６０ａ、１６０ｂ、１６０ｃの各々にＳ１インターフェースを介して接続されることができ、制御ノードの役割をすることができる。たとえば、ＭＭＥ１６２は、ＷＴＲＵ１０２ａ、１０２ｂ、１０２ｃのユーザの認証、ベアラアクティブ化／非アクティブ化、ＷＴＲＵ１０２ａ、１０２ｂ、１０２ｃの初期接続の際の特定のサービングゲートウェイの選択などを担当することができる。ＭＭＥ１６２はまた、ＲＡＮ１０４と、ＧＳＭおよび／またはＷＣＤＭＡなど他の無線技術を採用する他のＲＡＮ（図示せず）との間の交換のための制御プレーン機能を提供することができる。
【００４５】
サービングゲートウェイ１６４は、Ｓ１インターフェースを介してＲＡＮ１０４内のｅＮｏｄｅＢ１６０ａ、１６０ｂ、１６０ｃの各々に接続され得る。サービングゲートウェイ１６４は一般に、ＷＴＲＵ１０２ａ、１０２ｂ、１０２ｃとの間でユーザデータパケットをルーティングおよび転送することができる。サービングゲートウェイ１６４はまた、ｅＮｏｄｅＢ間ハンドオーバ中のユーザプレーンのアンカリング、ダウンリンクデータがＷＴＲＵ１０２ａ、１０２ｂ、１０２ｃに利用可能な場合のページングのトリガ、ＷＴＲＵ１０２ａ、１０２ｂ、１０２ｃのコンテキストの管理および記憶など、他の機能を実行することができる。
【００４６】
サービングゲートウェイ１６４は、ＰＤＮゲートウェイ１６６に接続されることができ、ＰＤＮゲートウェイ１６６は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。
【００４７】
コアネットワーク１０７は、他のネットワークとの通信を容易にすることができる。たとえば、コアネットワーク１０７は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスとの間の通信を容易にすることができる。たとえば、コアネットワーク１０７は、コアネットワーク１０７とＰＳＴＮ１０８の間のインターフェースの役割をするＩＰゲートウェイ（たとえば、ＩＰマルチメディアサブシステム（ＩＭＳ）サーバ）を含むことができ、またはそのＩＰゲートウェイと通信することができる。加えて、コアネットワーク１０７は、他のネットワーク１１２へのアクセスをＷＴＲＵ１０２ａ、１０２ｂ、１０２ｃに提供することができ、そのネットワーク１１２は、他のサービスプロバイダによって所有および／または運用される他の有線および／またはワイヤレスネットワークを含み得る。
【００４８】
図１Ｅは、実施形態によるＲＡＮ１０５およびコアネットワーク１０９を示すシステム図である。ＲＡＮ１０５は、エアインターフェース１１７上でＷＴＲＵ１０２ａ、１０２ｂ、１０２ｃと通信するためにＩＥＥＥ８０２．１６無線技術を採用するアクセスサービスネットワーク（ＡＳＮ）とすることができる。以下でさらに説明されるように、ＷＴＲＵ１０２ａ、１０２ｂ、１０２ｃ、ＲＡＮ１０５、およびコアネットワーク１０９の異なる機能エンティティ間の通信リンクは、参照点として定義され得る。
【００４９】
図１Ｅに示されるように、ＲＡＮ１０５は基地局１８０ａ、１８０ｂ、１８０ｃおよびＡＳＮゲートウェイ１８２を含み得るが、ＲＡＮ１０５は、実施形態との整合性を保ちながら、任意の数の基地局およびＡＳＮゲートウェイを含むことができることは理解されよう。基地局１８０ａ、１８０ｂ、１８０ｃは各々が、ＲＡＮ１０５内の特定のセル（図示せず）に関連付けられることができ、また各々が、エアインターフェース１１７上でＷＴＲＵ１０２ａ、１０２ｂ、１０２ｃと通信するための１または複数のトランシーバを含むことができる。一実施形態では、基地局１８０ａ、１８０ｂ、１８０ｃは、ＭＩＭＯ技術を実装することができる。基地局１８０ａは、たとえば、複数のアンテナを使用して、ＷＴＲＵ１０２ａにワイヤレス信号を送信し、ＷＴＲＵ１０２ａからワイヤレス信号を受信することができる。基地局１８０ａ、１８０ｂ、１８０ｃはまた、ハンドオフのトリガ、トンネル確立、無線リソース管理、トラフィック分類、サービス品質（ＱｏＳ）ポリシー施行など、モビリティ管理機能を提供することができる。ＡＳＮゲートウェイ１８２は、トラフィック集約点の役割をすることができ、ページング、加入者プロファイルのキャッシング、コアネットワーク１０９へのルーティングなどを担当することができる。
【００５０】
ＷＴＲＵ１０２ａ、１０２ｂ、１０２ｃとＲＡＮ１０５との間のエアインターフェース１１７は、ＩＥＥＥ８０２．１６仕様を実装するＲ１参照点として定義され得る。加えて、ＷＴＲＵ１０２ａ、１０２ｂ、１０２ｃの各々は、コアネットワーク１０９との論理インターフェース（図示せず）を確立することができる。ＷＴＲＵ１０２ａ、１０２ｂ、１０２ｃとコアネットワーク１０９との間の論理インターフェースは、認証、認可、ＩＰホスト構成管理、および／またはモビリティ管理に使用され得るＲ２参照点として定義され得る。
【００５１】
基地局１８０ａ、１８０ｂ、１８０ｃの各々の間の通信リンクは、ＷＴＲＵハンドオーバおよび基地局間のデータの転送を容易にするためのプロトコルを含むＲ８参照点として定義され得る。基地局１８０ａ、１８０ｂ、１８０ｃとＡＳＮゲートウェイ１８２との間の通信リンクは、Ｒ６参照点として定義され得る。Ｒ６参照点は、ＷＴＲＵ１０２ａ、１０２ｂ、１０２ｃの各々に関連付けられたモビリティイベントに基づくモビリティ管理を容易にするためのプロトコルを含むことができる。
【００５２】
図１Ｅに示されるように、ＲＡＮ１０５は、コアネットワーク１０９に接続され得る。ＲＡＮ１０５とコアネットワーク１０９との間の通信リンクは、例として、データ転送機能、モビリティ管理機能を容易にするためのプロトコルを含むＲ３基準点として定義され得る。コアネットワーク１０９は、モバイルＩＰホームエージェント（ＭＩＰ−ＨＡ）１８４、認証、認可、アカウンティング（ＡＡＡ）サーバ１８６、およびゲートウェイ１８８を含むことができる。上述の要素の各々はコアネットワーク１０９の一部として示されているが、これらの要素のいずれも、コアネットワーク運用者とは異なるエンティティによって所有および／または運用され得ることは理解されよう。
【００５３】
ＭＩＰ−ＨＡは、ＩＰアドレス管理を担当することができ、異なるＡＳＮおよび／または異なるコアネットワークの間でＷＴＲＵ１０２ａ、１０２ｂ、１０２ｃがローミングすることを可能にすることができる。ＭＩＰ−ＨＡ１８４は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。ＡＡＡサーバ１８６は、ユーザ認証、およびユーザサービスのサポートを担当することができる。ゲートウェイ１８８は、他のネットワークとの相互動作を容易にすることができる。たとえば、ゲートウェイ１８８は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスとの間の通信を容易にすることができる。ゲートウェイ１８８は、他のネットワーク１１２へのアクセスをＷＴＲＵ１０２ａ、１０２ｂ、１０２ｃに提供することができ、そのネットワーク１１２は、他のサービスプロバイダによって所有および／または運用される他の有線および／またはワイヤレスネットワークを含み得る。
【００５４】
図１Ｅには示されていないが、ＲＡＮ１０５は他のＡＳＮに接続されてよく、他のＲＡＮ（たとえば、ＲＡＮ１０３および／もしくは１０４）ならびに／またはコアネットワーク１０９は、他のコアネットワーク（たとえば、コアネットワーク１０６および／または１０７）に接続されてよいことは理解されよう。ＲＡＮ１０５と他のＡＳＮとの間の通信リンクは、ＲＡＮ１０５と他のＡＳＮとの間のＷＴＲＵ１０２ａ、１０２ｂ、１０２ｃのモビリティを調整するためのプロトコルを含むことができるＲ４基準点（図示せず）として定義され得る。コアネットワーク１０９と他のコアネットワークとの間の通信リンクは、ホームコアネットワークと訪問されたコアネットワークとの間の相互動作を容易にするためのプロトコルを含むことができるＲ５基準点（図示せず）として定義され得る。
【００５５】
図１Ｆは、図１Ａの通信システム１００内で使用され得る例示的ネットワークエンティティ１９０を示すシステム図である。図１Ｆに示されるように、ネットワークエンティティ１９０は、通信インターフェース１９２、プロセッサ１９４、および／または非一時的データストレージ１９６を含むことができ、それらは、バス、ネットワーク、または他の通信パス１９８によって通信可能にリンクされ得る。
【００５６】
通信インターフェース１９２は、１もしくは複数の有線通信インターフェースおよび／または１もしくは複数のワイヤレス通信インターフェースを含むことができる。有線通信に関して、通信インターフェース１９２は、例としてイーサネットインターフェースなどの１または複数のインターフェースを含み得る。ワイヤレス通信に関して、通信インターフェース１９２は、１もしくは複数のタイプのワイヤレス（たとえばＬＴＥ）通信のために設計および／もしくは構成され得る、１もしくは複数のアンテナ、１もしくは複数のトランシーバおよび／またはチップセットなどのコンポーネント、ならびに／または、関連分野の当業者によって適切とみなされ得る任意の他のコンポーネントを含み得る。ワイヤレス通信に関して、通信インターフェース１９２は、ワイヤレス通信（たとえば、ＬＴＥおよび／またはＬＴＥ−Ａ通信、ならびにＷｉＦｉ通信など）のネットワーク側で動作するために適切であり得るスケールおよび／または構成で装備され得る。たとえば、通信インターフェース１９２は、カバレッジエリア内の複数のＷＴＲＵまたは他のアクセス端末にサービングするための、複数のトランシーバならびに／または他の機器および／もしくは回路を含むことができる。
【００５７】
プロセッサ１９４は、例として汎用マイクロプロセッサおよび／または専用ＤＳＰを含む、関連分野の当業者によって適切とみなされ得る任意のタイプの１または複数のプロセッサを含み得る。
【００５８】
データストレージ１９６は、フラッシュメモリ、読み出し専用メモリ（ＲＯＭ）、およびランダムアクセスメモリ（ＲＡＭ）を含む、（たとえば任意の）非一時的コンピュータ可読媒体またはそのような媒体の組み合わせの形態を取ることができる。関連分野の当業者によって適切とみなされ得る任意の１または複数のタイプの非一時的データストレージが使用され得る。図１Ｆに示されたように、データストレージ１９６は、たとえば、本明細書に説明されている種々のネットワークエンティティ機能の種々の組み合わせを実行するために、プロセッサ１９４によって実行可能であり得るプログラム命令１９７を含むことができる。
【００５９】
いくつかの実施形態では、本明細書に説明されているネットワークエンティティ機能は、図１Ｆのネットワークエンティティ１９０と同様の構造を有することができるネットワークエンティティによって実行され得る。いくつかの実施形態では、そのような機能のうちの１または複数が、複数のネットワークエンティティの組み合わされたセットによって実行されてよく、１または複数の（たとえば各）ネットワークエンティティは、図１Ｆのネットワークエンティティ１９０と同様の構造を有することができる。種々の実施形態において、ネットワークエンティティ１９０は、ＲＡＮ１０３（内の１もしくは複数のエンティティ）、ＲＡＮ１０４（内の１もしくは複数のエンティティ）、ＲＡＮ１０５（内の１もしくは複数のエンティティ）、コアネットワーク１０６（内の１もしくは複数のエンティティ）、コアネットワーク１０７（内の１もしくは複数のエンティティ）、コアネットワーク１０９（内の１もしくは複数のエンティティ）、基地局１１４ａ、基地局１１４ｂ、ノード−Ｂ１４０ａ、ノード−Ｂ１４０ｂ、ノード−Ｂ１４０ｃ、ＲＮＣ１４２ａ、ＲＮＣ１４２ｂ、ＭＧＷ１４４、ＭＳＣ１４６、ＳＧＳＮ１４８、ＧＧＳＮ１５０、ｅＮｏｄｅＢ１６０ａ、ｅＮｏｄｅＢ１６０ｂ、ｅＮｏｄｅＢ１６０ｃ、ＭＭＥ１６２、サービングゲートウェイ１６４、ＰＤＮゲートウェイ１６６、基地局１８０ａ、基地局１８０ｂ、基地局１８０ｃ、ＡＳＮゲートウェイ１８２、ＭＩＰ−ＨＡ１８４、ＡＡＡ１８６、およびゲートウェイ１８８のうちの１もしくは複数であってよく、またはそれらを含み得る。上記のリストは例であって限定ではなく、他のネットワークエンティティおよび／またはネットワークエンティティの組み合わせが、種々の実施形態において、本明細書に説明されているネットワークエンティティ機能を実行するために使用され得る。
【００６０】
第３世代パートナーシッププロジェクト（３ＧＰＰ）ロングタームエボリューション（ＬＴＥ）に準拠したワイヤレス通信システムは、２×２構成に対してダウンリンク（ＤＬ）で１００Ｍｂｐｓまで、アップリンク（ＵＬ）で５０Ｍｂｐｓまでをサポートすることができる。ＬＴＥ  ＤＬ方式は、直交周波数分割多重アクセス（ＯＦＤＭＡ）エアインターフェースに基づくことができる。無線フレームは、１０個の１ｍｓサブフレームを含むことができる。サブフレームは、２個の０．５ｍｓタイムスロットを含むことができる。タイムスロットごとに６または７つの直交周波数分割多重化（ＯＦＤＭ）シンボルがあり得る。タイムスロットごとに７つのシンボルが通常のサイクリックプレフィックス（ＣＰ）長で使用され、タイムスロットごとに６つのシンボルが拡張されたＣＰ長で使用され得る。特定仕様のサブキャリア間隔は１５ｋＨｚであり得る。たとえば７．５ｋＨｚを使用する低減されたサブキャリア間隔モードも可能であり得る。フレームは、無線フレームである、または無線フレームを指すことができる。
【００６１】
リソース要素（ＲＥ）は、ＯＦＤＭシンボル区間中のサブキャリアに関連付けられ得る。リソースブロック（ＲＢ）は、０．５ｍｓタイムスロット中の１２個の連続的サブキャリアを含むことができる。タイムスロットごとの７つのシンボルによって、ＲＢは、１２×７＝８４個のＲＥを含むことができる。
【００６２】
動的スケジューリングに関して、サブフレームは、ＲＢ対と呼ばれることがある２つの連続的タイムスロットを含むことができる。いくつかのＯＦＤＭシンボル上の特定のサブキャリアが、パイロット信号または基準信号を時間−周波数グリッドにおいて搬送するように割り振られ得る。送信帯域幅の端部のいくつかのサブキャリアは、スペクトルマスク要件に準拠するために送信されなくてよい。
【００６３】
提供および／または使用され得るアップリンクチャネルは、物理ＵＬ共有チャネル（Physical UL Shared Channel：ＰＵＳＣＨ）、物理ＵＬ制御チャネル（Physical UL Control Channel：ＰＵＣＣＨ）、および／または物理ランダムアクセスチャネル（Physical Random Access Channel：ＰＲＡＣＨ）のうちの１または複数を含むことができる。ＵＬ制御情報（ＵＣＩ）と呼ばれることがある制御情報は、ＷＴＲＵによって、たとえば、サブフレームでＰＵＳＣＨまたはＰＵＣＣＨ上で送信されてよく、または一部はＰＵＣＣＨ上で送信され一部はＰＵＳＣＨ上で送信されてもよい。ＵＣＩは、ハイブリッド自動再送要求（ＨＡＲＱ）ＡＣＫ／ＮＡＣＫ、スケジューリング要求（ＳＲ）、および／またはチャネル状態情報（ＣＳＩ）のうちの１または複数を含むことができ、チャネル状態情報（ＣＳＩ）は、チャネル品質インジケータ（ＣＱＩ）、プリコーディング行列インジケータ（ＰＭＩ）、およびランクインジケータ（ＲＩ）のうちの１または複数を含むことができる。ＰＵＣＣＨ送信に割り振られ得るリソースは、ＵＬ帯域の端部またはその近くに配置され得る。
【００６４】
提供および／または使用され得るダウンリンクチャネルは、物理ダウンリンク共有チャネル（Physical Downlink Shared Channel：ＰＤＳＣＨ）および／またはダウンリンク制御チャネルを含むことができ、それらは、物理制御フォーマットインジケータチャネル（Physical Control Format Indicator Channel：ＰＣＦＩＣＨ）、物理ハイブリッドＡＲＱインジケータチャネル（Physical Hybrid-ARQ Indicator Channel：ＰＨＩＣＨ）、物理ダウンリンク制御チャネル（Physical Downlink Control Channel：ＰＤＣＣＨ）、および／または拡張されたＰＤＣＣＨ（Enhanced PDCCH：ＥＰＤＣＣＨ）のうちの１または複数を含むことができる。
【００６５】
ＤＬにおける各サブフレーム内の１または複数のシンボル、たとえば、最初の１から３つのＯＦＤＭシンボルは、制御チャネルのオーバヘッドに応じてＰＣＦＩＣＨ、ＰＨＩＣＨ、およびＰＤＣＣＨのうちの１または複数によって占有されてよく、占有されたシンボルは、ＤＬ制御領域と呼ばれることがある。ＰＣＦＩＣＨは、たとえば、各サブフレームにおける最初のＯＦＤＭシンボル（たとえばシンボル０）で送信されることができ、および／または、サブフレームにおけるＤＬ制御領域に使用されるＯＦＤＭシンボルの番号を示すことができる。ＷＴＲＵは、ＰＣＦＩＣＨから制御フォーマットインジケータ（ＣＦＩ）を検出することができ、ＤＬ制御領域は、ＣＦＩ値に応じてサブフレームにおいて定義され得る。サブフレームが非ＰＤＳＣＨサポート可能サブフレームとして定義されることが可能な場合、ＰＣＦＩＣＨはスキップされ得る。ＤＬ制御領域の一部ではないＤＬシンボルは、データまたはＰＤＳＣＨ領域と呼ばれることがある。拡張されたＰＤＣＣＨ（ＥＰＤＣＣＨ）は、ＰＤＳＣＨ領域において提供および／または使用され得る。その領域におけるＥＰＤＣＣＨの位置は、たとえば、無線リソース制御（ＲＲＣ）シグナリングのようなより高い層のシグナリングを介して、そのＥＰＤＣＣＨを監視（モニター）、受信、もしくは他の形式で使用し得る（またはそうすることが期待され得る）ＷＴＲＵへシグナリングされ得る。ＰＤＣＣＨおよび／またはＥＰＤＣＣＨは、たとえば、ＤＬ制御情報（ＤＣＩ）フォーマットで、制御情報、ならびにＵＬおよび／またはＤＬ送信のためのリソース割り振り（たとえばグラント（grant））などを提供することができる。
【００６６】
ＤＬ信号および／またはチャネルは、ｅＮｏｄｅＢ（ｅＮＢ）によって提供もしくは送信されることができ、ならびに／またはＷＴＲＵによって受信および／もしくは使用されることができる。ＵＬ信号および／またはチャネルは、ＷＴＲＵによって提供もしくは送信されることができ、ならびに／またはｅＮＢによって受信および／もしくは使用されることができる。
【００６７】
信号および／またはチャネルは、特定のキャリア周波数および／または地理的エリアに対応することができるセルに関連付けられ得る。キャリア周波数は、セルの中心周波数（たとえば、セルのサポートされる帯域幅の中心周波数）とすることができる。ｅＮＢは、それに関連付けられた１または複数のセルを有することができる。ｅＮＢは、セルである、またはセルを指すことができる。
【００６８】
いくつかの実施形態では、ｅＮＢおよびセルという用語は交換可能に使用され得る。いくつかの実施形態では、セルおよびサービングセルという用語は交換可能に使用され得る。
【００６９】
プライマリ同期信号（ＰＳＳ）および／またはセカンダリ同期信号（ＳＳＳ）を含み得る同期信号が、たとえば、ｅＮＢまたはセルによって提供または送信され得る。ＷＴＲＵは、そのような信号を使用して、たとえば、ｅＮＢまたはセルとの時間および／または周波数同期を獲得することができる。ＰＳＳおよび／またはＳＳＳは、サブフレーム０および／もしくは５内に存在してよく、ならびに／またはすべての無線フレーム内に存在してもよい。送信は、セルの帯域幅の中央の６２個のサブキャリアであってよく、６２個の中央のサブキャリアの各側部の５つのサブキャリアが予約されまたは不使用にされ得る。ＦＤＤの場合、ＰＳＳ送信は、最後のＯＦＤＭシンボルにおいて、ＳＳＳ送信は、各無線フレームのタイムスロット０（たとえば、サブフレーム０の第１のタイムスロット）およびタイムスロット１０（たとえば、サブフレーム５の第１のタイムスロット）の最後から２番目（たとえば、最後の１つ前）のＯＦＤＭシンボルにおいてあり得る。ＴＤＤの場合、ＰＳＳ送信は、サブフレーム１および６内の第３のＯＦＤＭにおいてあり、ＳＳＳ送信は、各無線フレームのタイムスロット１（たとえば、サブフレーム０の第２のタイムスロット）およびタイムスロット１１（たとえば、サブフレーム５の第２のタイムスロット）における最後のＯＦＤＭシンボルにおいて送信され得る。同期信号が、セルの物理セルアイデンティティ（セルＩＤ）に関する情報を伝送することができる。
【００７０】
ｅＮＢまたはセルによって送信され得る物理ブロードキャストチャネル（Physical Broadcast Channel：ＰＢＣＨ）は、マスタ情報ブロック（ＭＩＢ）などのセル情報を搬送することができる。ＰＢＣＨは、各無線フレームのサブフレーム０などの特定のサブフレームで提供または送信されることができ、また、たとえば、４つの連続的無線フレーム（たとえば、４０ｍｓ時間期間）にわたって繰り返されることができる。ＰＢＣＨは、サブフレーム０の第２のタイムスロットの最初の４つのＯＦＤＭシンボルで送信されることができ、また、７２個の中央サブキャリア上で送信されることができる。ＭＩＢは、セルのＤＬ帯域幅、ＰＨＩＣＨ情報、およびシステムフレーム番号（ＳＦＮ）の少なくとも一部、たとえば、１０ビットＳＦＮの上位８ビットなどの情報を提供することができる。
【００７１】
ダウンリンク基準信号は、セル固有基準信号（ＣＲＳ）、チャネル状態情報基準信号（ＣＳＩ−ＲＳ）、および／または復調基準信号（ＤＭ−ＲＳ）、および／またはポジショニング基準信号（ＰＲＳ）を含み得る。ＤＬ基準信号は、ＷＴＲＵによって提供および／または使用され得る。ＣＲＳは、（たとえば任意の）ダウンリンク物理チャネルのコヒーレント復調のためのチャネル推定のためにＷＴＲＵによって使用され得る。特定のＤＬチャネルは、ＴＭ７、ＴＭ８、ＴＭ９、またはＴＭ１０などの特定の送信モード（ＴＭ）で構成されるときにＰＭＣＨ、ＥＰＤＣＣＨ、およびＰＤＳＣＨのうちの少なくとも１つを含むことができる。ＷＴＲＵは、たとえば、ＷＴＲＵがＰＤＳＣＨ復調のためにＣＲＳを使用して送信モードで構成される場合、ＣＱＩ、ＰＭＩ、および／またはＲＩの報告のためのチャネル状態情報測定のためにＣＲＳを使用することができる。ＷＴＲＵは、セル選択および／またはモビリティに関係付けられた測定のためにＣＲＳを使用することもできる。ＣＲＳは、特定のサブフレーム（たとえば、任意のサブフレーム）で受信されることができ、複数のアンテナポート（たとえば、最大４つのアンテナポート）がサポートされることができる。ＷＴＲＵは、ＴＭ７、ＴＭ８、ＴＭ９、またはＴＭ１０で構成されるＥＰＤＣＣＨおよびＰＤＳＣＨの少なくとも１つを含むことができる、特定のチャネルの復調のためにＤＭ−ＲＳを使用することができる。ＤＭ−ＲＳは、チャネル（たとえば、ＥＰＤＣＣＨまたはＰＤＳＣＨ）の復調のために使用されることができ、チャネル（たとえば、ＥＰＤＣＣＨまたはＰＤＳＣＨ）に割り当てられたリソースブロックにおいて送信されることができる。ＷＴＲＵは、たとえば、ＷＴＲＵが、ＰＤＳＣＨ復調のためにＤＭ−ＲＳを使用し得る送信モードで構成され得る場合、チャネル状態情報測定のために、デューティサイクルで送信され得るＣＳＩ−ＲＳを使用することができる。ＣＳＩ−ＲＳはまた、たとえば、ＷＴＲＵが送信モード（たとえばＴＭ１０）で構成され得る場合、セル選択およびモビリティに関係付けられた測定のために使用され得る。ＷＴＲＵは、位置に関係付けられた測定のためにＰＲＳを使用することができる。
【００７２】
ＷＴＲＵは、たとえば、サウンディング基準信号（ＳＲＳ）および／またはＤＭ−ＲＳを含む、アップリンク基準信号を送信することができる。ＳＲＳは、ＷＴＲＵ固有ＳＲＳサブフレームのために構成され得るアップリンクサブフレームのセットにおいて最後のＳＣ−ＦＤＭＡシンボルにおいて送信されることができ、ＷＴＲＵ固有ＳＲＳサブフレームは、セル固有ＳＲＳサブフレームのサブセットであり得る。ＳＲＳは、構成および／または予め定義された周波数帯域幅内で、ＷＴＲＵ固有ＳＲＳサブフレームで周期的にＷＴＲＵによって送信され得る。ＷＴＲＵは、たとえば、ＷＴＲＵがＤＣＩフォーマットで非周期ＳＲＳ（Ａ−ＳＲＳ）送信トリガを受信できる場合、非周期的様式でＳＲＳを送信することができる。ＷＴＲＵは、ｅＮＢ受信機におけるＰＵＳＣＨ復調のためにＤＭ−ＲＳを送信することができ、ＤＭ−ＲＳの位置は、ＰＵＳＣＨ送信がグラントを与えられ得るリソースブロックのための各スロットにおけるＳＣ−ＦＤＭＡシンボルの中央（たとえば、通常ＣＰにおける第４のＳＣ−ＦＤＭＡシンボル）にあり得る。
【００７３】
ＷＴＲＵは、ｅＮＢからのＰＤＳＣＨ送信におけるユーザプレーンおよび／または制御プレーンデータを受信することができる。ＷＴＲＵは、たとえば、ｅＮＢからのＰＤＳＣＨ送信における、ＲＬＣおよび／またはＭＡＣ制御情報を受信することができる。
【００７４】
ｅＮＢおよび／またはＷＴＲＵは、（ｉ）（たとえば、セルまたはｅＮＢへの）ＷＴＲＵ初期アクセスおよび／もしくは登録、ならびに／または初期アクセルもしくは登録のためなどの無線リソース制御（ＲＲＣ）接続要求、（ｉｉ）無線リンク障害に後続し得るＲＲＣ接続再確立などの接続再確立、（ｉｉｉ）ハンドオーバターゲットセルへのアクセス、および／または、たとえばハンドオーバのためもしくはその間の、ハンドオーバターゲットセルに対するＷＴＲＵ  ＵＬタイミングのリセットもしくは調整、（ｉｖ）たとえば、ＵＬ同期が失われることがあり、ＤＬデータが到着することもしくは送るべきＵＬデータが存在することがある場合などに、セルとのＵＬ同期を得るための、サービングセルなどの特定のセルに対するＷＴＲＵ  ＵＬタイミングのリセットもしくは調整、（ｖ）たとえば、ＷＴＲＵが送るべきＵＬデータを有することがあり、ＳＲに使用され得る割り当てられた専用リソース（たとえばＰＵＣＣＨリソース）が存在しないことがある場合に、スケジューリング要求（ＳＲ）を送信および／もしくは受信すること、ならびに／または、（ｖｉ）ＵＬタイミング調整に使用され得るタイミングアドバンスがＷＴＲＵポジショニングのために必要とされ得る場合などのポジショニング用途、のうちの少なくとも１つのためにランダムアクセス（ＲＡ）手順を使用できる。
【００７５】
ＲＡ手順は、コンテンションベース（共通と呼ばれることもある）または非コンテンションベース（コンテンションフリーまたは専用と呼ばれることもある）であり得る。
【００７６】
コンテンションベースのＲＡ手順であり得るＲＡ手順を使用するとき、ＷＴＲＵは、ＲＡプリアンブルを送信することによってプロセスを開始することができ、ＲＡプリアンブルは、ブロードキャストされたシステム情報などを介してネットワークによってＷＴＲＵに伝達され得るプリアンブルの共通プールからランダムに選択され得る。ＷＴＲＵは、ＰＲＡＣＨリソース（たとえば、時間および周波数のリソース）上でプリアンブルを送信することができ、リソースは、ブロードキャストされたシステム情報などを介してネットワークによってＷＴＲＵに伝達され得る許容されたリソースのセットから、ＷＴＲＵが選択することができる。セルの構成されたセットのＰＲＡＣＨリソースは、この許容されたＰＲＡＣＨリソースのセットであり得るまたはこのセットを含むことができる。ＰＲＡＣＨリソースの時間の単位は、サブフレームとすることができる。ＰＲＡＣＨリソースのためにＷＴＲＵが選択する（または選択し得る）サブフレームは、ＰＲＡＣＨのために構成された次のサブフレームとすることができ、そのサブフレームにおいて、ＷＴＲＵは（たとえば、タイミング、測定、および／または他のＷＴＲＵ考慮事項に基づいて）ＰＲＡＣＨを送信することができる。ＷＴＲＵは、たとえば、ネットワークによってたとえばブロードキャストされたシステム情報を介してＷＴＲＵに伝達され得るパラメータに基づいて、選択されたサブフレームにおけるＰＲＡＣＨリソースの周波数態様（たとえば、リソースブロック（ＲＢ））を選択することができる。周波数リソース（たとえば、１または少なくとも１つの周波数リソース）が、ＦＤＤまたは他の場合のサブフレームにおけるＰＲＡＣＨのために割り当てられ得る。それは、ネットワークによって提供され得る開始（たとえば最低）ＲＢ番号、たとえば、ｐｒａｃｈ−ＦｒｅｑｕｅｎｃｙＯｆｆｓｅｔによって定義されることができ、６つのＲＢなどの固定された帯域幅を有することができる。
【００７７】
複数のＷＴＲＵが、ランダムアクセスのために同じリソース（たとえば、プリアンブルおよびＰＲＡＣＨリソース）を選択することができ、コンテンション状況は、コンテンションベースのランダムアクセス手順が使用された場合もしくは他の場合に解決され得る。
【００７８】
ＷＴＲＵは、非コンテンションベースのＲＡ手順を使用しているとき、ネットワークによってＷＴＲＵへ（たとえば明示的に）シグナリングされ得るＲＡプリアンブル、たとえば、ｒａ−ＰｒｅａｍｂｌｅＩｎｄｅｘを送信することができる。ＷＴＲＵは、セルの構成されたＰＲＡＣＨリソースの特定のサブセットからそれが選択するＰＲＡＣＨリソース上でプリアンブルを送信することができる。サブセット（たとえばマスク）は、たとえばｒａ−ＰＲＡＣＨ−ＭａｓｋＩｎｄｅｘとして、ネットワークによってＷＴＲＵへ（たとえば明示的に）シグナリングされ得る。ＷＴＲＵは、サブセットが１つの選択肢を含む場合もしくは他の場合に、示されたリソースを使用し得る。
【００７９】
プリアンブル送信は、たとえば、コンテンションベースおよび／またはコンテンションフリーＲＡのために、複数のサブフレームにまたがりまたはわたって繰り返され得ることが企図されている。選択されたサブフレーム（たとえば、送信用）は、たとえば、この場合および／または他の場合に、送信のための開始サブフレームであり得る。
【００８０】
ＰＲＡＣＨプリアンブルは、ＰＲＡＣＨリソースとみなされ得る。例えば、ＰＲＡＣＨリソースは、ＰＲＡＣＨプリアンブル、時間および／または周波数リソースを含むことができる。
【００８１】
ＲＡＣＨリソースおよびＰＲＡＣＨリソースという用語は、交換可能に使用され得ることが企図されている。さらに、ＲＡ、ＲＡＣＨ、およびＰＲＡＣＨが交換可能に使用され得ることが企図されている。さらに、ＰＤＣＣＨおよびＥＰＤＣＣＨが交換可能に使用され得ることが企図されている。（Ｅ）ＰＤＣＣＨは、ＰＤＣＣＨおよび／またはＥＰＤＣＣＨを表すために使用され得る。
【００８２】
図２は、例示的ランダムアクセス手順２００を示す。２０２（たとえばｍｓｇ１）で、ＷＴＲＵは、特定の電力レベルであり得るプリアンブルを送信する（または送信し得る）。プリアンブルを受信する（または受信し得る）ｅＮＢは、２０４で、ランダムアクセス応答（Random Access Response：ＲＡＲ）、たとえば、ｍｓｇ２で応答することができる。ＷＴＲＵが特定の時間窓内にＲＡＲを受信しない場合、ＷＴＲＵは、（前のプリアンブルと異なり得る）別のプリアンブルを送信することができ、それをより高い電力で送信する（たとえば、ランピング（ramping）プロトコルに従うなどして電力をランプアップ（ramp up）させる）ことができる。電力をランピングし再度試みる前に、ＷＴＲＵは、あるバックオフ時間にわたり待機することができる。ＷＴＲＵは、以下のイベントの少なくとも１つが発生できるまで、すなわち、ＷＴＲＵがそれに向けられた（もしくは向けられ得る）ＲＡＲを受け取る、ＷＴＲＵがその最大電力に達する（もしくは最大電力を超える）、および／またはＷＴＲＵが許容されたランプの最大数に達する（もしくは最大数を超える）まで、プリアンブルの送信を繰り返すことができる。ＷＴＲＵが最大値の１つに達したかそれを超えた場合、ＷＴＲＵは、ランダムアクセス手順２００が失敗したとみなすことができる。ランピングステップ（たとえばｐｏｗｅｒＲａｍｐｉｎｇＳｔｅｐ）およびランプの最大数（たとえばｐｒｅａｍｂｌｅＴｒａｎｓＭａｘ）は、ブロードキャストされ得るシステム情報などを介して、ｅＮＢによって提供され得る。
【００８３】
ＷＴＲＵがＲＡＲを受信する場合、ＲＡＲは、２０６でＷＴＲＵがＵＬ送信（たとえばｍｓｇ３）を送り得るリソースに対するグラント、セル（Ｃ）−無線ネットワーク一時識別子（Ｃ−ＲＮＴＩ）もしくは一時Ｃ−ＲＮＴＩ（ＴＣ−ＲＮＴＩ）、および／またはタイミングアドバンス（ＴＡ）、のうちの１または複数を含み得る。ＲＡＲに応答して、ＷＴＲＵは、グラントを与えられたリソース上で２０６においてＵＬで（たとえばｍｓｇ３を）送信することができ、ＴＡに応じて、そのＵＬタイミングを調節することができる。コンテンションフリーＲＡ手順の場合、ランダムアクセス手順２００は２０６で終了することができる。
【００８４】
コンテンションベースの手順の場合、コンテンション解決が２０８で生じることができる（たとえばｍｓｇ４）。コンテンション解決メッセージは、ＲＡＲが向けられたＷＴＲＵを示す（もしくは示し得る）または識別する（もしくは識別し得る）情報（たとえば、Ｃ−ＲＮＴＩまたはＴＣ−ＲＮＴＩ）を含むことができる。ＷＴＲＵはそれが向けられた対象のＷＴＲＵであったことを示すコンテンション解決メッセージを受け取った場合、ＷＴＲＵは、ランダムアクセス手順２００が成功したとみなすことができる。そうでない場合、ＷＴＲＵはランダムアクセス手順２００が失敗したとみなすことができ、再度試みることができる。
【００８５】
２０２で、ＷＴＲＵは、選択または識別されたＰＲＡＣＨリソース上でＲＡプリアンブルを送信することができる。プリアンブルを送信した後、ＷＴＲＵは、ＰＤＣＣＨもしくはＥＰＤＣＣＨを監視しおよび／もしくは読み取ること、ならびに／または、ＷＴＲＵがプリアンブルを送信した最初のサブフレームに対応する（または対応し得る）ランダムアクセスＲＮＴＩ（Random Access RNTI：ＲＡ−ＲＮＴＩ）を探すことができる。ＲＡ−ＲＮＴＩは、ＷＴＲＵに向けられ得るＲＡＲの存在を示すことができる。ＲＡ−ＲＮＴＩは、たとえば、ＲＡ−ＲＮＴＩ＝１＋ｔ＿ｉｄ＋１０＊ｆ＿ｉｄに従って決定されることができ、式中、ｔ＿ｉｄは、プリアンブル送信に使用されるＰＲＡＣＨの最初のサブフレームのインデックス（たとえば、０≦ｔ＿ｉｄ≦１０）とすることができ、ｆ＿ｉｄは、たとえば周波数領域の昇順での、そのサブフレーム内のプリアンブル送信に使用されるＰＲＡＣＨのインデックス（たとえば、０≦ｆ＿ｉｄ≦６）とすることができる。値ｆ＿ｉｄは、サブフレームごとに１つの周波数リソースの場合、ＦＤＤの場合、および／または他の場合に、常に０であり得る。
【００８６】
２０４で、ＲＡＲが提供および／または使用され得る。ｅＮＢによって送信され得るＲＡＲは、たとえば、ＷＴＲＵ送信タイミング、および／またはＷＴＲＵのためのアップリンクリソースに対する割り振り（たとえばグラント）を調節するための、タイミングアドバンスコマンドを含むことができる。ＲＡＲは、ＰＤＣＣＨ（またはＥＰＤＣＣＨ）上で送られ得る。ＲＡＲは、ＲＡ−ＲＮＴＩを使用して、割り振り（たとえばスケジューリンググラント）がどのＷＴＲＵグループ向けであるか（またはあり得るか）を識別することができる。各グループ内で、ＲＡプリアンブル識別子（ＲＡＰＩＤ）は、ＲＡ−ＲＮＴＩによって識別される（または識別され得る）ＷＴＲＵグループをさらに（たとえばＭＡＣレベルで）絞り込むために使用されることができ、たとえば、ランダムアクセス手順のプリアンブル送信（２０２）中の同じプリアンブルを使用した（または使用していることがあり得る）ＷＴＲＵのサブセットに絞り込む。ＲＡ応答は、（ｉ）ネットワークが検出したことがあり得る、および／または応答が妥当（valid）である（もしくはあり得る）、ランダムアクセスプリアンブルシーケンスのインデックス、（ｉｉ）ランダムアクセスプリアンブル受信機によって計算され得るタイミング補正、（ｉｉｉ）スケジューリンググラント、ならびに／または（ｉｖ）ＴＣ−ＲＮＴＩのうちの１または複数を含むことができる。
【００８７】
２０６で、スケジューリング（またはグラント）された送信がＷＴＲＵによって行われ得る。ＷＴＲＵは、（ＲＡＲに含まれ得る）スケジューリンググラントによって示される割り振られたリソースを使用して、２０６で、ＲＲＣ接続要求などのメッセージを送信することができる。ＷＴＲＵが（たとえば、ＲＲＣ  ＣＯＮＮＥＣＴＥＤ状態の）知られているセルに接続されている場合、ＷＴＲＵは、それがアップリンクメッセージ内に含み得るＣ−ＲＮＴＩを有することができる。そうでない場合、コアネットワーク端末識別子が使用され得る。アップリンク送信（ＵＬ  ＳＣＨ）は、ＲＡＲで受信されたＴＣ−ＲＮＴＩを使用してＷＴＲＵによってスクランブルされ得る。
【００８８】
２０８で、コンテンション解決が実行および／または使用され得る。ｅＮＢは、コンテンション解決メッセージを、たとえばＰＤＣＣＨ（またはＥＰＤＣＣＨ）上で送ることができ、コンテンション解決メッセージは、Ｃ−ＲＮＴＩまたはＷＴＲＵコンテンション解決アイデンティティ、たとえば、ＷＴＲＵがｍｓｇ３（２０６）で送っている可能性があるコアネットワーク端末識別子に基づくことができる。２０８で受信された標識またはアイデンティティと２０６でそれ自身が送信した標識またはアイデンティティとの間の一致を観察するＷＴＲＵは、ＲＡ手順が成功したと宣言することができる。同じＰＲＡＣＨ時間−周波数リソースおよび同じプリアンブルを選択するＷＴＲＵの間のコンテンションは、この様式で解決され得る。
【００８９】
コンテンションベースのＲＡなどのＲＡに関して、ＷＴＲＵは、ネットワークによって提供され得るパラメータからプリアンブルの共通プールを導出することができる。これらのパラメータから、ＷＴＲＵは、１または複数のルートＺａｄｏｆｆ−Ｃｈｕシーケンスに基づくことができるプリアンブルのフルセット、たとえば、６４個のプリアンブルのような特定の数を導出することができる。使用する１または複数のシーケンスを指定し得るパラメータは、ｒｏｏｔＳｅｑｕｅｎｃｅＩｎｄｅｘとすることができる。ＷＴＲＵは、ＷＴＲＵによって使用され得るプリアンブルのサブセットと、このサブセットをどのように２つのグループＡおよびＢなどのグループに分割するかとを示すことができる、追加のパラメータを受信することができる。たとえば、ｎｕｍｂｅｒＯｆＲＡ−Ｐｒｅａｍｂｌｅｓが、プリアンブルのサブセットを定義することができる。第１のｓｉｚｅＯｆＲＡ−ＰｒｅａｍｂｌｅｓＧｒｏｕｐＡは、グループＡ内であり（たとえば、プリアンブル０からｓｉｚｅＯｆＲＡ−ＰｒｅａｍｂｌｅｓＧｒｏｕｐＡ−１）、サブセット内の残りのプリアンブルは、もしある場合（たとえば、ｓｉｚｅＯｆＲＡ−ＰｒｅａｍｂｌｅｓＧｒｏｕｐＡからｎｕｍｂｅｒＯｆＲＡ−Ｐｒｅａｍｂｌｅｓ−１）、グループＢ内であり得る。グループＡ対グループＢを使用する場合、プリアンブルはＷＴＲＵに知られ得る。判断は、ｍｓｇ３のサイズおよび／または経路損失（ＰＬ）などの基準に基づくことができる。グループＡまたはＢに存在しないフルセット内のプリアンブルは、ネットワークによって、それが、たとえばコンテンションフリーＲＡに対して、専用プリアンブルを割り当てる場合に使用され得る。
【００９０】
ＰＲＡＣＨ構成インデックス、たとえばｐｒａｃｈ−Ｃｏｎｆｉｇｌｎｄｅｘは、予め設定されたリストの可能な構成のどれを、セルの構成されたセットのＰＲＡＣＨリソースに対して選択しているか（または選択していることがあり得るか）を、ネットワークによってＷＴＲＵに伝える（および／またはＷＴＲＵによって決定する）ために使用され得る。予め設定された構成は、たとえば、ＦＤＤに関して、プリアンブルサイクリックプレフィックス（ＣＰ）に対する時間およびプリアンブルシーケンスに対する時間を定義することができるプリアンブルフォーマット、ＰＲＡＣＨが可能にされ得るシステムフレーム番号（ＳＦＮ）（たとえば、任意、偶数のみ、奇数のみ）、ならびにＰＲＡＣＨが可能にされ得る可能にされたＳＦＮのサブフレーム（たとえば、特定の１、２、３、４、もしくは５個、または１０個すべてのサブフレーム）のうちの１または複数を定義することができる。
【００９１】
ＵＬ送信において、ＷＴＲＵは、いくつかのファクタに基づいて電力制御を行うことができ、それらのファクタは、特に、（１）ＤＬキャリア上の測定された経路損失、（２）（たとえばｅＮＢからの）送信電力制御（ＴＰＣ）コマンド、（３）それが送信をその上でし得るリソースブロックの数、および／または（４）他の静的または準静的パラメータを含み得る。
【００９２】
静的または準静的パラメータが、ｅＮＢまたは他のネットワークリソースによって提供され得る。パラメータおよび／または電力制御式および／または電力制御手順は、たとえば、ＬＴＥまたはＬＴＥ−Ａ規格に基づいて確立されまたは見出され得る。電力制御手順は、ＷＴＲＵの計算された送信電力がその最大の可能にされた送信電力を超える可能性を考慮し、最大の可能にされた送信電力を超えないようにＷＴＲＵが送信電力を縮小することを提供することができる。
【００９３】
最大の可能にされた送信電力（または構成された最大出力電力）ＰCMAXは、ＷＴＲＵの電力クラス、ｅＮＢによってシグナリングされ得る電力限界、および／または、ＷＴＲＵが行うことを許容され得る電力低減のうちの１または複数の関数とすることができ、それらは、たとえば、帯域外放射要件または可能にされた値もしくはレベルを超えることを回避するために、ＷＴＲＵによって送信されるべき信号に基づくことができる。たとえば、ＬＴＥ／ＬＴＥ−Ａ送信に関して、ＷＴＲＵは、最大電力低減（ＭＰＲ）、追加的ＭＰＲ（Ａ−ＭＰＲ）、ならびに／またはΔＴｃおよびΔＴｉｂなどの１もしくは複数の可能にされた許容値、ならびに／または他の可能にされた低減に基づいて、その最大出力電力を低減することができる。ＭＰＲ、Ａ−ＭＰＲ、ΔＴｃ、およびΔＴｉｂ値は、ＬＴＥ／ＬＴＥ−Ａ規格に見られ得る。ＷＴＲＵがどの値を使用し得るかは、ｅＮＢからのいくつかの送信特性およびシグナリングのうちの１または複数の組み合わせに基づくことができる。それらの値は、ＷＴＲＵによって、最大の可能にされた値であるとみなされることができ、そのように、ＷＴＲＵは、ＭＰＲ、Ａ−ＭＰＲ、ΔＴｃ、ΔＴｉｂ値、および／または他のより小さい値を使用することができる。電力管理電力低減（power management power reduction：Ｐ−ＭＰＲ）が、ＰCMAXを低減するために使用されてもよい。
【００９４】
最大の可能にされた送信電力、最大の可能にされた電力、最大の可能にされた出力電力、最大の可能にされた送信電力、最大送信電力、最大電力、最大出力電力、最大送信電力、最大ＵＬ送信電力、構成された最大出力電力、および／または最大の構成された出力電力のうちの１または複数（たとえばすべて）が交換可能に使用され得ることが企図されている。
【００９５】
キャリアアグリゲーションをたとえばＬＴＥリリース１０（Ｒ１０）に従ってサポートするＷＴＲＵは、１または複数のサービングセル（またはコンポーネントキャリア（ＣＣ））を用いて構成されることができ、ＣＣごとに、ＷＴＲＵは、ＵＬ通信に対して構成されることができる。ＣＣとサービングセルは交換可能に使用されることができ、依然として本明細書に含まれる実施形態と整合することが企図されている。
【００９６】
ＷＴＲＵは、各コンポーネントキャリア（またはＣＣ）上の各ＵＬチャネルに対する電力制御（ＰＣ）を行うことができる。各ＵＬキャリア（またはＣＣ）について構成された最大出力電力ＰCMAX,cが存在し得る。ＵＬ  ＣＣ、たとえばプライマリＣＣに対して、複数のＰCMAX,cが存在し得る。ＷＴＲＵは、サブフレームベースでＰＣを行うことができ、それがサブフレームにおいてＵＬ送信を行うべきまたは行うことになるチャネルのための電力を決定する（たとえば、決定だけする）ことができる。
【００９７】
ＰＵＣＣＨに対する送信電力は、たとえば、ＷＴＲＵによって決定され得る。例において、ＬＴＥ−Ａ  ＰＵＣＣＨ電力などのＰＵＣＣＨ電力は、
【００９８】
【数１】
2020061785.tif 000003
【００９９】
に従って決定され得る。
【０１００】
ＰCMAX,c（ｉ）は、サービングセルｃに対する構成された最大出力電力であり、それは、ＷＴＲＵによって、ＭＩＮ（Ｐｅｍａｘc，Ｐｐｏｗｅｒｃｌａｓｓ）と等しくなり得る高い値と、Ｐｅｍａｘ，ｃおよびＰｐｏｗｅｒｃｌａｓｓの最小値から許容される電力低減の組み合わせを引いたものと等しくなり得る低い値との間の値に構成されてよく、それは、状況に応じて、ＭＰＲ、Ａ−ＭＰＲ、Ｐ−ＭＰＲ、ΔＴｃ、およびΔＴｉｂのうちの１または複数を含むことができる。電力低減は、ＷＴＲＵまたはＣＣ固有であり得る。Ｐｐｏｗｅｒｃｌａｓｓは、ＷＴＲＵの電力クラスの最大電力であり得る。Ｐｅｍａｘcは、たとえばＲＲＣシグナリングを介してｅＮＢによって、ＷＴＲＵにシグナリングされることができ、そのＣＣに対するシグナリングされたｐ−ｍａｘに対応することができる、ＣＣ  ｃに対する最大の許容された出力電力であり得る。
【０１０１】
ΔF_PUCCH（Ｆ）は、送信のために使用されるＰＵＣＣＨフォーマットの関数である。
【０１０２】
ｈ（ｎCQI，ｎHARQ，ｎSR）は、ＰＵＣＣＨフォーマットおよび送信されている各タイプ（ＣＱＩ、ＨＡＲＱ、ＳＲ）のビットの数の関数である。
【０１０３】
ＰO_PUCCHは、ＲＲＣシグナリングを介してＷＴＲＵへ提供され得る２つのパラメータ（たとえば、ＰO_N0MINAL_PUCCHおよびＰO_UE_PUCCH）から構成され得るパラメータである。
【０１０４】
ＰＬCは、たとえば測定から、ＷＴＲＵによって決定され得るＣＣに関する経路損失である。
【０１０５】
ｇ（ｉ）は、ＰＵＣＣＨ電力制御調整状態と呼ばれ得る調整係数である。ｇ（ｉ）は、（新たなＰOがシグナリングされる場合にゼロにされ得る）ＲＡ手順後の電力ランプアップデルタ（power ramp-up delta）、および／または送信電力制御（ＴＰＣ）コマンドの累積δPUCCCHを含むことができる。累積は、以下のようであってよい。
【０１０６】
【数２】
2020061785.tif 000004
【０１０７】
ここで、たとえば、Ｍ＝１およびＫ0＝４がＦＤＤに適用することができる。ＴＤＤに当てはまる別の例では、Ｍおよびｋmの値がＴＤＤ  ＵＬ／ＤＬ構成の関数であり得る。
【０１０８】
ＰＵＣＣＨに対するＴＰＣコマンドは、ＤＣＩフォーマット３／３Ａなどの特定のＤＣＩフォーマット（たとえば、特定のＤＣＩフォーマットを有するＰＤＣＣＨもしくはＥＰＤＣＣＨ）で、またはＤＣＩフォーマット１Ａ／１Ｂ／１Ｄ／１／２Ａ／２Ｂ／２Ｃ／２におけるＤＬグラントを用いて送信されることができ、たとえば、フォーマット３Ａにおいて、＋１もしくは−１ｄＢ、または他のフォーマットにおいて、０（ホールド（hold））、−１、＋１、もしくは＋３ｄＢであり得る。ＤＣＩフォーマット１／１Ａ／２／２Ａ／２Ｂを有するＰＤＣＣＨ（またはＥＰＤＣＣＨ）が半永続的スケジューリング（ＳＰＳ）アクティブ化ＰＤＣＣＨとして有効にされる場合、またはＤＣＩフォーマット１Ａを有するＰＤＣＣＨがＳＰＳリリースＰＤＣＣＨとして有効にされる場合、δPUCCHは、０ｄＢであり得る。
【０１０９】
ＰＵＳＣＨに対する送信電力は、たとえば、ＷＴＲＵによって決定され得る。例において、ＬＴＥ−Ａ  ＰＵＳＣＨ電力などのＰＵＳＣＨ電力は、
【０１１０】
【数３】
2020061785.tif 000005
【０１１１】
に従って決定されてよく、ＰＵＣＣＨ項は、ＰＵＳＣＨおよびＰＵＣＣＨがサブフレームｉにおいて同時に送信されているときに存在するまたはそのときのみ存在する（または非ゼロである）ことができる。
【０１１２】
方程式２のパラメータは、ＰＵＣＣＨ電力に関して説明されたものと同様であり得る。ＰＵＳＣＨの場合、ＴＰＣコマンドの累積であり得る調整係数は、ＣＣ固有ｆc（ｉ）によって表され得る。ｆc（０）は、ＲＡ手順後の電力ランプアップ、および／またはＲＡＲで受信され得るＴＰＣコマンドの関数であり得る。
【０１１３】
ＭPUSCH,cは、リソースブロックの数で表され得るＰＵＳＣＨリソース割り当ての帯域幅であり得る。
【０１１４】
ＰO_PUCCH,C（ｊ）は、知られている値を有し得るまたはより高い層によって提供され得る、コンポーネントＰO_N0MINAL_PUCCH,C（ｊ）およびコンポーネントＰO_UE_PUCCH,C（ｊ）の合計から構成され得るパラメータである。ｊの値は、送信のタイプの関数であり得る。たとえば、半永続的グラントに対応し得るＰＵＳＣＨ（再）送信の場合、ｊは０であり得る。動的なスケジューリングされたグラントに対応し得るＰＵＳＣＨ（再）送信の場合、ｊは１であり得る。ＲＡＲグラントに対応し得るＰＵＳＣＨ（再）送信の場合、ｊは２であり得る。
【０１１５】
αc（ｊ）は、たとえば、ｊの値に基づくことができ、知られている値である、またはより高い層によって提供され得る。
【０１１６】
ＰＲＡＣＨに対する送信電力は、たとえば、ＷＴＲＵによって決定され得る。例において、ＬＴＥ−Ａ  ＰＲＡＣＨ電力などのＰＲＡＣＨ電力は、
ＰPRACH＝ｍｉｎ｛ＰCMAX,c（ｉ），ＰＲＥＡＭＢＬＥ＿ＲＥＣＥＩＶＥＤ＿ＴＡＲＧＥＴ＿ＰＯＷＥＲ＋ＰＬC｝    方程式３
に従って決定され得る。ここで、ＰＲＥＡＭＢＬＥ＿ＲＥＣＥＩＶＥＤ＿ＴＡＲＧＥＴ＿ＰＯＷＥＲは、より高い層によって示され得る。
【０１１７】
ＰCMAX,c（ｉ）は、たとえば、ＰＵＣＣＨ電力に関して説明されたような、サービングセルｃに対する構成された最大出力電力であり得る。ＰＬCは、たとえば測定から、ＷＴＲＵによって決定され得るＣＣに関する経路損失であり得る。
【０１１８】
ＰＲＥＡＭＢＬＥ＿ＲＥＣＥＩＶＥＤ＿ＴＡＲＧＥＴ＿ＰＯＷＥＲは、たとえば、ＷＴＲＵによってＭＡＣ層のようなより高い層で決定され得る。この決定は、たとえば、
ＰＲＥＡＭＢＬＥ＿ＲＥＣＥＩＶＥＤ＿ＴＡＲＧＥＴ＿ＰＯＷＥＲ＝｛ｐｒｅａｍｂｌｅｌｎｉｔｉａｌＲｅｃｅｉｖｅｄＴａｒｇｅｔＰｏｗｅｒ＋ＤＥＬＴＡ＿ＰＲＥＡＭＢＬＥ＋（ＰＲＥＡＭＢＬＥ  ＴＲＡＮＳＭＩＳＳＩＯＮ  ＣＯＵＮＴＥＲ−１）＊ｐｏｗｅｒＲａｍｐｉｎｇＳｔｅｐ｝    方程式４
に従うことができる。
【０１１９】
ｐｒｅａｍｂｌｅｌｎｉｔｉａｌＲｅｃｅｉｖｅｄＴａｒｇｅｔＰｏｗｅｒおよび／またはｐｏｗｅｒＲａｍｐｉｎｇＳｔｅｐの値は、たとえば、ブロードキャストなどのシグナリングまたは専用シグナリングを介して、ｅＮＢによって構成され得る。
【０１２０】
ＤＥＬＴＡ＿ＰＲＥＡＭＢＬＥは、ブロードキャストまたは専用シグナリングなどのｅＮＢからの構成および／またはシグナリングに従い得るＷＴＲＵが使用できるＰＲＡＣＨフォーマットの関数として決定され得る。
【０１２１】
ＰＲＥＡＭＢＬＥ＿ＴＲＡＮＳＭＩＳＳＩＯＮ＿ＣＯＵＮＴＥＲは、ＰＲＡＣＨ送信に対する電力をランピングするために使用され得る。ＰＲＥＡＭＢＬＥ＿ＴＲＡＮＳＭＩＳＳＩＯＮ＿ＣＯＵＮＴＥＲは、最初のＰＲＡＣＨ送信に対して１に設定され、各ＰＲＡＣＨ再試行または再送信について＋１増加され得る。ｐｏｗｅｒＲａｍｐｉｎｇＳｔｅｐによる電力ランピングは、このように達成され得る。
【０１２２】
ＰＵＣＣＨのために使用され得る物理リソースは、より高い層によって提供され得るパラメータ、たとえば、
【０１２３】
【数４】
2020061785.tif 000006
【０１２４】
および
【０１２５】
【数５】
2020061785.tif 000007
【０１２６】
に依存することができる。０以上の整数であり得るパラメータ
【０１２７】
【数６】
2020061785.tif 000008
【０１２８】
は、各スロットにおけるＰＵＣＣＨフォーマット２／２ａ／２ｂのような送信用の特定のＰＵＣＣＨフォーマットによる使用に利用可能なリソースブロックに関する帯域幅を表す。変数
【０１２９】
【数７】
2020061785.tif 000009
【０１３０】
は、フォーマット１／１ａ／１ｂおよび２／２ａ／２ｂなどの特定のフォーマットの混合のために使用され得るリソースブロックおけるＰＵＣＣＨフォーマット１／１ａ／１ｂなどのＰＵＣＣＨフォーマットのために使用され得る循環シフトの数を表す。
【０１３１】
【数８】
2020061785.tif 000010
【０１３２】
の値は、
【０１３３】
【数９】
2020061785.tif 000011
【０１３４】
の整数倍とすることができ、整数倍は、｛０，１，．．．，７｝の範囲内とすることができ、
【０１３５】
【数１０】
2020061785.tif 000012
【０１３６】
は、より高い層によって提供され得る。例において、
【０１３７】
【数１１】
2020061785.tif 000013
【０１３８】
である場合、混合されたリソースブロックが存在することがない。各スロット内で１つ（たとえば多くても１つ）のリソースブロックが、フォーマット１／１ａ／１ｂおよび２／２ａ／２ｂの混合をサポートすることができる。ＰＵＣＣＨフォーマット１／１ａ／１ｂ、２／２ａ／２ｂ、および３の送信のために使用され得るリソースはそれぞれ、非負のインデックス
【０１３９】
【数１２】
2020061785.tif 000014
【０１４０】
、
【０１４１】
【数１３】
2020061785.tif 000015
【０１４２】
、および
【０１４３】
【数１４】
2020061785.tif 000016
【０１４４】
によって表され得る。
【０１４５】
複素数値シンボル
【０１４６】
【数１５】
2020061785.tif 000017
【０１４７】
からなるブロックは、たとえば送信電力ＰPUCCHに一致するために、振幅スケーリングファクタ（amplitude scaling factor）βPUCCHで乗算されることができ、
【０１４８】
【数１６】
2020061785.tif 000018
【０１４９】
から開始するシーケンスでリソース要素に順番にマッピングされ得る。ＰＵＣＣＨは、サブフレーム内の２つのスロットのそれぞれにおいて１つのリソースブロックを使用することができる。送信のために使用され得る物理リソースブロック内で、基準信号の送信に使用されないアンテナポートｐにおけるリソース要素（ｋ，ｌ）に対する
【０１５０】
【数１７】
2020061785.tif 000019
【０１５１】
のマッピングは、最初にｋ、次にｌ、最後にサブフレーム内の最初のスロットから開始するスロット番号の昇順であり得る。インデックス
【０１５２】
【数１８】
2020061785.tif 000020
【０１５３】
とアンテナポート番号ｐとの間の関係の例が、表１によって与えられ得る。
【０１５４】
【表１】
2020061785.tif 000021
【０１５５】
スロットｎsにおけるＰＵＣＣＨの送信に使用され得る物理リソースブロックは、
【０１５６】
【数１９】
2020061785.tif 000022
【０１５７】
によって与えられてよく、ここで変数ｍはＰＵＣＣＨフォーマットに依存することができる。
【０１５８】
例において、フォーマット１、１ａ、および１ｂについて、ｍは、
【０１５９】
【数２０】
2020061785.tif 000023
【０１６０】
に従って決定され得る。別の例では、フォーマット２、２ａおよび２ｂについて、ｍは、
【０１６１】
【数２１】
2020061785.tif 000024
【０１６２】
に従って決定され得る。別の例では、フォーマット３について、ｍは、
【０１６３】
【数２２】
2020061785.tif 000025
【０１６４】
に従って決定され得る。
【０１６５】
ＰＵＣＣＨのための変調シンボルのマッピングは、たとえば、表２に示されるものであり得る。
【０１６６】
【表２】
2020061785.tif 000026
【０１６７】
短縮されたＰＵＣＣＨフォーマットが使用されてよく、そのとき、たとえば、ＳＲＳとＰＵＣＣＨの同時送信の場合に、サブフレームのたとえば第２のタイムスロットにおける最後のＳＣ−ＦＤＭＡシンボルが空のままとされ得る。短縮されたＰＵＣＣＨは、ＰＵＣＣＨフォーマット１、１ａ、１ｂ、および／または３のうちの１または複数に適用することができる。短縮されたＰＵＣＣＨは、構成された１つのサービングセル、または構成および／もしくはアクティブ化されたＵＬを有する１つのサービングセルがあり得るときに適用することができる。
【０１６８】
ＰＵＣＣＨフォーマット１ａ／１ｂなどの特定のＰＵＣＣＨフォーマットのために、２つのアンテナポート、たとえば（ｐ∈［ｐ0，ｐ1］）上でのＨＡＲＱ−ＡＣＫ送信がサポートされ得る。
【０１６９】
ＷＴＲＵは、サブフレームｎにおけるＨＡＲＱ−ＡＣＫの送信のためにＰＵＣＣＨリソース
【０１７０】
【数２３】
2020061785.tif 000027
【０１７１】
を使用することができ、ここで、
【０１７２】
【数２４】
2020061785.tif 000028
【０１７３】
は、ＰＵＣＣＨフォーマット１ａ／１ｂなどの特定のＰＵＣＣＨフォーマットのためにアンテナポートｐにマッピングされる。
【０１７４】
１つのサービングセルを含むことができる、および／またはＦＤＤを使用することができる例において、サブフレームｎ−４における対応するＰＤＣＣＨの検出によって示され得る（たとえば、サブフレームｎ−４における）ＰＤＳＣＨ送信のために、またはサブフレームｎ−４におけるダウンリンクＳＰＳリリースを示し得るＰＤＣＣＨのために、ＷＴＲＵは、アンテナポートｐ0について
【０１７５】
【数２５】
2020061785.tif 000029
【０１７６】
を使用することができ、ここで、ｎCCEは、対応するＤＣＩ割り当ての送信に使用される第１の制御チャネル要素（ＣＣＥ）の数（たとえば、ＰＤＣＣＨを構成するために使用される最低のＣＣＥインデックス）であり、
【０１７７】
【数２６】
2020061785.tif 000030
【０１７８】
は、より高い層によって構成され得る。２アンテナポート送信の場合、アンテナポートｐ1のためのＰＵＣＣＨリソースは、
【０１７９】
【数２７】
2020061785.tif 000031
【０１８０】
によって与えられ得る。
【０１８１】
ＦＤＤを使用することができる別の例では、たとえばＤＬ  ＳＰＳの場合において、サブフレームｎ−４において検出された対応するＰＤＣＣＨが存在しないことがあるセル（たとえばプライマリセル）上でのＰＤＳＣＨ送信の場合、
【０１８２】
【数２８】
2020061785.tif 000032
【０１８３】
の値は、たとえば、より高い層構成などによるマッピング、および／または表３などの表に従って決定され得る。シグナリング、たとえばＰＵＣＣＨ  ＴＰＣコマンドは、たとえば表における、マッピングを選択するために使用され得る。ＰＵＣＣＨリソース値は、たとえば、単一アンテナポート送信のために、アンテナポートｐ0に対する単一ＰＵＣＣＨリソース
【０１８４】
【数２９】
2020061785.tif 000033
【０１８５】
にマッピングすることができる。２つのアンテナポート送信のために構成されたＷＴＲＵの場合、たとえば表３におけるＰＵＣＣＨリソース値は、２つのＰＵＣＣＨリソース、たとえば、アンテナポートｐ0に対する第１のＰＵＣＣＨリソース
【０１８６】
【数３０】
2020061785.tif 000034
【０１８７】
およびアンテナポートｐ1に対する第２のＰＵＣＣＨリソース
【０１８８】
【数３１】
2020061785.tif 000035
【０１８９】
にマッピングすることができる。
【０１９０】
【表３】
2020061785.tif 000036
【０１９１】
システム情報が、たとえば、ｅＮＢによって提供され、および／またはＷＴＲＵによって使用され得る。ＷＴＲＵは、それが特にセル選択、アクセス、および／または接続確立ために使用することができる、セルおよび／またはネットワークに関係付けられたシステム情報を獲得することができる。システム情報は、ブロック内のセルによってブロードキャストされ得る。１または複数の情報ブロックがセルに関してＷＴＲＵによって使用され得る。１つのセルが、別のセルについてシステム情報を提供することができる。たとえば、プライマリセルが、キャリアアグリゲーションに関してセカンダリセルについてのシステム情報を提供することができる。
【０１９２】
ＭＩＢが、提供および／または使用され得る。ＭＩＢは、サブフレーム０などの特定のサブフレームにおいてＰＢＣＨ上で送信されることができ、固定された送信時間間隔（ＴＩＩ）、たとえば４０ｍｓを有することができる。ＭＩＢは、１０ｍｓごとに繰り返され得る。このブロックに含まれる情報は、ＳＦＮの少なくとも一部（たとえば、ＳＦＮの上位８ビット）、セルの構成されたＤＬ帯域幅、および／またはセルに対するＰＨＩＣＨ構成のうちの１または複数を含むことができる。４０ｍｓＴＴＩにおいて４つの繰り返されるＭＢＩの１つを獲得することによって、ＷＴＲＵは、完全なＳＮＦ値に対してＳＦＮの下位２ビットを導出することが可能であり得る。
【０１９３】
システム情報ブロック（ＳＩＢ）はＰＤＳＣＨ上で送信され得る。ＳＩＢのリソース位置は、システム情報（ＳＩ）−ＲＮＴＩによってスクランブルされ得る（Ｅ）ＰＤＣＣＨによって示され得る。ＳＩＢ、たとえばＳＩＢタイプ１（ＳＩＢ１）は、セルおよび／もしくはネットワークへのアクセスのためにＷＴＲＵが使用できる情報、ならびに／または他のＳＩＢに関するスケジューリング情報を提供することができる。ＳＩＢ、たとえばＳＩＢ１は、サブフレーム５などの特定のサブフレームで送信されてよく、固定され得るＴＴＩ（たとえば８０ｍｓ）を有してよく、および／または周期的に（たとえば２０ｍｓごとに）繰り返されてよい。
【０１９４】
ＳＩＢ、たとえば  ＳＩＢタイプ２（ＳＩＢ２）は、別のＳＩＢ、たとえばＳＩＢ１に含まれ得るスケジューリング情報に基づいて、ＰＤＳＣＨ上で送信されることができる。リソース位置は、ＳＩ−ＲＮＴＩによってスクランブルされた（Ｅ）ＰＤＣＣＨによって示され得る。ＳＩＢ、たとえば  ＳＩＢ２は、ＷＴＲＵがセルおよび／またはネットワークに対してアクセスするおよび／または接続を開始するために使用できる情報を提供することができる。ＳＩＢ、たとえばＳＩＢ２内の情報は、特に、ＰＲＡＣＨおよび／またはＲＡＣＨなどについてのチャネル共通構成、マルチメディアブロードマルチキャストサービス単一周波数ネットワーク（Multimedia Broadcast multicast service Single Frequency Network：ＭＢＳＦＮ）サブフレーム構成、ＵＬ情報のうちの１または複数を含むことができる。
【０１９５】
システム情報（ＳＩ）メッセージに関するスケジューリング情報リストを含むことができるスケジューリング情報が、提供および／または使用され得る。スケジューリング情報リスト、たとえばｓｃｈｅｄｕｌｉｎｇｌｎｆｏＬｉｓｔは、たとえばＳＩＢ１を除いて、ＳＩＢのＳＩメッセージへのマッピングを提供することができる。（たとえば各）ＳＩメッセージは１もしくは複数のＳＩＢを含むことができ、および／または、各ＳＩＢは１つもしくは１つのみのＳＩメッセージに対してマッピングされ得る。ＳＩのスケジューリングは、システム情報の周期性および／またはＳＩ窓長さに基づくことができる。たとえば、同じ周期性を有するＳＩＢ（たとえばＳＩＢのみ）が、同じＳＩメッセージにマッピングされ得る。ＳＩＢ２は、特定のＳＩメッセージに対して、たとえば、スケジューリング情報リスト内のＳＩメッセージのリストの最初のエントリに対応することができるＳＩメッセージなどに対して、マッピングされるまたは常にマッピングされることができる。ｅＮｏｄｅＢは、ＳＩＢを送るための時間および周波数リソースに関するある柔軟性を有することができる。
【０１９６】
他のＳＩＢ情報は、特に、セル再選択情報、ハンドオーバ、マルチメディアブロードキャストマルチキャストサービス（ＭＢＭＳ）、ＷＴＲＵが使用できる緊急および／または警告システム関係情報などに関係付けられ得る。一部のＳＩＢは、セルおよび／またはネットワークの構成に基づいて任意選択であってよく、セルによって送信されなくてよい。
【０１９７】
ＰＲＡＣＨのリンクアダプテーションのための方法および手順が、提供および／または使用され得る。
【０１９８】
ダウンリンク測定値は、基準信号受信電力（ＲＳＲＰ）、経路損失、および／または広帯域チャネル品質インジケータ（ＣＱＩ）のうちの１または複数の測定値を含み得る。ダウンリンク測定値は、ＲＳＲＰの関数として定義される測定値、経路損失の関数として定義される測定値、および／または広帯域ＣＱＩの関数として定義される測定値のうちの１または複数を含み得る。実施形態との整合性を保ちながら、ＲＳＲＰは、別のダウンリンク測定値、特に、経路損失、広帯域ＣＱＩ、ＲＳＲＰの関数として定義される測定値、帯域ＣＱＩの関数として定義される測定値などに置き換えられ得ることが企図されている。
【０１９９】
ＰＲＡＣＨプリアンブルは、たとえばカバレッジを拡張するために、たとえば２つ以上のサブフレームにわたって反復して、送信され得る。ＷＴＲＵは、ＰＲＡＣＨリソースが構成され得る１または複数のサブフレームにおいて、コンテンションベースのランダムアクセスなどのランダムアクセスのために（たとえばＷＴＲＵによって）選択され得る、ＰＲＡＣＨプリアンブルを送信することができる。たとえば、ＷＴＲＵが同じＰＲＡＣＨプリアンブルを（たとえば反復して）送信することができるサブフレームの数は、たとえばＷＴＲＵのカバレッジ拡張（ＣＥ）レベルに応じて異なり得る。たとえば、Ｎ１回の反復が、ＣＥレベル１に対して使用され得る。ＣＥレベル１を選択するように構成され得るまたは選択し得るＷＴＲＵは、コンテンションベースのランダムアクセスなどのランダムアクセスのために選ばれ得るＰＲＡＣＨプリアンブルを、Ｎ１回（たとえばＮ１個のサブフレームで）送信することができ、または送信する必要がある場合があり、ここで、各送信は、Ｎ１個のサブフレームに対応できる関連付けられたＰＲＡＣＨリソースにおけるものであり得る。ＷＴＲＵがＣＥレベル２を選択するように構成され得るまたは選択し得る場合、ＷＴＲＵは、コンテンションベースのランダムアクセスなどのランダムアクセスのために選ばれ得るＰＲＡＣＨプリアンブルを、Ｎ２回（たとえばＮ２個のサブフレームで）送信することができ、または送信する必要がある場合があり、ここで、各送信は、Ｎ２個のサブフレームに対応できる関連付けられたＰＲＡＣＨリソースにおけるものであり得る。ＣＥレベル２がＣＥレベル１より良好なカバレッジ拡張を有する場合、Ｎ２は、Ｎ１より大きい値であり得る。ＣＥレベルおよび／または各ＣＥレベルに対する関連付けられたパラメータは、ＰＲＡＣＨリソース構成、電力制御パラメータ、および／または反復の数のうちの１または複数を含み得るが、これらに限定されることがない。いくつかのＣＥレベル、たとえば、Ｌが３であり得るＬ個またはＬ個までのレベルが存在することができ、またはそれらのレベルをｅＮＢがサポートすることができる。たとえばｅＮＢによってサポートされ得るＣＥレベルの数、ならびに／または１もしくは複数のＣＥレベルおよび／またはＣＥレベルに対する関連付けられたパラメータは、たとえば、ＣＥまたはＣＥモードにおけるＷＴＲＵをサポートすることができるｅＮＢから、ブロードキャストシグナリングなどのシグナリングによって提供され得る。
【０２００】
ＣＥモードは、１または複数のＣＥレベルがサポートおよび／もしくは使用される動作のモードに対応することができ、ならびに／または、カバレッジ拡張技法が、たとえばＷＴＲＵおよび／もしくはｅＮＢによって使用され得る。
【０２０１】
ＣＥモードなどの特定のモードでまたはそのモードのために構成されたＷＴＲＵは、そのモードを使用できる、またはそのモード中であり得ることが企図されている。いくつかの実施形態では、モードで構成されるまたはモードのために構成されるは、モードを使用するまたはモード中であることと交換可能に使用され得る。
【０２０２】
実施形態において、２つ以上のＣＥレベルのためのＰＲＡＣＨリソースが符号領域で多重化されてよく、同じＰＲＡＣＨ時間／周波数リソースが２つ以上のＣＥレベルのために使用されてよい。ある数のＰＲＡＣＨプリアンブル、たとえば、ＮPRACHが、ＣＥモードのために構成されることができ、ＮPRACHプリアンブルは、セル内でサポートされるＣＥレベルの数に対応することができる複数のサブセットへグループ化および／または区分化され得る。時間／周波数は、時間および／もしくは周波数に対応すること、ならびに／または時間および／もしくは周波数を表すために使用されることができる。
【０２０３】
例において、ＮPRACHプリアンブルは、（たとえば、ｅＮＢまたはセルによって）サポートされたＣＥレベルの数にグループ化されることができ、各ＣＥレベルは、いくつか（たとえば同じ数）のＰＲＡＣＨプリアンブルを有することができる。ＣＥレベルの数は、ＮCEなどのパラメータとしてｅＮｏｄｅＢによって提供され得る。ＷＴＲＵは、ＮPRACHおよび／またはＮCEを使用して、各ＣＥレベルに属するプリアンブルを決定または導出することができる。たとえば、各ＣＥレベルにおいて、Ｎｇｒｐ［ＮPRACH／ＮCE］プリアンブルがグループ化され得る。
【０２０４】
ＰＲＡＣＨプリアンブルは、たとえば、昇順でグループ化され得る。ＮPRACHプリアンブルのセット内であり得る最初の（たとえば、最低の数またはインデックス）プリアンブル（たとえば、Ｎｇｒｐプリアンブル）が、最初のＣＥレベル（たとえば、最低の数もしくは構成されたインデックスを有するＣＥレベル、および／または最も小さいもしくは最低のＣＥ）に関連付けられることができる。プリアンブルの次のグループ（たとえば、次のより高い数またはインデックス）（たとえば、Ｎｇｒｐプリアンブル）が、次のＣＥレベル（たとえば、次のより高い数もしくは構成されたインデックスを有するＣＥレベル、および／または次の最も高いＣＥ）に関連付けられることができ、以下同様である。
【０２０５】
ＰＲＡＣＨプリアンブルは、たとえば、降順でグループ化され得る。ＮPRACHプリアンブルのセット内であり得る最高の数またはインデックスのプリアンブル（たとえば、Ｎｇｒｐプリアンブル）が、最初のＣＥレベル（たとえば、最低の数もしくは構成されたインデックスを有するＣＥレベル、および／または最も小さいもしくは最低のＣＥ）に関連付けられることができる。プリアンブルの次のグループ（たとえば、次のより低い数またはインデックス）（たとえば、Ｎｇｒｐプリアンブル）が、次のＣＥレベル（たとえば、次のより高い数もしくは構成されたインデックスを有するＣＥレベル、および／または次の最も高いＣＥ）に関連付けられることができ、以下同様である。
【０２０６】
ＰＲＡＣＨプリアンブルの数がＮCEによって分割可能でない場合、残りは特定のＣＥレベルに属することができる。特定のＣＥレベルが、最初のＣＥレベル（たとえば、最低の数もしくは構成されたインデックスを有するＣＥレベル、および／または最も小さいもしくは最低のＣＥ）であり得る。あるいは、特定のＣＥレベルが、最後のＣＥレベル（たとえば、最高の数もしくは構成されたインデックスを有するＣＥレベル、および／または最も大きいもしくは最高のＣＥ）であり得る。
【０２０７】
別の例では、各ＣＥレベルのＰＲＡＣＨプリアンブルは、たとえば、ブロードキャスティングシグナリングおよび／またはＳＩＢなどを介してｅＮｏｄｅＢによって、（たとえば明示的に）示され得る。ＰＲＡＣＨプリアンブルリストは、各ＣＥレベルについて提供されることができ、それは、各ＣＥレベルの特定のプリアンブルを識別することができる。
【０２０８】
開始（または最初の）ＰＲＡＣＨプリアンブル（またはプリアンブルインデックスもしくは標識）およびいくつかのプリアンブルが、各ＣＥレベルについて（たとえば両方とも）提供されることができ、ＣＥレベルに対するプリアンブルは連続的であることができる。
【０２０９】
開始（または最初の）ＰＲＡＣＨプリアンブル（またはプリアンブルインデックスもしくは標識）が、提供されることができ、各ＣＥレベルについていくつかのプリアンブルが提供されることができる。各ＣＥレベルについてのプリアンブルは連続的であることができ、異なるＣＥレベルについてのプリアンブルのグループは隣接することができる。ＷＴＲＵは、提供された開始（または最初の）プリアンブルでどのレベルが開始するかの知識を有することができ、最初のＣＥレベルでのプリアンブルの数を使用して、第２のＣＥレベルの開始（または最初の）ＰＲＡＣＨプリアンブルを決定することができる。ＷＴＲＵは、開始プリアンブル、グループの数、および各グループ内のプリアンブルの数から、各グループ内のプリアンブルを決定することができる。各グループ内のプリアンブルの数が同じ場合、ＣＥレベルごとの１つの値の代わりに、１つの値がプリアンブルの数を表すために使用され得る。各グループ内のプリアンブルの数が同じであり、ＷＴＲＵに知られている場合（たとえば固定された知られた値）、各グループ内のプリアンブルの数は提供されなくてよく、たとえば、開始（または最初の）ＰＲＡＣＨプリアンブル（またはプリアンブル標識）のみがｅＮｏｄｅＢによって提供され得る。
【０２１０】
実施形態において、ＰＲＡＣＨプリアンブル送信のための開始サブフレームは、各ＣＥレベルについて別々に構成される、および／またはＣＥレベルに応じて異なることができる。各ＣＥレベルは、たとえばそれぞれ、ＰＲＡＣＨプリアンブルが送信され得る（またはされる必要があり得る）、特定のＰＲＡＣＨ時間窓を有することができる。図３は、ＣＥレベルに応じたＰＲＡＣＨ送信時間窓の例を示す。図３の例では、ＣＥレベル１窓は、４つのＰＲＡＣＨリソースを含むことができ、したがって、ＣＥレベル１に属しているＰＲＡＣＨプリアンブルは、この窓において４回送信されることができ（またはされる必要があり得）、たとえば、Ｎ１＝４である。ＣＥレベル２窓は、ＣＥレベル１よりも２倍大きいことが可能な８つのＰＲＡＣＨリソースを含むことができ、たとえば、Ｎ２＝８である。図３の例では、ＣＥレベルに対する時間窓は重複され得る。
【０２１１】
ＷＴＲＵは、特定のＣＥレベルを選択するまたは特定のＣＥレベルで構成されることができ、ＰＲＡＣＨリソース（たとえば、選択された時間／周波数リソース）でのＣＥレベルに関連付けられ得るＰＲＡＣＨプリアンブルのセットに属するＰＲＡＣＨプリアンブルを送信することができる。ＰＲＡＣＨプリアンブルは、ＰＲＡＣＨ窓内の最初のＰＲＡＣＨリソースにおいて送信されることができ、ＰＲＡＣＨ窓内の他のＰＲＡＣＨリソースにおいて反復して送信されることができる。
【０２１２】
（いくつかの連続的サブフレームであり得る、またはそのように呼ばれ得る）ＰＲＡＣＨ窓は、（ＰＲＡＣＨサブフレーム構成と呼ばれ得る）ＰＲＡＣＨリソース構成、および／または特定のＣＥレベルについてのＰＲＡＣＨプリアンブル送信の反復の数もしくはＰＲＡＣＨプリアンブル送信に関連付けられた数の関数であり得る（または関数として定義され得る）。ＣＥレベルに関連付けられたＰＲＡＣＨ窓内で、ＣＥレベルに属することができるＰＲＡＣＨプリアンブルが、窓内のＣＥレベルのために構成されたＰＲＡＣＨリソースのうちの１または複数（たとえばすべて）において送信され得るまたは送信される必要があり得る。
【０２１３】
１または複数のＣＥレベルについてのＰＲＡＣＨ窓は、時間的に重複され得る。たとえば、図３に示されるように、ＣＥレベル２ＰＲＡＣＨ窓は、１または複数のＣＥレベル１ＰＲＡＣＨ窓と重複され得る。ＰＲＡＣＨリソース（たとえば時間および／または周波数リソース）は、２つ以上のＣＥレベルで共有されることができ、互いに排他的なＰＲＡＣＨプリアンブル（または重複されないＰＲＡＣＨプリアンブルセット）が、たとえば、この場合および他の場合に、同じＰＲＡＣＨリソースにおける１または複数のＣＥレベルを多重化するように使用され得る。たとえば、ＣＥレベル１に関連付けられたＰＲＡＣＨプリアンブルグループ（たとえば、ＰＲＡＣＨプリアンブルインデックス０からＮ）に属することができるＰＲＡＣＨプリアンブルは、たとえば、ＰＲＡＣＨリソースを含む４つのサブフレームにわたって反復して、送信されることができる。ＣＥレベル２に関連付けられたＰＲＡＣＨプリアンブルグループ（たとえば、ＰＲＡＣＨプリアンブルインデックスＮ＋１からＭ）に属する別のＰＲＡＣＨプリアンブルは、ＰＲＡＣＨリソースを含む８つのサブフレームにわたって反復して送信されることができ、これらのＰＲＡＣＨリソース（たとえば、時間および／または周波数リソース）は、ＣＥレベル１およびＣＥレベル２によって共有されることができる。ＰＲＡＣＨリソース（たとえば、時間および／または周波数リソース）は、複数のＣＥレベルにおいて重複されなくてよい。たとえば、ＣＥレベル１のためのＰＲＡＣＨリソースは、他のＣＥレベルのために使用されなくてよい。１または複数（たとえばすべて）のＰＲＡＣＨプリアンブルは、たとえば、複数（たとえばすべて）のＣＥレベルのためのＰＲＡＣＨリソースが重複されることがないとき、それら複数のＣＥレベルに対して同じであってよい。
【０２１４】
ＣＥレベルのためのＰＲＡＣＨ窓は、サブフレームのサブセットに配置され得る。たとえば、ＣＥレベル１のためのＰＲＡＣＨ窓は、偶数番号が付けられた無線フレームに（たとえば、それのみに）配置されてよく、ＣＥレベル２のためのＰＲＡＣＨ窓は、奇数番号が付けられた無線フレームに（たとえば、それのみに）配置されてよい。
【０２１５】
別の実施形態では、２つ以上のＣＥレベルのためのＰＲＡＣＨリソースが、重複されていないまたは部分的に重複された時間／周波数リソースにおいて多重化され得る。たとえば、ＣＥレベル１およびＣＥレベル２などのＣＥレベルのためのＰＲＡＣＨリソースが、１または複数の互いに異なるサブフレームおよび／もしくは異なる周波数帯（たとえば、異なるＲＢ）、ならびに／または非ＣＥ動作に使用され得るＰＲＡＣＨリソース（たとえば、レガシＰＲＡＣＨリソース）に配置され得る。図４および図５は、２つ以上のＣＥレベルのためのＰＲＡＣＨリソースの時間および／または周波数領域多重化の例を示す。
【０２１６】
時間および／または周波数ＰＲＡＣＨリソースのセットが、ＣＥモード（たとえば、１または複数のＣＥレベル）のために構成されることができ、ＣＥモードのためのＰＲＡＣＨリソースは、通常モード（たとえば非ＣＥモード）に使用され得るおよび／またはＰＲＡＣＨ反復無しに使用され得るＰＲＡＣＨ（たとえばレガシＰＲＡＣＨ）リソースとは（時間および／または周波数で）重複されることがない。
【０２１７】
ＣＥモードのためのＰＲＡＣＨリソースは、通常（たとえば非ＣＥ）モードのためのＰＲＡＣＨリソースと重複されることがない周波数帯（たとえばＲＢ）に配置され得る。
【０２１８】
ＣＥモードのためのＰＲＡＣＨリソースは、ＣＥモードのために使用され得るＰＲＡＣＨリソースとは異なる周波数帯（たとえばＲＢ）における他の（たとえばレガシ）ＰＲＡＣＨリソースを含むサブフレームにあってよい。ＣＥモードのための周波数位置は、たとえば周波数ダイバーシチ利得を得るために、時間と共に変化され得る。たとえば、周波数ホッピングパターンが、ＣＥモードのためのＰＲＡＣＨリソースに対して定義されると共に、通常モードのための周波数位置が固定されまたは準静的であり得る。
【０２１９】
非ＣＥ（たとえばレガシ）動作に使用され得るプリアンブルのセットは、たとえば、ＣＥモードでのＰＲＡＣＨのための時間および／または周波数リソースが、非ＣＥモードでのＰＲＡＣＨ（たとえばレガシＰＲＡＣＨ）のための時間および／または周波数リソースと重複されないときに、ＣＥモードのために再使用され得る。
【０２２０】
図４は、通常モードとＣＥモードとの間のＰＲＡＣＨリソース周波数周波数分割多重化の例を示す。
【０２２１】
ＰＲＡＣＨ時間および／または周波数リソースのセットが、ＣＥモードのために構成され得る。ＰＲＡＣＨリソースは、通常モードに使用されることができおよび／またはＰＲＡＣＨ反復を使用もしくはサポートすることがないＰＲＡＣＨリソース（たとえば、レガシＰＲＡＣＨリソース）と共有され得る。ＰＲＡＣＨプリアンブルは、通常モードおよびＣＥモードに対して区分化され得る。たとえば、Ｍ（たとえば６４）個のＰＲＡＣＨプリアンブルが通常モードとＣＥモードの両方のために構成される（または利用可能である）ことができ、最初のＮ個のプリアンブルが通常モードのために使用されることができ、次のＰ（Ｐ≦Ｍ−Ｎ）個のプリアンブルがＣＥモードのために使用されることができる。これは、ＰＲＡＣＨリソースが通常およびＣＥ用に共有され得るときに適用可能であり得る。別の例では、Ｍ（たとえば６４）個のＰＲＡＣＨプリアンブルが通常モードとＣＥモードの両方のために構成される（または利用可能である）ことができ、最初のＮ個のプリアンブルが通常モードのために（たとえば、コンテンションベースのＲＡのために）使用されることができ、次のＰ（Ｐ≦Ｍ−Ｎ）個のプリアンブルがＣＥモードのために（たとえば、コンテンションベースのＲＡのために）使用されることができる。次のＱ（Ｑ＝Ｍ−Ｎ−ＰまたはＱ≦Ｍ−Ｎ−Ｐ）個のプリアンブルは、通常またはＣＥモードでの非コンテンションベースのＲＡのために使用されることができ、モードは、たとえばＷＴＲＵが動作中であり得るモードに基づいて、プリアンブルが割り当てられたＷＴＲＵに依存することができる。これは、ＰＲＡＣＨリソースが通常およびＣＥ用に共有され得るときに適用可能であり得る。図５は、通常モードとＣＥモードとの間のＰＲＡＣＨリソース符号分割多重化（ＣＤＭ）の例を示す。
【０２２２】
ＰＲＡＣＨ送信に対するＣＥレベル決定のための手段が、提供および／または使用され得る。
【０２２３】
２つ以上のＣＥレベルがＰＲＡＣＨ送信のために使用されることができ、各ＣＥレベルは、時間／周波数リソースおよびＰＲＡＣＨプリアンブルを含むことができる１または複数のＰＲＡＣＨリソースに関連付けられ得る。ＣＥレベルに関連付けられたＰＲＡＣＨリソースは、（たとえば、時間および／または周波数および／またはプリアンブルのうちの少なくとも１つにおいて）重複されることがない。ＷＴＲＵは、決定および／または構成されたＣＥレベルに基づいて、ＰＲＡＣＨ送信のための関連付けられたＰＲＡＣＨリソースを決定できる。
【０２２４】
実施形態において、ＷＴＲＵは、ダウンリンク測定値の関数として、ＣＥレベル（または開始ＣＥレベル）を決定することができる。ＣＥレベルは、たとえば、現在のＣＥレベルでのＰＲＡＣＨプリアンブル再送信（または試行）に基づいて、たとえば、ＷＴＲＵによって、後続のＰＲＡＣＨプリアンブル送信においてまたはそのために、変更され得る。
【０２２５】
ＷＴＲＵは、ダウンリンク測定値からセルにおいてサポートされる複数のＣＥレベルの範囲でＣＥレベル（または開始ＣＥレベル）を決定することができる。たとえば、ＲＳＲＰ測定結果がｘ  ｄＢである場合、ＷＴＲＵは、ｘ  ｄＢに基づいてＣＥレベルを選択することができる。
【０２２６】
ＲＳＲＰ値またはＲＳＲＰ値の範囲とＣＬレベルとの間のマッピング規則が使用され得る。たとえば、ＲＳＲＰ測定結果が特定のＣＥレベル上にマッピングされる参照テーブルが使用され得る。ＷＴＲＵが、ＲＳＲＰを測定し、マッピング規則（たとえば参照テーブル）を使用することでＣＥレベルを決定することができる。マッピング規則から選択されたＣＥレベルがセル内でサポートされない場合、より高いＣＥレベルが代わりに選択されてよく、より高いＣＥレベルは、より大きい反復数を有することができる。マッピングは、ＷＴＲＵ実装、および／または、たとえばブロードキャストシグナリングなどのシグナリングを介してｅＮＢによって提供され得る構成の関数とすることができる。
【０２２７】
ＣＥレベルは、ＷＴＲＵが使用することができる反復の数に基づいて決定されることができ、反復の数は、たとえばＰＲＡＣＨ送信のために、最大アップリンク送信電力が使用され得るという仮定に基づいて決定され得る。たとえば、ＷＴＲＵは、たとえばダウンリンク測定値に基づいて、十分なＣＥを提供できる１または複数のＣＥレベルを（たとえば最初に）推定または決定することができる。ＷＴＲＵは、最大アップリンク送信電力が使用されることが仮定され得る十分なＣＥを提供できるＣＥレベル内の反復の最小（または最低）の数を有するＣＥレベル（または開始ＣＥレベル）を決定することができる。最大アップリンク送信電力は、公称最大送信電力（たとえば、ＰEMAX、Ｐpowerciass、ＰCMAX_L、もしくはＰCMAX_H）、またはＰEMAX、Ｐpowerciass、ＰCMAX_L、およびＰCMAX_Hのうちの１もしくは複数の組み合わせであり得る。あるいは、最大アップリンク送信電力は、特定のサブフレームｉ、たとえば、ＰＲＡＣＨがＷＴＲＵによって送信されるサブフレームに対するＰCMAX,c（ｉ）であり得る。
【０２２８】
ＣＥモードにおけるＰＲＡＣＨ電力、ＰPRACHは、最大アップリンク送信電力（たとえばＰCMAX,c（ｉ））として決定されることができ、通常モードにおけるＰPRACHは、（たとえば、方程式３に示されるように）ＰCMAX,c（ｉ）、ＰＲＥＡＭＢＬＥ＿ＲＥＣＥＩＶＥＤ＿ＴＡＲＧＥＴ＿ＰＯＷＥＲ、経路損失のうちの１または複数の関数として決定されることができる。あるいは、ＣＥモードにおけるＰPRACHは、ＰCMAX,c（ｉ）、経路損失（ＰＬ）、ＮOFFSET、およびＰＲＥＡＭＢＬＥ＿ＲＥＣＥＩＶＥＤ＿ＴＡＲＧＥＴ＿ＰＯＷＥＲのうちの１または複数の関数として決定されることができ、ＮOFFSETは、ＣＥレベル、ＰＲＡＣＨフォーマット、および／またはたとえばＣＥレベルのための反復の数のうちの少なくとも１つの関数として決定されることができる。
【０２２９】
ＣＥモードのためのアップリンク送信電力ＰPRACHは、ＰPRACH＝ｍｉｎ｛ＰCMAX,c（ｉ），ＰＲＥＡＭＢＬＥ＿ＲＥＣＥＩＶＥＤ＿ＴＡＲＧＥＴ＿ＰＯＷＥＲ＋ＰＬ＋ＮOFFSET｝として決定されることができ、ＮOFFSETは、ＣＥレベルおよび／またはたとえばＣＥレベルのための反復の数の関数として決定されることができる。ＰＲＥＡＭＢＬＥ＿ＲＥＣＥＩＶＥＤ＿ＴＡＲＧＥＴ＿ＰＯＷＥＲは、ＣＥレベルおよび／またはたとえばＣＥレベルのための反復の数の関数として決定されることができる。
【０２３０】
ＰＲＥＡＭＢＬＥ＿ＲＥＣＥＩＶＥＤ＿ＴＡＲＧＥＴ＿ＰＯＷＥＲは、ＣＥレベルの関数として決定されてもよい。たとえば、ＰＲＥＡＭＢＬＥ＿ＲＥＣＥＩＶＥＤ＿ＴＡＲＧＥＴ＿ＰＯＷＥＲ＝ｐｒｅａｍｂｌｅｌｎｉｔｉａｌＲｅｃｅｉｖｅｄＴａｒｇｅｔＰｏｗｅｒ＋ＤＥＬＴＡ＿ＰＲＥＡＭＢＬＥ＋ＤＥＬＴＡ＿ＯＦＦＳＥＴ＋（ＰＲＥＡＭＢＬＥ＿ＴＲＡＮＳＭＩＳＳＩＯＮ＿ＣＯＵＮＴＥＲ−１）＊ｐｏｗｅｒＲａｍｐｉｎｇＳｔｅｐであり、ＤＥＬＴＡ＿ＯＦＦＳＥＴは、ＣＥレベル、および／またはたとえばＣＥレベルのための反復の数、および／またはより高い層のシグナリングを介して提供され得る構成の関数であり得る。
【０２３１】
ＣＥレベルは、１もしくは複数の新しいＰＲＡＣＨプリアンブルフォーマットとして定義され、または１もしくは複数の新しいＰＲＡＣＨプリアンブルフォーマットに関連付けられることができ、ＤＥＬＴＡ＿ＰＲＥＡＭＢＬＥは、ＰＲＡＣＨプリアンブルフォーマットの関数として決定されることができる。たとえば、ＣＥレベル１は、ＰＲＡＣＨプリアンブルフォーマット５として定義され、またはそれに関連付けられることができ、ＣＥレベル２は、ＰＲＡＣＨプリアンブルフォーマット６として定義され、またはそれに関連付けられることができる。ＤＥＬＴＡ＿ＰＲＥＡＭＢＬＥは、新しいＰＲＡＣＨプリアンブルフォーマットについて、たとえば、反復の数の関数として定義されることができる。ＰＲＥＡＭＢＬＥ＿ＲＥＣＥＩＶＥＤ＿ＴＡＲＧＥＴ＿ＰＯＷＥＲは、ＰＲＥＡＭＢＬＥ＿ＲＥＣＥＩＶＥＤ＿ＴＡＲＧＥＴ＿ＰＯＷＥＲ＝ｐｒｅａｍｂｌｅｌｎｉｔｉａｌＲｅｃｅｉｖｅｄＴａｒｇｅｔＰｏｗｅｒ＋ＤＥＬＴＡ＿ＰＲＥＡＭＢＬＥ＋（ＰＲＥＡＭＢＬＥ＿ＴＲＡＮＳＭＩＳＳＩＯＮ＿ＣＯＵＮＴＥＲ−１）＊ｐｏｗｅｒＲａｍｐｉｎｇＳｔｅｐに従って決定されることができる。
【０２３２】
ＣＥモードのためのアップリンク送信電力ＰPRACHは、ＰPRACH＝ｍｉｎ｛ＰCMAX,c（ｉ），ＰＲＥＡＭＢＬＥ＿ＲＥＣＥＩＶＥＤ＿ＴＡＲＧＥＴ＿ＰＯＷＥＲ＋ＰＬ｝として決定されることができ、ここで、ＰＲＥＡＭＢＬＥ＿ＲＥＣＥＩＶＥＤ＿ＴＡＲＧＥＴ＿ＰＯＷＥＲは、ＣＥモード固有またはＣＥレベル固有であり得る。
【０２３３】
最大アップリンク送信電力（たとえばＰCMAX,c（ｉ））は、ＣＥレベルのサブセットについて使用されることができ、他のＣＥレベルにおけるアップリンク送信電力は、ＰCMAX,c（ｉ）、経路損失、ＣＥレベルのために使用され得る反復の数、およびＰＲＥＡＭＢＬＥ＿ＲＥＣＥＩＶＥＤ＿ＴＡＲＧＥＴ＿ＰＯＷＥＲのうちの少なくとも１つの関数として決定され得る。
【０２３４】
最大アップリンク送信電力は、ＣＥレベル選択に対して仮定され得る一方、ＰＲＡＣＨプリアンブル送信のための実際のアップリンク送信電力は、たとえば、非ＣＥモードおよび／またはレガシＰＲＡＣＨ送信のために使用され得る方程式３など（番号が付けられているかどうかを問わず）本明細書に説明されている方程式のいずれかに従って計算され得る。ＣＥレベル選択に対する最大アップリンク送信電力は、公称最大アップリンク送信電力（たとえば、ＰEMAX、Ｐpowerciass、ＰCMAX_L、もしくはＰCMAX_H）、または特定のサブフレームに対して決定される実際の最大アップリンク送信電力（たとえばＰCMAX,c（ｉ））であり得る。
【０２３５】
ＷＴＲＵは、たとえばＣＥレベルと共に使用するために必要とされる、使用される、および／または十分であることが可能な、反復の数を計算または決定することができる。ＷＴＲＵは、たとえば、ＰＲＡＣＨ送信用であり得るＣＥレベル（たとえば開始ＣＥレベル）をＷＴＲＵが決定できるときに、反復の数を計算または決定することができる。反復の数を計算するために、ＷＴＲＵは、最大送信電力（たとえば、公称最大アップリンク送信電力または実際の最大アップリンク送信電力）が使用され得ることを仮定することができる。ＷＴＲＵは、セル内のサポートされた反復の数に含まれ得る反復の数（たとえば、十分であり得る数または反復以上の最も近い数）を決定することができ、その反復の数を使用することができる。
【０２３６】
ＷＴＲＵは、たとえば、ＷＴＲＵの計算または決定された反復の数がセル内で利用可能でないまたはサポートされない場合、ＷＴＲＵによって必要または十分であると決定された反復の数以上であり得るセル内でサポートされる最小の反復の数を決定することができる。
【０２３７】
たとえば、反復数｛５、１０、２０｝がセル内でサポートされることができ、反復数がＣＥレベル｛１、２、３｝に関連付けられることができる。最大送信電力に基づいて（たとえば、必要とされるまたは十分であると）計算された反復の数が、セル内でサポートされる反復数のうちでない場合、計算された反復数よりも大きいセル内でサポートされる反復数が選択されることができ、最大送信電力でない選択された反復数に基づいて、送信電力が調整されることができる。
【０２３８】
ＣＥレベルの決定は、非ＣＥモードおよび／またはレガシＰＲＡＣＨのために使用され得る本明細書に説明されている方程式のいずれか（たとえば方程式３）を使用して計算または決定され得る、ＰＲＡＣＨプリアンブル送信のためのアップリンク送信電力に基づくことができる。
【０２３９】
ＣＥレベルの決定は、計算された電力が最大電力を超えることができる量を少なくとも達成できる（たとえば、達成するための十分な利得を提供できる）反復の数に基づくことができる。
【０２４０】
計算されたＰＲＡＣＨ電力が最大電力を超える差分電力ＰEは、たとえば、ＰPRACH_REQ＞ＰMAXである場合、ＰE＝ＰPRACH_REQ−ＰMAXとして計算されることができ、ここで、ＰMAXは、最大電力（たとえば公称最大アップリンク送信電力）とすることができ、ＰPRACH_REQは、ＰＲＥＡＭＢＬＥ＿ＲＥＣＥＩＶＥＤ＿ＴＡＲＧＥＴ＿ＰＯＷＥＲ＋経路損失として決定され得る、反復無しのＰＲＡＣＨに対して必要とされるまたは計算される送信電力とすることができる。特定のＰEについての反復の数は、たとえば、１０ｌｏｇ１０（反復の数）＝ＰEとして計算され得る。計算された反復の数が整数でない場合、計算された反復の数よりも大きい最も近い整数が選択および／または使用され得る。
【０２４１】
実施形態において、ＷＴＲＵは、ダウンリンク測定結果に関係なく（たとえば、最小の量の反復を使用し得る）最低のＣＥレベルとして開始ＣＥレベルを決定することができる。たとえば、ＷＴＲＵは、ダウンリンク測定値に基づいてアップリンク送信電力を決定することができ、ＰＲＡＣＨプリアンブル送信のために最低のＣＥレベルを使用することができる。ＷＴＲＵは、送信電力を決定するときに最低のＣＥレベルを使用（または仮定）することができる。別の例では、ＷＴＲＵは、ＰＲＡＣＨプリアンブル送信のために最低のＣＥレベルで最大アップリンク送信電力を送信することができる。
【０２４２】
別の実施形態では、ＰＲＡＣＨプリアンブルのためのアップリンク送信電力は、反復の数の関数として定義、計算、および／または決定され得る。例において、ＣＥレベル固有電力オフセットが、ＰＲＡＣＨプリアンブル反復の数に応じて使用され得る。たとえば、オフセットは、１０ｌｏｇ１０（反復の数）、または１０ｌｏｇ１０（反復の数）によって乗算されたスケール係数を差し引くことであり得る。別の例では、アップリンク送信電力は、ＣＥレベル固有スカラー（たとえばα）によってスケーリングされ得る。スカラーは、ＣＥレベルに応じて予め定義され、またはより高い層のシグナリングによって構成され得る。
【０２４３】
実施形態において、ＷＴＲＵは、ＰＲＡＣＨ送信などの送信のための動作のモードを決定することができる。通常モード動作またはＣＥモード動作（および／またはＣＥレベル）の選択であり得るまたはそれらを含み得る決定は、それからまたはその上でＷＴＲＵがＭＩＢを受信した（または受信する）１または複数のチャネルに基づくことができる。たとえば、ＷＴＲＵがレガシＰＢＣＨ（たとえばレガシＰＢＣＨのみ）からＭＩＢを受信した（または受信する）場合、ＷＴＲＵは、通常モード動作でＰＲＡＣＨプリアンブルを送信することができる（または送信を開始することができる）。ＷＴＲＵがカバレッジ拡張されたＰＢＣＨ（ＣＥ  ＰＢＣＨ）からＭＩＢを受信した（または受信する）場合、ＷＴＲＵは、ＣＥモード動作でＰＲＡＣＨプリアンブルを送信することができる（または送信を開始することができる）。レガシＰＢＣＨは、無線フレーム内の反復無しのＰＢＣＨであり得る。ＣＥ  ＰＢＣＨは、無線フレーム内の反復を有するＰＢＣＨであり得る。ＣＥ  ＰＢＣＨでは、無線フレーム内にＰＢＣＨを含む２つ以上のサブフレーム（または送信）があり得る。レガシＰＢＣＨでは、無線フレームごとにＰＢＣＨを含む１つ（たとえば１つのみ）のサブフレームがあり得る。無線フレームにおいてサブフレームの１つで送信され得るレガシＰＢＣＨは、たとえば、ＣＥ  ＰＢＣＨがレガシＰＢＣＨと同じ（たとえば、その反復）であり得る場合、ＣＥ  ＰＢＣＨのための反復のうちの１つとして含まれまたはみなされ得る。ＷＴＲＵが、（たとえば、レガシ送信以外の）無線フレームにおけるＰＢＣＨの反復のうちの少なくとも１つを使用して、ＰＢＣＨからＭＩＢを受信する（たとえば、成功裏に受信した）場合、ＷＴＲＵは、動作のＣＥモードを使用してＰＲＡＣＨプリアンブルを送信することができる。ＷＴＲＵが、無線フレームにおけるＰＢＣＨの反復を全く使用せずにＰＢＣＨからＭＩＢを受信する（たとえば、成功裏に受信した）場合、ＷＴＲＵは、動作の通常モードを使用してＰＲＡＣＨプリアンブルを送信することができる。ＷＴＲＵは、ダウンリンク測定値と、ＷＴＲＵがＭＩＢを受信できる（または受信していることがあり得る）チャネル（たとえば、レガシＰＢＣＨまたはＣＥ  ＰＢＣＨ）と、初期同期および／またはＭＩＢ獲得に必要とされ得るおよび／または使用され得る時間とのうちの少なくとも１または複数に基づいて、ＰＲＡＣＨ送信のための動作のモードを決定することができる。ＣＥ  ＰＢＣＨの場合、ＰＢＣＨの各反復がＰＢＣＨと呼ばれてよい。
【０２４４】
ＷＴＲＵは、それがＭＩＢを成功裏に受信するために必要とするまたは使用し得る（たとえば、ＭＩＢのＴＴＩ内のフレームなどのフレームおよび／またはセットのフレームにおける）ＰＢＣＨ反復の数に少なくとも基づいて、ＣＥレベルを決定することができる。
【０２４５】
別の実施形態では、ＷＴＲＵは、ＲＡＣＨ  ＣＥ決定をすることができ、それは、（たとえばＲＡ手順のために）ＣＥモードを使用するかそれとも通常モードを使用するか、（たとえばＲＡ手順のための）ＣＥレベルおよび／またはＰＲＡＣＨ反復レベル、時間（たとえばサブフレーム）および／または周波数のＰＲＡＣＨリソース、ならびにＣＥモードＲＡＣＨ手順のためのＰＲＡＣＨプリアンブルインデックスのうちの少なくとも１つを決定することを含むことができる。ＷＴＲＵは、少なくとも測定を行うおよび／または使用して、ＲＡＣＨ  ＣＥ決定を行うことができる。ＷＴＲＵは、たとえばｅＮＢから、少なくとも情報を受信および／または使用して、ＲＡＣＨ  ＣＥ決定を行うことができる。
【０２４６】
ＷＴＲＵは、同期信号、たとえば、ＰＳＳおよび／またはＳＳＳの受信された信号強度を使用して、ＲＡＣＨ  ＣＥ決定を行うことができる。
【０２４７】
ＷＴＲＵは、時間内に累積された（またはそれが累積し得る）ＰＳＳおよび／またはＳＳＳの数を使用して、ＲＡＣＨ  ＣＥ決定を行うことができる。たとえば、ＷＴＲＵは、ＷＴＲＵがＰＳＳおよび／またはＳＳＳを適切に獲得するために必要とするまたは使用し得る時間または総時間にわたるサブフレームの数を（たとえば、カウントするまたは他の形式で追跡することによって）決定することができ、その数または時間を使用してＲＡＣＨ  ＣＥ決定を行うことができる。
【０２４８】
ＷＴＲＵは、ＲＡＣＨ  ＣＥ（たとえば、ＲＡＣＨ  ＣＥモードおよび／またはレベル）決定を行うために、ＰＢＣＨに含まれ得るＰＢＣＨおよび／またはＭＩＢを正しく受信および／または復号するために時間内に累積された（またはそれが累積し得る）反復の数を使用することができる。たとえば、ＷＴＲＵは、ＰＢＣＨおよび／またはＭＩＢを適切に復号するためにＭＩＢ  ＴＴＩ（たとえば、４０ｍｓサイクル）で必要とするまたは使用し得るＰＢＣＨの数を（たとえば、カウントするまたは他の形式で追跡することによって）決定することができる。ＰＢＣＨ復号方法を「試み続ける」（たとえば、ＷＴＲＵがＰＢＣＨを成功裏に復号するためにＭＩＢ  ＴＴＩの複数の期間にわたって試み続けることができる）際に、ＷＴＲＵは、それがＰＢＣＨを適切に復号するために必要とするまたは使用し得るＭＩＢ  ＴＴＩ（たとえば４０ｍｓ）ＰＢＣＨサイクルの数を（たとえば、カウントするまたは他の形式で追跡することによって）決定することができ、その数または時間を使用してＲＡＣＨ  ＣＥ（たとえば、ＲＡＣＨ  ＣＥモードおよび／またはレベル）決定を行うことができる。
【０２４９】
ＷＴＲＵは、たとえば、カバレッジ拡張のための反復バースト（burst）が必要とされおよび／または使用され得るかどうかに関わらず、ＰＢＣＨおよび／または（ＰＢＣＨに含まれ得る）ＭＩＢが正しく受信および／または復号され得る手段を使用して、ＲＡＣＨ  ＣＥ決定を行うことができる。たとえば、ＷＴＲＵは、カバレッジ拡張のために反復バーストを用いてＰＢＣＨが復号され得る場合、および／または、無線フレームごとに１つ（たとえば１つのみ）ＰＢＣＨを含むことができる通常反復サイクル（たとえば、４０ｍｍ反復サイクル）中にＷＴＲＵが適切にＰＢＣＨを復号できていなかった場合、ＲＡＣＨ手順のためにＣＥモードで動作することを決定することができる。
【０２５０】
ＷＴＲＵは、それが、たとえば特定のＳＩＢ時間窓および／またはスケジューリングを用いて、ｅＮｏｄｅＢによって送信され得るＳＩＢまたはカバレッジ拡張固有ＳＩＢを正しく受信および／または符号するために必要とし得る反復の数を使用して、ＲＡＣＨ  ＣＥ決定を行うことができる。たとえば、ＷＴＲＵは、１または複数のスケジューリングされたＳＩＢ時間窓でＳＩＢを適切に復号するためにＷＴＲＵによって使用され得るＳＩＢの反復の数を（たとえば、カウントするまたは他の形式で追跡することによって）決定して、ＲＡＣＨ  ＣＥ（たとえば、ＲＡＣＨ  ＣＥモードおよび／またはレベル）決定を行うことができる。
【０２５１】
ＷＴＲＵは、特定のセルまたは隣接セルによって最後にサービングされたときにそれが使用したＣＥモードおよび／またはレベルに関する情報を使用して、ＲＡＣＨ  ＣＥ（たとえば、ＲＡＣＨ  ＣＥモードおよび／またはレベル）決定を行うことができる。たとえば、ＷＴＲＵは、特定のセルのためのＣＥモードおよび／またはレベル使用に関する情報を記憶することができ、ＷＴＲＵが別の（たとえば後の）時間にそのセルを選択できる場合にＣＥモードおよび／またはレベルを決定するためにその情報を使用することができる。
【０２５２】
ＷＴＲＵは、たとえば接続されたモードからアイドルモードへその移行中に、現在のサービングセルおよび／または別の（たとえば隣接）セルなどの１または複数のセルについて、たとえばＲＲＣ接続解放メッセージにおいて、ＣＥモードおよび／またはＣＥレベルを受信することができる。ＣＥモードおよび／またはＣＥレベルは、たとえば、アイドルモードに留まるために、それが同じセルまたは別のセルを選択したときに、ＷＴＲＵによって使用され得るまたは使用されることが意図され得る。ＷＴＲＵは、接続確立手順失敗（たとえば拒否）の際にＣＥモードおよび／またはレベル情報を受信することができる。ＷＴＲＵは、同じセルまたは別のセルにおける接続確立の再試行のためにまたはその間に情報を使用することができる。
【０２５３】
ＰＲＡＣＨ試行は、初期ＰＲＡＣＨプリアンブルを含むことができるＰＲＡＣＨプリアンブル送信のセットを指すことができ、初期ＰＲＡＣＨプリアンブルは、ＷＴＲＵがたとえばｅＮｏｄｅＢからの対応するＲＡＲに関する監視および／または復号を試みることができる前に、ＣＥモードＰＲＡＣＨ手順のために定義され得る特定のサブフレームにおけるプリアンブル反復によって後続され得る。ＰＲＡＣＨプリアンブル再送信または再試行は、失敗されたＰＲＡＣＨ手順に後続し得るＰＲＡＣＨプリアンブル再送信および後続のプリアンブル反復を指すことができる。
【０２５４】
ＰＲＡＣＨ電力ランピングが提供および／または使用され得る。
【０２５５】
実施形態において、ＷＴＲＵは、ＣＥモード動作のためのＰＲＡＣＨ手順のために、独立した電力ランピングを適用することができる。ＷＴＲＵは、通常モード動作とは異なり得るＣＥモード動作のためのＰＲＡＣＨ用の独立した電力ランピングパラメータを、ｅＮｏｄｅＢから受信することができる。たとえば、ＣＥモード固有電力ランピングパラメータが、たとえばｅＮｏｄｅＢによって、ＳＩＢ２またはカバレッジ拡張された（ＣＥ）−ＳＩＢなどのＳＩＢにおいてブロードキャストされ得る。ＷＴＲＵは、ＣＥモードに固有であり得る、ＣＥモードのための１または複数の電力制御および／または電力ランピング関係パラメータを受信することができる。
【０２５６】
ＷＴＲＵは、１または複数のＰＲＡＣＨ電力制御（たとえば開ループ電力制御）パラメータ、たとえば、初期電力値（たとえばｐｒｅａｍｂｌｅＩｎｉｔｉａｌＲｅｃｅｉｖｅｄＴａｒｇｅｔＰｏｗｅｒ）、電力ランピング値またはステップ（たとえばｐｏｗｅｒＲａｍｐｉｎｇＳｔｅｐ）、および／またはＣＥモードＰＲＡＣＨプリアンブル送信に固有であり得るランピング試行の数（たとえばＰｒｅａｍｂｌｅＴｒａｎｓＭａｘ）などを受信することができる。たとえば、ＣＥモードＲＡＣＨを実行し得るＷＴＲＵが、単一ＲＡＣＨプリアンブル送信試行においてＰＲＡＣＨプリアンブルの各反復に対してＣＥ電力ランピング値を適用することができる。ＷＴＲＵは、反復ごとに同じ電力（たとえば、ランピングステップによって増分しない）を維持することができ、または反復ごとに（もしくは反復のグループごとに）電力をランピングする（たとえば、ランピングステップによって増分する）ことができる。別の例として、ＷＴＲＵは、初期プリアンブル再送信試行ごとにプリアンブル送信電力に電力ランピング値を適用することができ、プリアンブル試行における各反復に対して同じＰＲＡＣＨプリアンブル送信を適用することができる。ＷＴＲＵは、プリアンブル反復およびプリアンブル再送信試行に共に併せて電力ランピング値を適用することもできる。別個のランピング値が、プリアンブル反復およびプリアンブル再送信試行に対して提供および／または使用されてもよい。
【０２５７】
ＷＴＲＵは、ＷＴＲＵがＰＲＡＣＨ試行のために使用できるＣＥレベルに応じてプリアンブル送信電力にＷＴＲＵが適用できるＣＥレベルごとの別個のＰＲＡＣＨ電力制御（たとえば開ループ電力制御）パラメータを受信することができる。例において、ＷＴＲＵは、ＣＥレベルごとにＰｒｅａｍｂｌｅＴｒａｎｓＭａｘを受信することができ、ＷＴＲＵは、ＰｒｅａｍｂｌｅＴｒａｎｓＭａｘまでの特定のＣＥレベルにおいてＰＲＡＣＨプリアンブル送信を試行することができる。ＷＴＲＵが試行の最大数（たとえばＰｒｅａｍｂｌｅＴｒａｎｓＭａｘ）を有する特定のＣＥレベルで対応するＲＡＲを受信しない場合、ＷＴＲＵは、ＣＥレベルを、より大きい数の反復を有する次のＣＥレベルに増加させることができる。別の例では、ＷＴＲＵは、たとえばｅＮＢからの標識または構成に基づいて、特定のレベルにおけるＮATTEMPTS  ＰＲＡＣＨプリアンブル送信試行の後にＣＥレベルを次のＣＥレベルに増加させることができ、または増加させる必要があることがあり、ここで、ＮATTEMPTSは、（ｉ）予め定義された数、（ｉｉ）より高い層のシグナリングを介して提供され得る構成された数、（ｉｉｉ）電力ランピング値、初期電力値、ランピング試行の数などの１または複数のパラメータの関数として決定される、（ｉｖ）ＣＥレベルごとの反復の数、ダウンリンク測定値、および公称最大送信電力を含む、１または複数のパラメータによって決定される、のうちの１または複数であり得る。ＮATTEMPTSは、ＣＥレベルに依存する、またはすべてのＣＥレベルに共通することがある。
【０２５８】
ＷＴＲＵは、たとえば１または複数（たとえばすべて）のＣＥレベルおよび／またはＣＥモードについて、最大電力でＰＲＡＣＨを送信するようにＷＴＲＵに通知することができる、ｅＮｏｄｅＢからのＰＲＡＣＨ最大電力使用量標識（または構成）を受信することができる。標識は、ブロードキャストシグナリングなどのより高い層のシグナリングで提供および／または受信され得る。最大電力で送信する標識を受信したＷＴＲＵは、ＰＲＡＣＨプリアンブルに対する最大の可能にされた送信電力で、初期ＰＲＡＣＨプリアンブルおよび後続の（たとえば、すべての後続の）プリアンブル反復を送信することができ、最大の可能にされた送信電力は、たとえば、ＷＴＲＵ電力クラス、ｅＮｏｄｅＢによって提供され得る最大値、ならびにＭＰＲおよびＡ−ＭＰＲのような可能にされた低減など、種々のファクタに基づいて、ＷＴＲＵによって決定され得る。
【０２５９】
ＷＴＲＵは、すべてのＣＥレベルについて最大電力を使用すること（もしくは使用するかどうか）を示すことができる最大電力使用量の標識を受信することができ、またはＣＥレベルごとに別個の標識が提供されることができる。デフォルト（たとえば標識なし）は、最大電力を使用せず、代わりにランピングすることであり得る。ＰＲＡＣＨ送信のためにＷＴＲＵが使用できるＣＥレベルに基づいて、ＷＴＲＵは、（たとえば、開ループであり得るならびに／または本明細書に１または複数の方程式で説明されているようなＲＳＲＰおよび／もしくは経路損失に基づくことができる、電力制御を使用して、）それに応じて、最大電力で送信する、または電力をランピングすることができる。
【０２６０】
ＷＴＲＵは、最大電力が使用され得るＣＥレベルごとの最大電力使用量の標識を受信することができる。デフォルト（たとえば標識なし）は、最大電力を使用せず、代わりにランピングすることを意味することができる。ＰＲＡＣＨ送信のためにＷＴＲＵが使用できるＣＥレベルに基づいて、ＷＴＲＵは、（たとえば、開ループであり得るならびに／または本明細書に１または複数の方程式で説明されているようなＲＳＲＰおよび／もしくは経路損失に基づくことができる、電力制御を使用して、）それに応じて、最大電力で送信する、または電力をランピングすることができる。
【０２６１】
例において、ＷＴＲＵは、１つのＣＥレベル、たとえばＣＥレベル２（たとえば１０ｄＢ拡張のためのレベル）のためのＰＲＡＣＨプリアンブルに対して最大電力を使用して送信する標識を受信することがあり、ＰＲＡＣＨ送信のためにそのＣＥレベルを使用する場合、最大電力で送信することができる。ＷＴＲＵは、別のＣＥレベル、たとえばＣＥレベル１（たとえば５ｄＢ拡張のためのレベル）について標識を受信しないことがあり、または、そのＣＥレベルについては最大電力を使用しない標識を受信することがある。通常モードおよびそのＣＥレベル（たとえばＣＥレベル１）の場合、ＷＴＲＵは、開ループであり得るならびに／または本明細書に１または複数の方程式で説明されているようなＲＳＲＰおよび／もしくはＰＲＡＣＨプリアンブル送信に関する経路損失に基づくことができる、電力制御を使用することができる。
【０２６２】
ＷＴＲＵは、ＣＥモードでプリアンブルを送信するときにＷＴＲＵがＰＲＡＣＨプリアンブル電力に適用できるオフセット値を、たとえばｅＮｏｄｅＢから受信することができる。ＷＴＲＵは、セル、たとえば、ＳＩＢ２またはＣＥ固有ＳＩＢのシステム情報において、オフセットを受信することができる。ＷＴＲＵは、ＣＥレベルごとに適用するためのオフセット、またはすべてのＣＥレベルのための単一オフセットを受信し得る。ＷＴＲＵは、プリアンブル送信電力および／もしくは電力ランピングパラメータ、ならびに／または本明細書に１または複数の方程式で説明されているようなＲＳＲＰおよび／もしくは経路損失に基づくことができるＰＲＡＣＨ電力制御において決定されたプリアンブル送信電力に対して、オフセットを適用することができる。
【０２６３】
オフセットは、ＣＥレベルに対応することができる（たとえばＰＲＡＣＨ送信のための）反復の数に基づいて、ＷＴＲＵによって（たとえば、代わりにまたは加えて）決定されてもよい。ＷＴＲＵは、１０ｌｏｇ１０（反復の数）からオフセットを決定してもよい。ＷＴＲＵは、オフセットを加えるまたは引くことができる。
【０２６４】
ＷＴＲＵによって行われ得るＰＲＡＣＨ電力制御は、たとえば、電力調整フィードバックがｅＮＢから受信されることがないので、開ループ電力制御であり得るまたは開ループ電力制御であるとみなされ得る。
【０２６５】
カバレッジ拡張されたＲＡ手順が使用され得る。この手順は、１または複数（たとえば４つ）の部分、ステップ、またはメッセージ、たとえば、ｍｓｇ１（たとえばＲＡプリアンブル）、ｍｓｇ２（ＲＡＲ）、ｍｓｇ３（スケジューリングされたＵＬ送信）、および／またはｍｓｇ４（コンテンション解決）を含むことができ、これらは、図２の例に示されたような通常のＲＡのものに類似し得る、および／またはそれらの拡張されたバージョンであり得る。
【０２６６】
ＷＴＲＵは、ＰＲＡＣＨプリアンブル送信を行うことができる。ＷＴＲＵは、カバレッジ拡張されていないＳＩＢを介して搬送され得る少なくとも１つの通常ＳＩ−メッセージ、および／またはＣＥモードのために提供および／または使用され得るＣＥ  ＳＩ−メッセージから、ＰＲＡＣＨ構成情報を受信することができる。ＷＴＲＵは、ＣＥモードのために使用され得る、および／またはＣＥレベルに従い得る、１または複数のＰＲＡＣＨリソースを受信することができる。たとえば、ＷＴＲＵは、２つのカバレッジ拡張されたＰＲＡＣＨリソースをそれぞれＣＥレベル１およびＣＥレベル２で受信することができる。ＷＴＲＵは、チャネル状態または予め定義されたＷＴＲＵ挙動に基づいて、通常のＰＲＡＣＨプリアンブルとＣＥ  ＰＲＡＣＨプリアンブルとの間でＰＲＡＣＨプリアンブル送信のタイプを決定することができる。
【０２６７】
ＣＥモードおよび／または１もしくは複数のＣＥレベルのためのＲＡＲは、たとえば、ＷＴＲＵがＣＥモードまたはＣＥレベルＰＲＡＣＨプリアンブルを送信できるときに、提供および／または使用され得る。
【０２６８】
実施形態において、ＲＡ−ＲＮＴＩは、オフセット値と共に割り振り、決定、提供、および／または使用され得る。たとえば、ＷＴＲＵが通常のＰＲＡＣＨプリアンブルを送信する場合、ＷＴＲＵは、ＲＡ−ＲＮＴＩによってスクランブルされ得るＰＤＣＣＨ（またはＥＰＤＣＣＨ）を監視（モニター）することができ、ここで、ＲＡ−ＲＮＴＩは、ＲＡ−ＲＮＴＩ＝１＋ｔ＿ｉｄ＋１０＊ｆ＿ｉｄによってまたは基づいて決定されることができ、ｆ＿ｉｄは、たとえばＦＤＤの場合、０とすることができ、ｔ＿ｉｄは、０＝＜１ｔ＿ｉｄ＝＜９のような範囲の値とすることができる。ＷＴＲＵがＣＥモードまたはレベルＰＲＡＣＨプリアンブルを送信する場合、ＲＡ−ＲＮＴＩによってスクランブルされ得るＰＤＣＣＨ（またはＥＰＤＣＣＨ）を監視することができ、ここでは、ＲＡ−ＲＮＴＩは、ＲＡ−ＲＮＴＩ＝１＋ｔ＿ｉｄ＋ｄｅｌｔａ＿ｏｆｆｓｅｔ＋１０＊ｆ＿ｉｄによってまたは基づいて決定されることができる。あるいは、ＲＡ−ＲＮＴＩは、ＲＡ−ＲＮＴＩ＝１１＋ＣＥレベル＋１０＊ｆ＿ｉｄとして計算されることができ、ここで、ＣＥレベルは、｛１，２，３｝などのセットのうちの１つであり得る。ｄｅｌｔａ＿ｏｆｆｓｅｔは、ｄｅｌｔａ＿ｏｆｆｓｅｔ＝１０などの予め定義された数とすることができる。あるいは、ｄｅｌｔａ＿ｏｆｆｓｅｔは、システム帯域幅、ＣＥモードＰＲＡＣＨのためにサポートされるＣＥレベルの数、および／またはＣＥ（たとえばＣＥモードおよび／もしくはＣＥレベル）ＰＲＡＣＨについての反復の数のうちの少なくとも１つの関数であり得る。
【０２６９】
別の実施形態では、ＲＡＲに対するグラントを示すことができる（Ｅ）ＰＤＣＣＨ、および／またはＲＡＲを搬送することができるＰＤＳＣＨが、予め定義され得る時間窓内で反復して送信され得る。時間窓は、ＣＥ  ＰＲＡＣＨプリアンブル送信の最後サブフレームの後（たとえばいくつかのサブフレーム後）に配置され得る。ＣＥ  ＰＲＡＣＨプリアンブルを送信した（または送信する）ＷＴＲＵは、構成および／または使用されたＲＡ−ＲＮＴＩに基づくことができる反復を有するＲＡＲを搬送することができる（Ｅ）ＰＤＣＣＨおよび／またはＰＤＳＣＨを監視することができる。１＋ｔ＿ｉｄ＋ｄｅｌｔａ＿ｏｆｆｓｅｔ＋１０＊ｆ＿ｉｄに等しいことが可能なＲＡ−ＲＮＴＩが使用され得る。あるいは、１１＋ＣＥレベル＋１０＊ｆ＿ｉｄに等しいことが可能なＲＡ−ＲＮＴＩが使用され得る。ＲＡＲを搬送することができるＰＤＣＣＨ（もしくはＥＰＤＣＣＨ）および／またはＰＤＳＣＨについての時間窓および／または反復の数は、ＣＥモードおよび／または１もしくは複数のＣＥレベルの関数であり得る（たとえば、それぞれあり得る）。
【０２７０】
ＲＡＲを搬送することができるＰＤＣＣＨ（もしくはＥＰＤＣＣＨ）および／またはＰＤＳＣＨについての時間窓および／または反復の数は、別々に構成され得るおよび／または異なり得る。ＰＲＡＣＨプリアンブル送信、ＲＡＲを搬送することができるＰＤＣＣＨ（もしくはＥＰＤＣＣＨ）および／またはＰＤＳＣＨについての反復の数は、別々に構成され得るおよび／または異なり得る。ＲＡ手順のために使用され得るメッセージのうちの１または複数は、同じモードまたはＣＥレベルに対して異なる数の反復を有する、および／または使用する、および／またはそのために構成されることができる。
【０２７１】
別の実施形態では、構成および／または予め定義されたＰＤＳＣＨリソースがＲＡＲのために使用され得る。たとえば、ＷＴＲＵがＣＥ  ＰＲＡＣＨプリアンブルを送信する場合、ＲＡＲを含むことができる対応するＰＤＳＣＨリソースが、ｅＮＢ送信および／またはＷＴＲＵ受信のために構成および／または予め定義され得る。
【０２７２】
物理リソースブロック（ＰＲＢ）のセットが、ＲＡＲを搬送することができるＰＤＳＣＨのために使用され得る。ＰＲＢのセットは、たとえば複数のサブフレームにわたって反復して送信され得る。複数のサブフレームは、時間窓と呼ばれ得る。例において、時間窓の開始サブフレームは、ｎ＋ｋと定義されることができ、ここで、ｎは、ＣＥ  ＰＲＡＣＨプリアンブル送信の反復の最後のサブフレームとすることができ、ｋは、予め定義される（たとえば、ｋ＝４）、構成される、またはＴＤＤ  ＵＬ／ＤＬ構成の関数とされ得る正の整数とすることができる。
【０２７３】
ＲＡＲを搬送することができるＰＤＳＣＨのために使用され得るＰＲＢのセット、およびＰＲＢのセットの周波数位置は、構成および／または予め定義され得る。
【０２７４】
別の実施形態では、ＰＤＳＣＨリソースは、関連付けられたＰＤＣＣＨ（またはＥＰＤＣＣＨ）無しにＲＡＲを送信するために使用され得る。ＰＤＳＣＨリソース位置は、使用されるＲＡ−ＲＮＴＩの関数として定義され得る。たとえば、ＲＡ−ＲＮＴＩ＝１＋ｔ＿ｉｄ＋ｄｅｌｔａ＿ｏｆｆｓｅｔ＋１０＊ｆ＿ｉｄが、ＣＥ  ＰＲＡＣＨプリアンブルを送信する（または送信した）ＷＴＲＵのためにまたはそのＷＴＲＵによって使用され得る。ＷＴＲＵは、たとえばＲＡ−ＲＮＴＩに基づいて、どのＰＤＳＣＨリソースをＷＴＲＵが受信する必要があり得るかを導出または決定することができる。
【０２７５】
ＲＡＲを搬送することができるＰＤＳＣＨリソースの数（たとえば最大１０個）は、ＲＡ−ＲＮＴＩに応じて定義および／または決定され得る。ＰＤＳＣＨリソースは、１対１でマッピングされ得る。ＷＴＲＵは、ＲＡ−ＲＮＴＩ（たとえばその値）に基づいて、ＰＤＳＣＨリソースを監視するおよび／または復号を試みることができる。
【０２７６】
実施形態において、ＣＥ  ＰＲＡＣＨプリアンブル送信に対するＲＡＲは、ネットワークが検出したことがあり得るランダムアクセスプリアンブルシーケンスのインデックス、および／またはタイミング補正を含むことができる。ＲＡＲは、たとえば、ＰＵＳＣＨ上のｍｓｇ３のＵＬ送信に対する、スケジューリンググラントを含むことができる。ＲＡＲは、たとえば、スケジューリンググラントと共にまたはその一部として（たとえば、それに付属されるもしくは含まれる）、ＰＵＳＣＨ送信のためにＷＴＲＵが使用する反復の数を含むことができる。スケジューリンググラントは、ＰＵＳＣＨ送信のための開始サブフレームおよび／もしくは終端サブフレーム、ならびに／またはパラメータを含むことができ、パラメータから、ＷＴＲＵはＰＵＳＣＨ送信のための開始サブフレームおよび／もしくは終端サブフレームを導出または決定することができる。ＲＡＲは、ＴＣ−ＲＮＴＩを含むことができる。ＲＡＲは、ＰＵＳＣＨ送信のための送信電力、および／またはＰＵＳＣＨ電力に影響し得るＲＡ手順の電力ランプアップデルタを調整するためにＷＴＲＵが使用することができる、電力オフセットを含むことができる。ＷＴＲＵは、たとえば、ＷＴＲＵがそれに向けられ得るＲＡＲを（たとえば成功裏に）受信することができる場合、スケジューリングされたリソース上のＵＬで送信することができる。ＷＴＲＵは、タイミング補正に応じてタイミングを調整し、および／または電力オフセットに応じて電力を調整することができる。
【０２７７】
実施形態において、ネットワーク（ｅＮｏｄｅＢ）は、たとえばＰＤＣＣＨ（またはＥＰＤＣＣＨ）上で、Ｃ−ＲＮＴＩに基づいて、ダウンリンク上でコンテンション解決メッセージを送ることができる。Ｃ−ＲＮＴＩでスクランブルされ得るＰＤＣＣＨ（またはＥＰＤＣＣＨ）が、複数のサブフレームにわたって送信され得る。
【０２７８】
（たとえば、ＲＡＣＨ  ｍｓｇ３内で）ＴＣ−ＲＮＴＩと共にＰＵＳＣＨを送信する（または送信した）ＷＴＲＵは、構成および／または予め定義された時間窓においてＴＣ−ＲＮＴＩによってスクランブルされ得るＰＤＣＣＨ（またはＥＰＤＣＣＨ）を監視することができる。時間窓内でＷＴＲＵは、ＴＣ−ＲＮＴＩでスクランブルされ得るＰＤＣＣＨ（またはＥＰＤＣＣＨ）が、構成および／または予め定義された位置で反復して送信され得ることを期待することができる。たとえば、ＴＣ−ＲＮＴＩでスクランブルされ得るＰＤＣＣＨ（またはＥＰＤＣＣＨ）が、共通探索空間においてＣＣＥの構成および／または予め定義されたセットにおいて送信され得る。
【０２７９】
ＣＥモードでＲＡＣＨ  ｍｅｇ３を送信する（または送信した）ＷＴＲＵは、たとえばＣＥモードを伴ってまたは使用して、ＰＤＣＣＨ（またはＥＰＤＣＣＨ）共通探索空間においてＴＣ−ＲＮＴＩでスクランブルされ得るＰＤＣＣＨ（またはＥＰＤＣＣＨ）を監視することができる。ＣＥモードを伴うまたは使用するＰＤＣＣＨ（またはＥＰＤＣＣＨ）共通探索空間は、１または複数のＣＥ  ＰＤＣＣＨ（またはＥＰＤＣＣＨ）候補を有することができる。ＣＥ  ＰＤＣＣＨ（またはＥＰＤＣＣＨ）候補は、アグリゲーションレベルおよび／もしくは反復レベルとしてまたはそれによって定義され得る。ＷＴＲＵは、たとえば、コンテンション解決メッセージに対するＤＬグラントを受信するために、ＴＣ−ＲＮＴＩでスクランブルされ得るＰＤＣＣＨ（またはＥＰＤＣＣＨ）を監視することができる。
【０２８０】
別の実施形態では、ネットワーク（ｅＮＢ）が、関連付けられたＰＤＣＣＨ（またはＥＰＤＣＣＨ）無しにＰＤＳＣＨに基づいて、ダウンリンク上でコンテンション解決メッセージを送ることができる。この場合、コンテンション解決メッセージを含むことができるＰＤＳＣＨの位置は、ＲＡＣＨ  ｍｓｇ３に対するアップリンクスケジューリンググラントに基づいて構成され得る。
【０２８１】
ＰＤＳＣＨおよび／またはＰＵＳＣＨのリンクアダプテーションが、提供および／または使用され得る。
【０２８２】
ＷＴＲＵは、動作のモード（たとえば、通常モード動作もしくはＣＥモード動作）および／またはＣＥレベル（たとえば、反復レベル）に関して、ｅＮＢから標識を受信することができる。ＷＴＲＵは、たとえば、ＤＣＩフォーマットを介するなど物理層シグナリングを介して、動的に標識を受信することができる。たとえば、ＷＴＲＵは、たとえば、ＵＬ  ＰＵＳＣＨにグラントを与え得るＤＣＩフォーマット、および／またはＤＬ  ＰＤＳＣＨ送信を割り当てることができるＤＣＩフォーマットにおいて、（たとえば明示的な）標識を提供され得る。この標識は、（反復の数になり得るまたは対応し得る）（たとえば絶対的）反復レベルとすることができる。標識は、たとえば、反復レベルが、前の反復レベル足す（または引く）たとえばＤＣＩで提供される相対的反復レベルから決定され得るような、相対的反復レベルとしてもよい。たとえば、ＷＴＲＵは、最少から最多への反復の順序であり得るＮ（たとえば４）の反復レベルで構成され得る。ＤＣＩ（または他のメカニズム）は、反復レベルが増加または減少され得る（またはされるべき）動的標識を含むことができる。たとえば、標識は、２ビットとすることができ、以下の意味、すなわち、「００」…反復レベルを１減少させる、「０１」…反復レベルを維持する、「１０」…反復レベルを１増加させる、および「１１」…反復レベルを２増加させる、を有することができる。
【０２８３】
ＣＥレベル、反復レベル、および反復の数は、交換可能に使用され得ることが企図されている。さらに、反復の数と反復数とは交換可能に使用され得ることが企図されている。
【０２８４】
ＵＬ送信に関して、たとえば、反復レベルがＵＬグラントと共に受信され得るとき、ＷＴＲＵは、ＵＬグラントが受信されたＰＵＳＣＨ送信で開始する受信された反復レベルを適用することができる。
【０２８５】
ＵＬ送信に関して、たとえば、反復レベルがＤＬグラントと共に受信され得るとき、ＷＴＲＵは、ＤＬグラントが受信され得る（または受信されていることがある）サブフレームの後の少なくともある数ｋのサブフレームであり得るＰＵＳＣＨ（または他のＵＬ）送信で開始する受信された反復レベルを適用することができる。たとえば、ｋは（たとえばＦＤＤの場合に）４とすることができる。別の例では、ｋはＴＤＤ  ＵＬ／ＤＬ構成の関数とすることができる。
【０２８６】
ＤＣＩにおけるＣＥレベルの標識は、ＤＣＩフォーマット（たとえば、既存のレガシＤＣＩフォーマット）を介することができ、そのフォーマットは、１つの用途として非ＣＥモードおよび別の用途としてＣＥモードのために使用され得る（または使用されることが意図され得る）１または複数のビットを有することができる。
【０２８７】
図６は、ＣＥレベル（または反復レベル）を設定するための例示的方法を示す。ＷＴＲＵは、ステップ６０２で、たとえば本明細書で説明されている技法の１または複数を使用して、カバレッジ拡張のレベルを決定する。ステップ６０４で、ＷＴＲＵは、たとえばｅＮｏｄｅＢから、ＤＣＩメッセージを受信する。ＷＴＲＵがカバレッジ拡張モードにある場合（ステップ６０６）、ＷＴＲＵは、ステップ６０８で、ＤＣＩメッセージ内の情報を使用して、ＰＤＳＣＨおよび／またはＰＵＳＣＨなどの１または複数の共有チャネルに対する反復レベルを設定する。ＷＴＲＵがカバレッジ拡張モードにない場合、ステップ６１０で、ＤＣＩメッセージのビットは、（たとえば、リリース８、９、および／または１０で説明され得る）知られているＬＴＥまたはＬＴＥ−Ａ技法などの知られている技法に従って解釈され得る。ＤＣＩ、ＤＣＩフォーマット、およびＤＣＩメッセージは交換可能に使用され得る。
【０２８８】
ＴＰＣコマンドは、たとえばＰＵＳＣＨカバレッジ拡張のためＣＥまたは反復レベルを示すために提供および／または使用され得る。
【０２８９】
ＰＵＳＣＨ上のＵＬ送信は、ＤＣＩフォーマット０または４などのＤＣＩフォーマットを介してグラントを与えられ得る。そのようなＤＣＩは、ＴＰＣコマンドのためのフィールドを含むことができる。ＣＥモード動作におけるＷＴＲＵは、たとえば、ＷＴＲＵがＣＥモードのためまたは１もしくは複数のＣＥレベルもしくは反復レベルのために固定された電力で動作（たとえば送信）することができる（またはそうするように構成され得る）場合またはそのとき、（たとえば、絶対的または相対的／累積される様式で）反復レベルを動的に示すためにＴＰＣコマンドが使用され得る（たとえば、それのみが使用され得る）ことを、仮定または期待することができる。例において、ＷＴＲＵは、任意の反復レベルについて特定の電力レベル（たとえば全電力）で動作（たとえば送信）することができる（または、そうするように構成され得る）。別の例では、ＷＴＲＵは、１または複数の（たとえば各）反復レベルに使用され得る１または複数の特定のＵＬ送信電力を用いて準静的に構成され得る。別の例では、送信電力は、ＵＬ送信が発生するサブフレームに依存し得る。たとえば、第１のサブセットのサブフレームでは、反復レベルに対する送信は、（たとえば、ＣＥレベルまたは反復レベルのセットに対応することができる）第１のセットの送信電力を使用することができ、第２のサブセットのサブフレームでは、反復レベルに対する送信は、（たとえば、ＣＥレベルまたは反復レベルのセットに対応することができる）第２のセットの送信電力を使用することができる。ＴＰＣコマンドの意味（たとえば、ＰＵＳＣＨ送信電力の変化または反復レベルの変化を示す）は、場合によってはＲＲＣ構成を介して、準静的に設定され得る。反復レベルと反復数は交換可能に使用され得る。
【０２９０】
ＴＰＣコマンドは、ＵＬ送信電力の変化または反復レベル（もしくはその変化）のうちの少なくとも１つを示すために使用され得る。たとえば、ＷＴＲＵは、ＰＵＳＣＨ送信電力および反復レベルのベクトル（またはセット）を用いて予め構成され得る。ＴＰＣコマンドは、ＷＴＲＵに対して、それが（たとえば、ベクトルエントリを指し示すことなどによる絶対値で、または、ベクトルエントリのシフトを示すことなどによる相対値で）異なるＰＵＳＣＨ送信電力および／または反復レベルに移動すべきかどうかを示すことができる。ＴＰＣコマンドは、（たとえば、現在値もしくはベクトルと同じであり得るベクトルエントリを指し示すことなどによる絶対値で、または、ベクトルエントリの値の変化もしくはシフトが無いもしくは０であることを示すことなどによる相対値で）ＰＵＳＣＨ送信電力および／または反復レベルの変化がないことを示す。
【０２９１】
例として、ＷＴＲＵは、Ａ、ＢおよびＣなどの送信電力を用いて構成されてよく、また、ＷＴＲＵは、反復レベル１、２および３を用いて構成されてもよい。ＰＵＳＣＨ送信電力および反復レベルのベクトルは、１Ａ、ＩＢ、１Ｃ、２Ａ、２Ｂ、２Ｃ、３Ａ、３Ｂ、３Ｃとして記述され得る。そのような例では、ＴＰＣコマンドが＋２の相対的シフトを示す場合、ＷＴＲＵは右に２レベル移動することができ、−１の相対的シフトは、左に１レベルの移動を表すことができる。たとえば、ＷＴＲＵが反復レベル２および電力レベルＢで送信していて、＋２のシフトを示すＴＰＣコマンドを受信する場合、ＷＴＲＵは、その次の送信を反復レベル３および電力レベルＡへ変更することができる。電力レベル／反復レベルベクトルは、電力レベルおよび反復レベルのすべての可能な組み合わせを含まない場合がある（または含む必要がない）。
【０２９２】
ＴＰＣコマンドの意味は、ＷＴＲＵがＣＥモードのために（ＣＥモードを使用して）構成されるかどうかに依存し得る。たとえば、ＴＰＣコマンドは、非ＣＥモードにあるときに、１つの解釈（たとえば相対的電力変化）にマッピングすることができ、ＣＥモードにあるときに、別の解釈（たとえば相対的または絶対的反復レベル）にマッピングすることができる。別の例では、ＣＥモードにおいて、ＴＰＣコマンドは、２ビット以上である（または常に２ビット以上である）ことができ、いくつかのビットは、絶対的または相対的ＰＵＳＣＨ送信電力にマッピングし、他のビットは、絶対的または相対的反復レベルにマッピングする。反復レベルは準静的に構成されることができ、および／またはＴＰＣコマンドテーブルの解釈が反復レベル（もしくはＣＥレベル）に依存し得る。たとえば、１つの反復レベル（またはＣＥレベル）では、２ビットを有するＴＰＣコマンドが「−１，０，１，２」と解釈され、別の反復レベル（またはＣＥレベル）では、ＴＰＣコマンドの２ビットが「−２，０，２，４」と解釈されることなどがある。
【０２９３】
図７は、ＣＥレベル（または反復レベル）を設定するための例示的方法を示す。ステップ７０４で、ＷＴＲＵがＴＰＣコマンドを受信した後、ステップ７０６で、ＷＴＲＵは、ＷＴＲＵがＣＥモードにあるかどうかを決定する。ＷＴＲＵがＣＥモードにある場合、ステップ７０８で、ＷＴＲＵは、ＴＰＣ内の情報を使用して、ＰＵＳＣＨおよび／またはＰＤＳＣＨに対する反復レベルを設定する。ＷＴＲＵがＣＥモードにない場合、ＷＴＲＵは、従来の技法を採用し、たとえば、ＴＣＰコマンド内の情報を使用して、ステップ７１０で送信機電力レベルを設定する。
【０２９４】
電力レベル、反復レベル、または両方に対するＴＰＣコマンドの適用可能性は、少なくとも部分的にＣＥモードの構成（または使用）によって決定され得る。たとえば、ＣＥモードがオンの（または、ＣＥモードのために構成され得るおよび／もしくはＣＥモードで動作中であり得る）ＷＴＲＵは、ＴＰＣコマンドを、反復レベルに（もしくはのみに）または電力レベルと反復レベルの両方に適用可能であると解釈することができる。
【０２９５】
電力レベル、反復レベル、または両方に対するＴＰＣコマンドの適用可能性は、少なくとも部分的に明示的な標識によって決定され得る。たとえば、ＷＴＲＵは、たとえばＣＥモードで構成されると適用し得るＴＰＣコマンドの意味に関する標識を受信することができる。別の例では、ＷＴＲＵは、たとえばＣＥモードで構成されると、および／またはＣＥモードで動作しているときに適用し得るＴＰＣコマンドの意味に関する標識を受信することができる。標識は、ｅＮＢからブロードキャストまたは専用シグナリングなどのより高い層のシグナリングを介して提供され得る。
【０２９６】
電力レベル、反復レベル、または両方に対するＴＰＣコマンドの適用可能性は、少なくとも部分的にサブフレーム番号によって決定され得る。たとえば、サブフレームｎ＋ｋにおいてＰＵＳＣＨ送信についてのサブフレームｎで受信されたＴＰＣコマンドは、たとえばＣＥモードおよび非ＣＥモードについて、ｎ、ｋ、または両方の値に応じて異なる意味を有することができる。
【０２９７】
電力レベル、反復レベル、または両方に対するＴＰＣコマンドの適用可能性は、少なくとも部分的にＤＣＩフォーマットによって決定され得る。たとえば、新しいＤＣＩフォーマットがＣＥモード送信のために設計され得る。そのようなＤＣＩフォーマットでは、ＴＰＣコマンドは、本明細書に説明されている様式で、送信電力と反復レベルの組み合わせに適用可能であり得る。
【０２９８】
電力レベル、反復レベル、または両方に対するＴＰＣコマンドの適用可能性は、ＴＰＣを搬送するＤＣＩがその上で送信される（または送信された）リソースによって少なくとも部分的に決定され得る。たとえば、探索空間（たとえば、ＷＴＲＵ固有もしくは共通）、ＰＤＣＣＨのタイプ（通常のＰＤＣＣＨもしくはＥＰＤＣＣＨ）、またはＥＰＤＣＣＨリソースが、ＷＴＲＵに対してＴＰＣコマンドの意味を（たとえば黙示的に）示すことができる。
【０２９９】
ＣＥモードにおいて、ＷＴＲＵは、それが監視することができるＤＣＩにおいて、（Ｅ）ＰＤＣＣＨのために使用され得る反復の数、ならびに関連付けられたＰＤＳＣＨおよび／またはＰＵＳＣＨを受信することができる。ＤＣＩは、ｅＮＢによって提供されおよび／またはｅＮＢから受信され得る。例において、（Ｅ）ＰＤＣＣＨについての反復の数を示すためのパラメータ、たとえばＮEPDCCH_REP、および関連付けられたＰＤＳＣＨまたはＰＵＳＣＨについての反復の数を示すための別のパラメータ、たとえばＮDATA_REPは、ＤＣＩ（たとえば監視されているＤＣＩ）から受信され得る。別の例では、単一パラメータが、（Ｅ）ＰＤＣＣＨおよび関連付けられたＰＤＳＣＨまたはＰＵＳＣＨについての反復の数を示すために使用され得る。
【０３００】
実施形態において、ＰＵＳＣＨグラントのいくつかのパラメータは、ＣＥモードにおいて制限される（たとえば、それらの典型的またはレガシ用途において限定されるまたは使用されない）ことがある。そのような制限は、ＤＣＩに配置されたビットのいくつかを再使用することによってｅＮｏｄｅＢが反復レベルを示すことを可能にすることができる。
【０３０１】
たとえば、キャリアインジケータフィールドの少なくとも一部がＣＥモードのために使用されることを可能にするために、サポートされるキャリアの数はＣＥモードにおいて制限され得る。キャリアインジケータフィールドの一部または全部が、反復レベルまたはＴＰＣコマンドの意味を示すために再使用され得る。別の例では、複数のキャリア（たとえばキャリアアグリゲーション）およびキャリアインジケータフィールドがＣＥモードで使用されないことがある。ＷＴＲＵが通常モード動作においてマルチキャリア動作で構成される（たとえば、複数のキャリアが構成される）場合、通常モード動作におけるＰＣｅｌｌがＣＥモード動作における単一キャリア動作のために使用され得る。あるいは、ＷＴＲＵは、構成された複数のキャリア内のどのキャリアをＷＴＲＵがＣＥモード動作で使用できるかを識別する標識を、ｅＮＢから受信することができる。ＣＥモードへの切り替えの際または後、ＷＴＲＵは、マルチキャリア動作から単一キャリア動作への切り替えをすることができ、ＰＣｅｌｌまたは指定されたセルをその単一サービングセルとして使用することができる。
【０３０２】
ＣＥモードでサポートおよび／または使用される変調および符号化方式（ＭＣＳ）ならびに／または冗長バージョンが制限され得る。いくつかのＭＣＳレベルおよび／または冗長バージョンがＣＥモード動作において制限され得る。たとえば、ＭＣＳテーブルはＣＥモード動作においてＷＴＲＵによって異なるように解釈されることがあり、および／または各ＭＣＳレベルは反復レベルを割り当てられることがある。別の例では、ＭＣＳテーブル内の変調次数のサブセットが、ＣＥモード動作で使用されることができ、（たとえば、テーブル内のエントリの）残りは、反復数を示すために再使用されることができる。
【０３０３】
ＣＥモードにおいてリソースブロック割り当てが制限されることがある。たとえば、いくつかのＲＲＢおよび／またはリソース割り振りサイズが制限されることがあり、反復レベルを（たとえば黙示的に）示すために割り当てが使用されることがある。
【０３０４】
ＣＥモードにおいてＣＳＩ要求が１ビットフィールドに限定され、その他のビットが反復レベルをＷＴＲＵへ示すために（またはＴＰＣコマンドの意味をＷＴＲＵへ示すために）使用されることがある。
【０３０５】
ＣＥモードにおいて層の数が限定されることがある。たとえば、ＤＣＩフォーマット４が、ある数までのアンテナポート（たとえば、４つのアンテナポート）上での送信を可能にし、それらの一部はＣＥモードにおいて使用されないことがある。プリコーディング情報フィールドテーブルのいくつかの要素が制限されることがあり、および／または反復レベルを示すために再解釈されることがある。
【０３０６】
（たとえば本明細書に説明されている）ＤＣＩフォーマットまたはフィールドに対するまたは影響を与え得る１もしくは複数の制限は、（たとえばＣＥモードにおける）反復レベルに依存し得る。たとえば、ＷＴＲＵは、反復レベルによって（たとえば事前に）構成される、および／または反復レベルを使用することができ、ＤＣＩ内のＭＣＳフィールドの意味は、反復レベルに依存し得る。
【０３０７】
新しいＤＣＩフォーマットが、フィールドのいくつかについての限定または制限された値を伴って設計されることができ、それにより、ＰＵＳＣＨ送信についての反復レベルを（たとえば明示的に）示すことができる新しいフィールドを含めることを可能にすることができる。
【０３０８】
ＰＤＳＣＨにグラントを与えるＤＣＩにおいて、ＴＰＣコマンド（たとえばコマンドビット）は、ＤＬ割り当てなどのためのＰＵＣＣＨ上のＨＡＲＱフィードバックと共に使用することが意図され得る。ＣＥモードにおけるＷＴＲＵは、割り当てられたＰＤＣＣＨおよび／またはＰＵＣＣＨについての反復レベルインジケータとしてＴＰＣコマンドを再解釈することができ、またはそうするように構成され得る。ＴＰＣコマンドは、たとえばＰＵＳＣＨに関して本明細書で説明されたのと同様の様式で、ＰＵＣＣＨについての電力レベルと組み合わせた、割り当てられたＰＤＣＣＨおよび／またはＰＵＣＣＨについての反復レベルの組み合わせを、ＷＴＲＵへ示すことができる。たとえば、ＷＴＲＵは、ＰＤＣＣＨについての反復値、ＰＵＣＣＨについての反復値、およびＰＵＣＣＨについての電力レベルの組み合わせのベクトルを用いて構成されることができ、ＴＰＣコマンドは、（たとえば、絶対的様式または相対的／累積された様式で）ベクトル値のうちの１つにマッピングすることができる。例において、ＰＵＣＣＨ反復レベルごとに、ＷＴＲＵは、固定された（かつ場合によっては異なる）送信電力を使用することができる。ＴＰＣコマンドは、ＰＤＳＣＨおよび／またはＰＵＣＣＨ反復レベルにマッピングする（たとえば、それのみにマッピングする）ことができる。別の例では、ＰＵＣＣＨの反復レベルおよび送信レベルは、ＰＤＳＣＨ反復レベルごとに固定される（かつ場合によっては異なる）ことができ、ＴＰＣコマンドは、ＰＤＳＣＨ反復レベルにマッピングする（たとえば、それのみにマッピングする）ことができる。
【０３０９】
ＴＰＣコマンドの意味（たとえば、それが、ＰＵＣＣＨ電力制御、ＰＵＣＣＨ反復レベル、および／もしくはＰＤＳＣＨ反復レベルのために使用されることが意図され得るか）を決定するために、ならびに／または、ＰＵＣＣＨ反復レベルおよび／もしくはＰＤＳＣＨ反復レベルを決定するために、ｅＮｏｄｅＢおよび／またはＷＴＲＵは、（ｉ）ＰＤＣＣＨが使用されるかそれともＥＰＤＣＣＨが使用されるか、（ｉｉ）使用されるＥＰＤＣＣＨリソース、（ｉｉｉ）使用される（Ｅ）ＰＤＣＣＨ探索空間（たとえば、それがＷＴＲＵ固有かそれとも共通であるか）、（ｉｖ）サブフレームｎにおけるグラントおよびサブフレームｎ＋ｋにおけるＨＡＲＱフィードバックに対するｎ、ｋ、またはｎ＋ｋの値、（ｖ）使用されるＤＣＩフォーマット、（ｖｉ）ＣＥモードのための既存のＤＣＩフォーマットまたは新しいＤＣＩフォーマットにおける新しいフィールド、（ｖｉｉ）ＲＲＣシグナリング、ならびに／または（ｖｉｉｉ）ＷＴＲＵがＣＥモードにあるかどうか、のうちの少なくとも１つを使用することができる。
【０３１０】
ＣＥモードにおいて、ＷＴＲＵは、ＤＬ割り当てのいくつかのパラメータに対して制限（たとえば限定）を有することができる。ＤＬ割り当てＤＣＩにおけるフィールドのうちの少なくとも１つの意味は、たとえばビットを再使用することによって、（ＰＤＳＣＨおよび／またはＰＵＣＣＨについての）反復レベルおよび／またはＴＰＣコマンドの意味を示すように再解釈され得る。たとえば、キャリアインジケータフィールド（ＣＩＦ）の一部または全部が、再使用および／または再解釈され得る。ＣＥモードにおいてキャリアの数が限定されてよく、ＣＩＦのいくつかの値が制限および／または再使用および／または再解釈され得る。別の例では、ＨＡＲＱ−ＡＣＫリソースオフセットが、たとえばＣＥモードにおいて、（たとえば反復レベルまたはＴＰＣコマンド意味を示すために）フラグとしてＰＤＣＣＨにおいて再使用され得る。別の例では、リソースブロック割り当てがＣＥモードにおいて制限または限定され得る。ＰＲＢおよび／または割り振りサイズのいくつかの値が制限されてよく、このフィールドのいくつかのビットが再使用および／または再解釈され得る。別の例では、伝送ブロック対コードワードスワップフラグ（transport block to codeword swap flag）が再使用および／または再解釈され得る。別の例では、ＭＣＳテーブルのいくつかの要素が再使用および／または再解釈され得る。別の例では、ＣＥモードにおいてプリコーディング情報が制限され得る。いくつかのプリコーダおよび／または層および／または送信ランクが制限されてよく、このフィールドの一部が再使用および／または再解釈され得る。
【０３１１】
ＰＤＳＣＨのＣＲＳベースの復調、および／またはＣＳＩフィードバック測定のために、ＷＴＲＵは、ＣＳＲとＰＤＳＣＨとの間の電力オフセット仮定を用いて構成され得る。ＷＴＲＵは、複数のそのような電力オフセット、たとえば反復レベルごとに１つを用いて構成され得る。したがって、新しいＰＤＳＣＨ反復レベルを用いて構成されると（またはその後）、ＷＴＲＵは新しい適切な電力オフセット値を使用することができる。ＣＲＳ対ＰＤＳＣＨ電力オフセット値が（たとえば任意の）新しい反復レベルと共に、たとえば同時に構成され得る。
【０３１２】
ＷＴＲＵは、たとえば、（たとえば、反復レベルインジケータレポートであり得る、または反復レベルインジケータを含むことができる）新しいＣＳＩフィードバックレポートタイプで、ＰＤＳＣＨに対する推奨された反復レベルを報告することができる。そのようなレポートは、周期的または非周期的に送信され得る。たとえば、たとえばＷＴＲＵによって、新しい反復レベルが必要とされまたは要求され得るとき（またはそのときのみ）、ＷＴＲＵは、たとえば、少なくとも新しいＣＳＩフィードバックレポートのために構成され得る（たとえば、次または最も近い）ＣＳＩフィードバック時間／周波数リソースにおいて新しい反復レベルを自律的に報告することができる。ＣＳＩフィードバックが（たとえば更新された）反復レベル推奨を含むことができるかどうかを示すために、フラグ（たとえば、ＣＳＩフィードバックにおける予約されたビット）が使用され得る。例において、新しい反復レベル（または更新された反復レベル）がＣＳＩフィードバックに含まれる場合、ＷＴＲＵによって決定および／または報告され得る現在および／または後続のＣＳＩフィードバック（たとえば、ＣＱＩ、ＰＭＩ、および／またはＲＩ）は、新しい反復レベルに基づく（たとえば、仮定された新しい反復レベルを有するＰＤＳＣＨに基づく）ことができる。別の例では、ＣＳＩフィードバックは、ＷＴＲＵによって推奨され得る（たとえば新しい）反復レベルに関わらなくてよい、ＰＤＳＣＨに対して（たとえばＮｏｄｅＢによって）構成および／または使用される反復レベルに基づくことができる。別の例では、ＣＳＩフィードバックのために仮定され得る反復レベルが、サブフレーム位置、サブフレームタイプ、およびサブフレーム構成のうちの少なくとも１つの関数として決定され得る。別の例では、ｅＮｏｄｅＢが、複数のＣＳＩプロセスを用いてＷＴＲＵを構成することができ、各プロセスは、別個のおよび／または異なる反復レベル仮定を用いて構成され得る。
【０３１３】
ＣＥモードのためのＰＵＣＣＨリソース割り振りが、提供および／または使用され得る。
【０３１４】
実施形態において、ＰＵＣＣＨリソースは、ＣＥモードのために別個のＰＵＣＣＨリソースとして動的に割り当てられ得る。例において、ＰＵＣＣＨリソースは、通常モードにおいて
【０３１５】
【数３２】
2020061785.tif 000037
【０３１６】
に基づいて割り当てられることができ、ここで、ｎCCEは、対応するＤＣＩ割り当ての送信のために使用される最初のＣＥＥの数（たとえば、ＰＤＣＣＨを構築するために使用され得る最低のＣＣＥインデックス）であり、
【０３１７】
【数３３】
2020061785.tif 000038
【０３１８】
は、より高い層によって構成されることができると共に、反復窓内のｋ番目のサブフレームにおけるＰＵＣＣＨリソースは、
【０３１９】
【数３４】
2020061785.tif 000039
【０３２０】
に基づいて割り当てられることができる。
【０３２１】
【数３５】
2020061785.tif 000040
【０３２２】
は、ＰＵＣＣＨ反復窓内のｋ番目のサブフレームに関するＰＵＣＣＨリソース割り振りについて定義され得る。たとえば、ＰＵＣＣＨ反復窓は、２０個のサブフレームとして定義されることができ、カバレッジ拡張されたＰＵＣＣＨを送信することができるＷＴＲＵは、ＰＵＣＣＨ反復窓内の第１のサブフレームにおけるＰＵＣＣＨリソース
【０３２３】
【数３６】
2020061785.tif 000041
【０３２４】
、および第２のサブフレームにおけるＰＵＣＣＨリソース
【０３２５】
【数３７】
2020061785.tif 000042
【０３２６】
などを使用することができる。
【０３２７】
ＰＵＣＣＨ反復窓内のサブフレームのうちの１または複数は、割り振られたＰＵＣＣＨを有しなくてよい。割り振られたＰＵＣＣＨリソースを含まない１または複数のサブフレームは、予め定義される、より高い層を介して構成される、または、アップリンクおよび／もしくはダウンリンクのために構成および／もしくは使用され得るＣＥレベル、サブフレーム番号、Ｃ−ＲＮＴＩ、および／または対応するＰＤＳＣＨもしくは（Ｅ）ＰＤＣＣＨについての反復の数のうちの少なくとも１つの関数として定義されることができる。ｋは、ｋ番目の反復サブフレームとして使用され得る。たとえば、１０回のＰＵＣＣＨ反復が２０サブフレームのＰＵＣＣＨ反復窓内で使用される場合、ＰＵＣＣＨ反復窓における２番目の反復は、ＰＵＣＣＨ反復窓内のサブフレーム番号に関わりなく、
【０３２８】
【数３８】
2020061785.tif 000043
【０３２９】
であり得る。
【０３３０】
ｎCCE,mは、ＰＤＣＣＨ反復窓内のｍ番目のサブフレームにおける最初のＣＣＥ（たとえば、対応するＰＤＳＣＨ受信に対して受信される関連付けられたＰＤＣＣＨのために使用される最低のＣＣＥインデックス）として定義され得る。ＰＤＣＣＨおよびＰＵＣＣＨに対して反復の数が同じである場合、ｍ＝ｋが想定され得る。
【０３３１】
たとえば、通常モードのＰＵＣＣＨリソースとカバレッジ拡張されたモードのＰＵＣＣＨリソースとの間の衝突を回避するために、
【０３３２】
【数３９】
2020061785.tif 000044
【０３３３】
が、ＣＥモードにおけるＰＵＣＣＨリソース割り振りのために定義され得る。
【０３３４】
【数４０】
2020061785.tif 000045
【０３３５】
は、固定された数として予め定義される、より高い層のシグナリングを介して構成される、ならびに／または、ダウンリンクシステム帯域幅、ＣＥ−レベル、および／もしくはＣ−ＲＮＴＩのうちの少なくとも１つの関数として（たとえば黙示的に）定義されるうちの少なくとも１つであり得る。
【０３３６】
【数４１】
2020061785.tif 000046
【０３３７】
は、
【０３３８】
【数４２】
2020061785.tif 000047
【０３３９】
として定義され得る。ＷＴＲＵは、ＷＴＲＵが通常モードで構成されたとき、
【０３４０】
【数４３】
2020061785.tif 000048
【０３４１】
を使用してＰＵＣＣＨを送信することができ、ＷＴＲＵがＣＥモードで構成されたとき、
【０３４２】
【数４４】
2020061785.tif 000049
【０３４３】
を使用してＰＵＣＣＨを送信することができる。
【０３４４】
反復窓内のｋ番目のサブフレームにおけるＰＵＣＣＨリソースは、
【０３４５】
【数４５】
2020061785.tif 000050
【０３４６】
に基づいて割り当てられることができ、ここで、ｎIDは、システムパラメータおよび／またはＷＴＲＵパラメータのうちの１または複数の関数として定義され得る。あるいは、ｎIDは、ＷＴＲＵ固有の様式でより高い層のシグナリングを介して構成され得る。この場合、ｎIDは、ＷＴＲＵ−ＩＤ（たとえばＣ−ＲＮＴＩ）の関数として定義され得る。たとえば、モジュロ演算が使用されて、ｎID＝ｎRNTIｍｏｄｎmodなどのように、ｎRNTI（たとえばＣ−ＲＮＴＩ）およびｎmodを用いてｎＩＤを決定することができ、ｎmodは、予め定義された数としてもよく、ｎmodは、より高い層のシグナリングを介して構成されてもよく、またはｎmodは、システム帯域幅の関数として定義されてもよい。
【０３４７】
より高い層の構成されたＰＵＣＣＨリソースが使用され得る。たとえば、
【０３４８】
【数４６】
2020061785.tif 000051
【０３４９】
が、ＣＥモードのためにより高い層を介して構成されることができ、ＷＴＲＵが、１または複数のサブフレームにわたってより高い層の構成されたＰＵＣＣＨリソースにおいてＰＵＣＣＨを反復して送信することができる。
【０３５０】
ＣＥモードのためのより高い層の構成されたＰＵＣＣＨリソースは、通常モードにおけるＨＡＲＱ−ＡＣＫ反復のためのより高い層の構成されたＰＵＣＣＨリソースと同じであ
【０３５１】
【数４７】
2020061785.tif 000052
【０３５２】
がより高い層のシグナリングを介して構成されることができ、ＷＴＲＵが、動作の通常モードで、より高い層におけるａｃｋＮａｃｋＲｅｐｅｔｉｔｉｏｎで構成される場合、ＷＴＲＵが、対応するＰＤＣＣＨと共にＰＤＳＣＨを受信する（または受信した）とき、ＷＴＲＵは、ＨＡＲＱ−ＡＣＫ応答について
【０３５３】
【数４８】
2020061785.tif 000053
【０３５４】
を使用し、送信をＮANrep−１回反復することができ、ここで、ＮANrepは、より高い層のシグナリングを介して構成され得る。ＷＴＲＵがＣＥモードとして構成される、および／またはＣＥモードを使用する場合、ＷＴＲＵが対応するＰＤＣＣＨと共にＰＤＳＣＨを受信する（または受信した）としても、ＷＴＲＵは、ＨＡＲＱ−ＡＣＫ応答について
【０３５５】
【数４９】
2020061785.tif 000054
【０３５６】
を使用し送信をＮ’ANrep回反復することができ、またはそうすることもできる。
【０３５７】
Ｎ’ANrepは、ＮANrepから独立してより高い層のシグナリングを介して構成され得る。Ｎ’ANrepは、２つ以上の候補パラメータを有することができる。たとえば、Ｎ’ANrep＝｛ｎ１０，ｎ２０，ｎ４０，ｓｐａｒｅ２｝であり、これは、ＨＡＲＱ−ＡＲＱ応答送信のために１０、２０、および４０回の反復が使用され得ることを示唆することができる。
【０３５８】
Ｎ’ANrepはＮANrepと同じ、すなわちＮ’ANrep＝ＮANrepであってもよい。
【０３５９】
Ｎ’ANrepはＮANrepの関数として定義されてもよい。たとえば、ＮANrepの倍数がＮ’ANrepに使用され得る。例において、Ｎ’ANrep＝ＮANrep×Ｎtempであり、ここで、Ｎtempは、予め定義された正の整数とすることができる。
【０３６０】
単一のｒｅｐｅｔｉｔｉｏｎＦａｃｔｏｒ（反復係数）がより高い層を介して構成されてよく、ｒｅｐｅｔｉｔｉｏｎＦａｃｔｏｒは、ＰＵＣＣＨ−ＣｏｎｆｉｇＣｏｍｍｏｎにあり、動作のモードに応じて異なるように解釈され得る。例において、ＮANrep＝｛ｎ２，ｎ４，ｎ６，ｓｐａｒｅ１｝およびＮ’ANrep＝｛ｎ１０，ｎ２０，ｎ４０，ｓｐａｒｅ２｝は、ｒｅｐｅｔｉｔｉｏｎＦａｃｔｏｒに応じて使用される。したがって、ＷＴＲＵがｒｅｐｅｔｉｔｉｏｎＦａｃｔｏｒ＝１を用いて構成される場合、ＮANrep＝ｎ２およびＮ’ANrep＝ｎ１０が黙示的に構成され得る。
【０３６１】
Ｎ’ANrepは、対応する（Ｅ）ＰＤＣＣＨ送信についての反復の数、対応するＰＤＳＣＨ送信についての反復の数、および／または使用されるＣＥ−レベルのうちの少なくとも１つの関数として定義され得る。例において、Ｎ’ANrepは、（Ｅ）ＰＤＣＣＨの総アグリゲーションレベルの関数として定義されることができ、ここで、総アグリゲーションレベルは、アグリゲーションレベルと反復の数の乗算として定義されることができる。
【０３６２】
Ｎ’ANrepは、対応する（Ｅ）ＰＤＣＣＨを介して動的に示され得る。たとえば、対応する（Ｅ）ＰＤＣＣＨにおけるＤＣＩフォーマットは、ＣＥモードでのＨＡＲＱ−ＡＣＫ応答に使用する（または必要とされ得るおよび／もしくは使用され得る）反復の数を示すための、１または複数の明示的ビットを含むことができる。
【０３６３】
ＣＥモードのためのより高い層の構成されたＰＵＣＣＨリソースは、たとえば、通常モードにおけるＨＡＲＱ−ＡＣＫ反復のためのより高い層の構成されたＰＵＣＣＨリソースとの予め定義されたオフセットを使用して、（黙示的に）示されることができる。たとえば、ＰＵＣＣＨリソース
【０３６４】
【数５０】
2020061785.tif 000055
【０３６５】
が、通常モードのためのより高い層のシグナリングを介して構成されることができ、次いで、
【０３６６】
【数５１】
2020061785.tif 000056
【０３６７】
が、カバレッジ拡張されたモードのために使用されることができる。Δoffsetは、予め定義された数であってよい。たとえば、Δoffset＝１が使用され得る。Δoffsetは、より高い層の構成された値であってよい。
【０３６８】
通常モードにおけるＨＡＲＱ−ＡＣＫ反復は、追加の数の反復を追加することによって、ＣＥモードのために再使用され得る。たとえば、通常モードにおける反復係数、たとえばＮANrep＝｛ｎ２，ｎ４，ｎ６，ｓｐａｒｅ１｝の予約された状態、たとえばｓｐａｒｅ１が、ＣＥモードに必要とされる反復の数を示すためにＣＥモードのために使用され得る。たとえば、ｎ３２がｓｐａｒｅ１と置き換わって、ＨＡＲＱ−ＡＣＫ応答送信（たとえば、ＨＡＲＱ−ＡＣＫ応答送信を搬送するより高い層のシグナリングを介して構成されたＰＵＣＣＨリソース）が３２の反復を必要とするまたは使用し、ＮANrep＝｛ｎ２，ｎ４，ｎ６，ｎ３２｝が使用されることを示すことができる。ＮANrepは、動作のモードが、通常モードからカバレッジ拡張されたモードへ、またはその逆に変更された場合に更新され得る。
【０３６９】
より高い層の構成されたＰＵＣＣＨリソースが使用されてよく、より高い層の構成されたＰＵＣＣＨリソースはサブフレーム番号の関数として定義されてよい。ＰＵＣＣＨリソースは、サブフレームから別のサブフレームへ変更され得る。
【０３７０】
【数５２】
2020061785.tif 000057
【０３７１】
は、ｎRNTI（たとえばＣ−ＲＮＴＩ）、サブフレーム番号、および／またはＳＦＮ番号のうちの少なくとも１つの関数として定義され得る。
【０３７２】
【数５３】
2020061785.tif 000058
【０３７３】
が使用されてよく、ここで、ＡおよびＤは予め定義された正の整数であり、
【０３７４】
【数５４】
2020061785.tif 000059
【０３７５】
である。たとえば、Ａ＝３９８２７およびＤ＝２０１４が使用されてよい。あるいは、Ｄは、より高い層のシグナリングを介して構成されてよい。
【０３７６】
値
【０３７７】
【数５５】
2020061785.tif 000060
【０３７８】
が使用されてよく、ここで、ｎはスロット番号である。
【０３７９】
ＰＵＳＣＨ上のＵＬ送信は、ＤＣＩフォーマット０および４などのＤＣＩフォーマットを介してグラントが与えられ得る。ＰＤＳＣＨについてのＤＬ送信は、ＤＣＩフォーマット１、１Ａ、１Ｃ、２、２Ａ、２Ｂ、２Ｃおよび２Ｄを含むいくつかの可能なＤＣＩフォーマットによってグラントが与えられ得る。そのようなＤＣＩは、たとえば、連続的または非連続的ＲＢ割り振りに対するサポート、ならびに異なるＤＬリソース割り振りタイプ０、１および２、およびＵＬリソース割り振りタイプ０および１に対するサポートを含む、リソースブロック割り振りおよびリソース割り振りタイプのためのフィールドを含むことができる。
【０３８０】
実施形態において、ＤＣＩに含まれるＤＣＩリソース割り振りフィールドは、ＣＥモードにおけるＷＴＲＵ動作に対するリソース割り振りと非ＣＥモード（たとえば通常モード）におけるＷＴＲＵ動作に対するリソース割り振りとを区別するために使用される。たとえば、たとえば最初のステップで、ＤＣＩを受信するＷＴＲＵは、それがＣＥモードで動作しているかまたは非ＣＥモードで動作しているかを決定することができる。ＷＴＲＵは、ＲＲＣなどの以前に受信された構成の関数としてそれが動作しているモードがどれかを決定することができ、またはそれは、どのモードを適用するか決めるために無線リンク測定を使用することができ、またはそれは、ＤＣＩにおける受信されたシグナリングからもしくは考慮されている時間期間のＭＡＣ  ＣＥを通して適用可能なモードを導出することができる。２つ以上のカバレッジ拡張レベルが、ＣＥモードで動作しているときに区別および／または使用され得る、またはその必要があり得る。別の（たとえば次の）ステップにおいて、ＷＴＲＵは、最初のステップからの決定されたモードに従うＤＣＩリソース割り振りフィードを解釈することができ、ＷＴＲＵは、たとえば解釈されたＤＣＩに従って、割り振られたＰＤＳＣＨを復号するために受信機動作を構成することができ、または割り振られたＰＵＳＣＨを送るために送信機動作を構成することができる。
【０３８１】
非ＣＥモードで動作し得るまたは動作すると決定し得るＷＴＲＵは、既存のＬＴＥリソース割り振りタイプの符号化に応じてＤＣＩリソース割り振りフィールドを復号することができるが、ＣＥモードで動作すると決定すると、ＷＴＲＵは、１もしくは複数のＣＥモードにおいておよび／または１もしくは複数のＣＥレベルと共に動作するＷＴＲＵに有効であり得るリソース割り振りタイプおよび／またはコード化手法に従って、リソースＤＣＩ割り振りフィールドを復号することができる。
【０３８２】
実施形態において、ＣＥモードで動作しているＷＴＲＵのためのＤＣＩリソース割り振りの符号化および／または解釈は、割り振られたＲＢの数および／または最大数に対する１または複数の制限を含むことができ、または含むように選択されることができる。たとえば、割り振られたＲＢの最大数は、与えられたＣＥレベルに対するＮ個のＲＢの最大値を超えないことが可能である。たとえば、Ｎの最大値は、すべてのＣＥレベルについて６であり得る。
【０３８３】
別の例では、割り振られたＲＢの数は、たとえば、１、２もしくは４つのＲＢまたは２、４、６つのＲＢなど、明確に定義された（または明確に決定された）セットの可能なＲＢに対応する（またはそれのみに対応する）ことができる。各ＣＥレベルは、１つのＣＥレベル（たとえばＣＥレベル２）に対する１、２または４つのＲＢ、および別のＣＥレベル（たとえばＣＥレベル１）に対する２、４、６つのＲＢなど、明確に定義された（または明確に決定された）セットを有することができる。
【０３８４】
別の例では、ＲＢ割り振りは、割り振られたＰＲＢの一部、たとえば、信号を搬送するためにＲＥ１〜６のみが使用されＲＥ７〜１２が使用されないＰＲＢであるＯＦＤＭトーンの選択されたサブセットを含む（またはそれのみを含む）ことができる。この例では、１つの利点は、ＣＥモードで動作しているＷＴＲＵが、パワースペクトル密度、たとえば、考慮されているＰＤＳＣＨ受信またはＰＵＳＣＨ送信期間のＲＥあたりの受信または送信電力を最大化することができるＰＤＳＣＨまたはＰＵＳＣＨ送信リソースが割り当てられ得ることである。同様に、割り振り可能なＲＢの明確に定義されたセットを制限または選択することは、チャネル符号化レートの適用を可能にすることができ、その適用は、リンクバジェットおよび通信範囲を増加し得る時間／周波数領域におけるＬＴＥエアインターフェースのパラメータ化を所与とするＭＴＣタイプのアプリケーションのための典型的な小さなペイロードについての符号化利得を最大化することができる。
【０３８５】
別の実施形態では、特定のＤＣＩフォーマットにおけるリソース割り振りビットフィールドの一部は、ＣＥモードで使用され得る（またはそれのみで使用され得る）。特定のＤＣＩフォーマットは、ＤＣＩフォーマット０および４を含むことができる。例えば、ＮＲＡビットのうちのＮＣＥ＿ＲＡビットがＣＥモードにおいて使用されることができ、ここでＮＲＡは、通常モードでの特定のＤＣＩにおけるリソース割り振りのためのビットの数であり、ＮＲＡは、ＮＣＥ＿ＲＡ以上であり得る。連続的なＮＣＥ＿ＲＡビットが昇順または降順で選択され得る。
【０３８６】
例において、残りのＮＲＡ−ＮＣＥ＿ＲＡビットは、ＣＥモード固有動作のために再使用され得る。たとえば、残りのビットが、ＰＵＳＣＨまたはＰＤＳＣＨ送信のためのＣＥモード反復レベルを示すために使用され得る。別の例では、残りのビットは、反復を有するＰＵＳＣＨまたはＰＤＳＣＨ送信のためのＣＥモードおよび／またはＣＥレベル周波数ホッピングパターンを示すために使用され得る。この場合、周波数ホッピングは、サブフレームから別のサブフレームへ使用され得る。
【０３８７】
別の例では、残りのＮＲＡ−ＮＣＥ＿ＲＡビットが仮想ＣＲＣとして使用されることができ、それにより、すべての残りのビットについて０または１のような予め定義されたビットシーケンスが使用され得るようにする。
【０３８８】
別の実施形態では、リソースブロックの数、ＭＣＳレベルの数、および／またはＨＡＲＱプロセスの数が、ＣＥモードにおいて制限され得る。例において、ＮＣＥ＿ＲＡはＣＥレベルに応じて定義され得る。より小さいＮＣＥ＿ＲＡがより高いＣＥレベルに対して使用されることができ、その場合、より高いＣＥレベルがより小さな反復数を表すことができる。ＤＣＩペイロードサイズは、たとえばより小さなＮＣＥ＿ＲＡビットのため、ＣＥレベルがより低くなると、より小さくなり得る。ＤＣＩペイロードサイズは、すべてのＣＥレベルについて同じに維持されることができ、使用されないビットが仮想ＣＲＣとして使用され得る。
【０３８９】
別の例では、ＭＣＳレベルのサブセットがＣＥモードに使用されてよく、サポートされるＭＣＳレベルの数は、ＣＥレベルに応じて異なり得る。より少数のビットが、より低いＣＥレベルのためのＭＣＳフィールドに使用され得る。たとえば、５ビットＭＣＳフィールドが通常モードのために使用され得るのに対し、４ビットＭＣＳフィールドがＣＥレベル１を有するＣＥモードのために使用され得る。３ビットＭＣＳフィールドがＣＥレベル２を有するＣＥモードのために使用され得る。ＤＣＩペイロードサイズは、たとえばより小さなＭＣＳフィールドのために、ＣＥレベルがより低くなると、より小さくなり得る。ＤＣＩペイロードサイズは、すべてのＣＥレベルについて同じに維持されることができ、使用されないビットが仮想ＣＲＣとして使用され得る。
【０３９０】
別の例では、ＨＡＲＱプロセスのサブセットがＣＥモードに使用されてよく、サポートされるＨＡＲＱプロセスの数は、ＣＥレベルに応じて異なり得る。より少数のＨＡＲＱプロセスが、ＣＥモードおよびより低いＣＥレベルのために使用され得る。たとえば、８つのＨＡＲＱプロセスが通常モードのために使用され得るのに対し、８つ未満のＨＡＲＱプロセスがＣＥモードのために使用され得る。例において、４つのＨＡＲＱプロセスがＣＥレベル１を有するＣＥモードでサポートされることができ、２つのＨＡＲＱプロセスがＣＥレベル２を有するＣＥモードでサポートされることができる。
【０３９１】
ＣＥモードにおけるまたはＣＥレベルのためのリソース割り振りは、予め決定された数Ｎallocとして定義され得る。例において、Ｎalloc個のＰＲＢ（たとえばＮ＝６）が、たとえば常に、ＣＥモードのため、またはＣＥモードの特定のレベルのために使用され得る。システム帯域幅が６つのＰＲＢより大きい場合、Ｎ  ＰＲＢの位置は、予め決定される、より高いシグナリングを介して構成される、またはＤＣＩから動的に示されることができる。別の例では、Ｎallocは、反復レベル（または反復数）の関数として決定され得る。
【０３９２】
１または複数のＵＬ電力制御パラメータおよび／または値について、ＷＴＲＵは、ＣＥモードおよび非ＣＥモード（たとえば通常モード）のための別個の値を、（たとえばｅＮｏｄｅＢから）受信すること、構成すること、（たとえばｅＮｏｄｅＢによって）構成されること、決定すること、計算すること、使用すること、または使用するのを意図することのうちの少なくとも１つを行うことができる。別個の値は、等しいまたは等しくないことがある。
【０３９３】
１または複数のＵＬ電力制御パラメータおよび／または値について、ＷＴＲＵは、１または複数のＣＥレベル（たとえば反復レベル）の各々のための別個の値を、（たとえばｅＮｏｄｅＢから）受信すること、構成すること、（たとえばｅＮｏｄｅＢによって）構成されること、決定すること、計算すること、使用すること、または使用するのを意図することのうちの少なくとも１つを行うことができる。別個の値は、等しいまたは等しくないことがある。
【０３９４】
サブフレームｉにおけるＰＵＳＣＨ（たとえばＰPUSCH,c（ｉ））および／またはＰＵＣＣＨ（たとえばＰPUCCH（ｉ））のＵＬ送信電力が、１または複数のＵＬ電力制御パラメータおよび値に基づいて決定されることができ、ここで、ＵＬ電力制御パラメータおよび値は、（ｉ）ＰCMAX,c（ｉ）、（ｉｉ）ΔF_PUCCH（Ｆ）、（ｉｉｉ）ＰO_PUCCH、ならびに／またはＰO_NOMINAL_PUCCHおよびＰO_UE_PUCCHを含むことができるそのパラメータのうちの少なくとも１または複数、（ｉｖ）ＰO_PUSCH,c（ｊ）、ならびに／またはＰO_NOMINAL_PUSCH,c（ｊ）およびＰO_UE_PUSCH,c（ｊ）を含むことができるそのパラメータのうちの少なくとも１または複数、（ｖ）αc（ｊ）、（ｖｉ）ΔTF,c（ｉ）、（ｖｉｉ）たとえばサブフレームｉにおける、ＰＵＣＣＨおよび／またはＰＵＳＣＨおよび／またはＳＲＳのための総送信電力、ならびに／または（ｖｉｉｉ）任意の他のＵＬ電力制御に関係付けられたパラメータのうちの少なくとも１つを含むことができる。
【０３９５】
例として、ＣＥモードにおいて、ＵＥは、特定の時間窓において、ＰCMAX,c（ｉ）、ＰPUSCH,c（ｉ）、および／またはＰPUCCH（ｉ）の値を、固定された値（または、特定の時間窓の最初のサブフレームにおいて決定された値）に設定することができ、特定の時間窓は、ＣＥレベルに関連付けられ得る反復窓内に配置され得る。（たとえば、いくつかの連続的サブフレームであり得る、またはそのように呼ばれ得る）特定の時間窓は、たとえばＰＵＳＣＨ送信のためのＣＥモードにおける反復の最低数以下であり得る、予め定義された数（またはｅＮＢによって構成された数）であり得る。あるいは、特定の時間窓は、ＵＥが動作することができる特定のＣＥレベルについての反復の数と同じであり得る。
【０３９６】
別の例として、ＣＥモードにおいて、ＵＥは、αc（ｊ）の値、たとえば、経路損失スカラーを１などの固定された値に設定することができる（または設定するように構成され得る）。ＵＥは、送信電力が最大値によって限定されない場合、ＵＬ電力を増加させることによって、経路損失、たとえば、ＰＬCを効果的に完全に補償することができる。別の例として、ＣＥモードにおいて、ＵＥは、経路損失と独立して送信電力を構成し得る０などの固定された値にαc（ｊ）の値を設定することができる（または設定するように構成され得る）。
【０３９７】
別の例として、ＣＥモードにおいて、ＷＴＲＵは、ＰＵＳＣＨおよび／またはＰＵＣＣＨ総電力の値を最大値、たとえばＰCMAX,c（ｉ）に設定することができる。ＷＴＲＵは、たとえば、この場合、送信電力が特定の値に固定されることができるので、閉ループ電力制御コマンド、たとえばＴＰＣコマンドを受信する必要がなくてよい。しかしながら、ＴＰＣシグナリングは、閉ループ電力制御ＴＰＣでない他の用途で使用されてよい。
【０３９８】
別の例として、ＣＥモードにおいて、ＷＴＲＵは、Ｎ個たとえば４個の異なる値のアルファ、たとえば｛１，８，６，４｝を用いて構成されることができ、それぞれが、ＷＴＲＵによって、対応して特定の反復、たとえば｛１，２，４，８｝について使用され得る。
【０３９９】
ＰＵＣＣＨ送信は、動作のモード（通常モードもしくはＣＥモード）および／またはＣＥレベルに応じて異なるように行うことができる。たとえば、最大送信電力は、ＷＴＲＵがＣＥモードと共にまたはＣＥモードを使用して構成された場合に、ＰＵＣＣＨ送信のために使用され得る。別の例では、電力制御式が、動作のモードおよび／またはＣＥレベルに応じてＰＵＣＣＨ送信に関して異なり得る。
【０４００】
通常モードにおいて、ＰＵＣＣＨ電力は、方程式１などの電力制御式または方程式に従って決定され得る。式と方程式は交換可能に使用され得る。
【０４０１】
ＣＥモードにおいて、たとえば方程式５に示されるように、スケーリングされた経路損失が電力制御式で使用されることができ、ここで、経路損失項ＰＬCは、βによってスケーリングされることができ、βは、０から１の値を有することができる。あるいは、βは「０」値を有することがあり、経路損失は補償されることがない。
【０４０２】
【数５６】
2020061785.tif 000061
【０４０３】
ＰO_PUCCHは、通常モードとＣＥモードで異なるように構成され得る。ＰO_PUCCH値、たとえば２つの値の一方は、動作のモードに応じて使用され得る。ＰO_PUCCH値は、ＣＥレベルに応じて個別に構成され得る。
【０４０４】
反復補償が提供および／または使用され得る。
【０４０５】
ＣＥモードにおけるＵＬ送信電力に対する反復レベルの影響は、電力制御および／または電力ヘッドルーム式に対する新しいコンポーネントの追加によってモデル化され得る。このコンポーネントは、反復レベルの関数としてモデル化され得る。ＵＬ電力制御式におけるこの追加のコンポーネントの一例は、ｄｃ（Ｒｐ）とすることができ、Ｒｐは、カバレッジ拡張反復レベルを示し（たとえば、２回の反復が使用され得るときにＲｐ＝２）、ｄｃ（．）は、すべてのコンポーネントキャリアｃに対して同じ場合または同じでない場合があるＲｐの関数を表す。このようにすることにより、ＰＵＳＣＨおよび／またはＰＵＣＣＨ電力制御式は、以下のようになり得る。
【０４０６】
【数５７】
2020061785.tif 000062
【０４０７】
【数５８】
2020061785.tif 000063
【０４０８】
ＵＬ電力制御式、たとえばｄｃ（Ｒｐ）で使用され得るこの追加のコンポーネントの例は、α×１０ｌｏｇ10（ｂ×Ｒｐ＋ｃ）とすることができ、ここで、ａ、ｂ、およびｃは、実装形態によって固定されもしくは決定され得る、ならびに／またはｅＮｏｄｅＢによってたとえばシグナリングによって動的および／もしくは準静的に構成され得る値を有するパラメータとすることができる。そのようなパラメータの例は、ａ＝ｂ＝１およびｃ＝０であり得る。これは、以下の電力制御追加コンポーネントを有する結果をもたらすことができる。
【０４０９】
ｄc（Ｒｐ）＝１０ｌｏｇ10（Ｒｐ）
ＰＵＳＣＨおよびＰＵＣＣＨ電力制御式は、以下のようになり得る。
【０４１０】
【数５９】
2020061785.tif 000064
【０４１１】
【数６０】
2020061785.tif 000065
【０４１２】
電力制御に関する上記または類似の式を使用することで、ＷＴＲＵが、たとえば、サブフレームごとに（または少なくともそれが送信をし得るサブフレームごとに）、与えられた反復レベルに対してそのＵＬ送信電力を調整することをもたらすことができる。
【０４１３】
初期ＰＵＣＣＨおよび／またはＰＵＳＣＨ送信電力は、ＷＴＲＵがｅＮｏｄｅＢからランダムアクセス応答（ＲＡＲ）を受信していることがあり得るＰＲＡＣＨ送信、たとえば、ｅＮｏｄｅＢによって成功裏に受信および／または復号されていることがあり得るＰＲＡＣＨの電力ランプアップに基づいて設定され得る。たとえば、ＰＵＳＣＨ電力計算におけるＴＰＣ累積項ｆｃ（ｉ）の初期値が、ＰＲＡＣＨ電力ランプアップ値に基づいて設定され得る。それは、サービングセルｃで送信された最初から最後のプリアンブルからの総電力ランプアップと、ｅＮｏｄｅＢからのランダムアクセス応答に含まれ得るＴＰＣコマンドに基づく任意の調整とを加えたものに等しく設定され得る。
【０４１４】
たとえば、累算器の初期値は、ｆｃ（０）＝ΔＰrampup,c＋δmsg2,cとすることができる。
【０４１５】
ＣＥモードは、カバレッジを拡張できる（または拡張するように意図され得る）様式で動作または意図される動作を表すために使用され得る。
【０４１６】
一例では、カバレッジ拡張（ＣＥ）を使用し得るまたはＣＥモードにあり得るようなＷＴＲＵは、その最大電力などの固定された電力（たとえば、ＷＴＲＵによって構成された最大電力）で送信をすることができる。
【０４１７】
別の例では、送信電力は、経路損失、ＴＰＣコマンド、受信されたパラメータ、レガシ電力制御方程式に含まれ得る任意の１または複数のファクタ、および反復の数などのうちの１または複数を含み得るファクタに基づいて、ＷＴＲＵによって決定され得る。ＷＴＲＵは、この電力で、ＷＴＲＵの構成された最大出力電力であり得るそれの最大の可能にされた電力を超えない限り、送信をすることができる。
【０４１８】
ＣＥモードのための電力ヘッドルーム（ＰＨ）およびＰＨ報告が提供および／または使用され得る。
【０４１９】
たとえばサービングセルに対する電力ヘッドルームＰＨｃは、ＷＴＲＵの算出された電力と、ＷＴＲＵの構成された最大出力電力、たとえばＰCMAX,cとの間の差として算出されることができ、ここで、この算出された電力、たとえばＰｃｏｍｐｕｔｅｄ＿ｕｎｃｏｎｓｔｒａｉｎｅｄ，ｃは、ＷＴＲＵの最大電力またはより高い優先度のチャネルに対する電力割り振りによって送信電力に対して課され得る制約を考慮しない（またはそれに先立つ）算出された電力とすることができる。
【０４２０】
電力ヘッドルームは、サブフレームｉにおけるサービングセル（またはＣＣ）ｃに関して以下の方程式によって表され得る。 
ＰＨｃ（ｉ）＝Ｐｃｍａｘ，ｃ（ｉ）−Ｐｃｏｍｐｕｔｅｄ＿ｕｎｃｏｎｓｔｒａｉｎｅｄ，ｃ（ｉ）    方程式６
【０４２１】
たとえば、ＰＵＣＣＨ送信無しでＰＵＳＣＨがあるサブフレームに関するＬＴＥ（またはＬＴＥ−Ａ）についてのＰＨは、
ＰＨtype1,c（ｉ）＝ＰCMAX,c（ｉ）−｛１０ｌｏｇ10（ＭPUSCH,c（ｉ））＋ＰO_PUSCH,c（ｊ）＋αc（ｊ）・ＰＬc＋ΔTF,c（ｉ）＋ｆc（ｉ）｝    方程式７
によって与えられ得る。
【０４２２】
カバレッジ拡張を使用し得るまたは必要とし得るＷＴＲＵの場合、ＷＴＲＵによって測定または決定され得る経路損失（ＰＬ）は、セル端ＷＴＲＵを含むことができる非ＣＥモードＷＴＲＵについての典型的ＰＬであり得るものより高くなり得る。これは、ＰＨレポート（ＰＨＲ）の報告された値の範囲で予期され得るよりも、算出される電力がより高く、ＰＨがより負となる結果をもたらし得る。
【０４２３】
例として、レガシＷＴＲＵは、値間の特定のステップ（たとえば１ｄＢ）を有する特定の範囲のＰＨ値（たとえば［−２３：４０］ｄＢ）を表すことができる可能な値の特定の数（たとえば６４）に対応することができる特定の数のビット（たとえば６）を使用して、電力ヘッドルーム値を報告することができる。より高いＰＬを経験し得るＷＴＲＵは、その範囲の外の値を報告する必要があり得る。
【０４２４】
ＣＥモードに関して、ＣＥ様式で動作しているとき（たとえば、カバレッジ拡張のための反復を採用しているとき）にＰＨ報告のために、または別の理由もしくは条件のために、報告のためのＰＨ値に対するＰＨの（たとえばレガシマッピングからの）少なくとも１つの異なるマッピングがあり得る。たとえば、ＣＥモードのための１つの新しいマッピングがあり得る。別の例では、１つのＣＥ（または反復）レベルが、別のＣＥ（または反復）レベルと異なるマッピングを有することができる。ＣＥ（または反復レベル）ごとに異なるマッピングがあってもよい。
【０４２５】
ＣＥモードにおいて、カバレッジ拡張様式で動作しているとき（たとえば、カバレッジ拡張のための反復を採用しているとき）にＰＨ報告のために、または別の理由もしくは条件のために、ＷＴＲＵは、報告のためのＰＨ値に対する算出されたまたは他の形式で決定されたＰＨ値をマッピングするときに、異なる数のビット、異なる数の利用可能な値、異なる範囲、および／または異なるステップサイズのうちの１または複数を使用することができる。ＷＴＲＵが使用するマッピングは、ＷＴＲＵが、ＣＥモードにあるか、またはそうでなくＷＴＲＵが使用する（もしくは使用することを意図する）もしくは使用している（もしくは使用することを意図している）ことができるカバレッジ拡張された様式および／またはＣＥレベルもしくは反復レベルで動作している（もしくは動作することを意図している）かに依存し得る。
【０４２６】
例として、ＣＥモードで動作中でないＷＴＲＵは、非ＣＥモードまたはレガシマッピング、たとえば１ｄＢステップで［−２３：４０］ｄＢを使用することができる。ＣＥモードで動作中であり得るＷＴＲＵは、１ｄＢのステップサイズで［−４０：２３］ｄＢまたは２ｄＢのステップサイズで［−８０：４７］ｄＢなど、別のマッピングを使用することができる。別の例では、１つのＣＥレベルたとえばＣＥレベル１を有するＣＥモードで動作中であり得るＷＴＲＵが、１ｄＢのステップサイズで［−２８：３５］ｄＢなどのマッピングを使用することができ、別のＣＥレベルたとえばＣＥレベル２を有するＣＥモードで動作中であり得るＷＴＲＵが、１ｄＢのステップサイズで［−３３，３０］などのマッピングを使用することができる。
【０４２７】
ＷＴＲＵは、ＣＥモードと非ＣＥモードの間、ならびに／またはＣＥ（もしくは反復）レベルの間で変わることができる。ＷＴＲＵは、それがＰＨＲを決定および／または送信するときに、そのモードまたはＣＥ（もしくは反復）レベルに対応することができるＰＨＲマッピングを使用することができる。
【０４２８】
ＷＴＲＵの算出された送信電力は、ＷＴＲＵがＵＬにおいて行っていることが可能な反復のための補償係数を含むことができる。そのような反復は、ＷＴＲＵが各サブフレームにおけるその電力を減少することを可能にできる複数のサブフレームにわたる利得を提供することができる。本明細書に先に説明されたように、補償係数、たとえばｄｃ（Ｒｐ）は、算出に含まれることができる。
【０４２９】
送信のための算出された電力が補償係数を含む場合、算出された電力のその使用におけるＰＨ算出も補償係数を含むことができる。これは、サブフレームにおけるＷＴＲＵのヘッドルームのより正確な表現を、ｅＮｏｄｅＢに提供することができる。あるいは、補償係数は、算出された電力からＰＨ算出のために除去されてもよい。これは、サブフレームにおけるＷＴＲＵが経験していることがあり得るＰＬのより正確な表現を、ｅＮｏｄｅＢに提供することができる。補償係数がｅＮｏｄｅＢによって決定され得る場合、ＷＴＲＵとｅＮｏｄｅＢが同じ理解を有する限り、どの手法が採られ得るかは問題となることがない。
【０４３０】
送信のための算出された電力が補償係数を含むことがない場合、算出された電力のその使用におけるＰＨ算出も補償係数を含まなくてよい。あるいは、補償係数は、ＰＨ算出のために（たとえば、そのためのみに）算出された電力に含められてもよい。
【０４３１】
ＷＴＲＵが、たとえば固定された送信電力（たとえばその最大送信電力の使用）の場合であり得るように、送信のための送信電力を算出することがない場合に、ＷＴＲＵがＰＨを算出し（または他の形式で決定し）それをたとえばｅＮｏｄｅＢに報告することが（たとえば依然として）有用であり得る。
【０４３２】
ＰＨは通常のやり方で算出されることができ、またはレガシＰＨ計算に含まれる１または複数の係数が除去される、０に設定される、もしくは固定された値に設定されることができる。
【０４３３】
たとえば、固定された電力での送信のために、ＴＰＣコマンドが使用されなくてよい。結果として、ＴＰＣ累積係数が除去され、または０に設定され得る。
【０４３４】
ｅＮｏｄｅＢは、通常またはレガシのＰＨ算出、たとえば、方程式７に示されたＴｙｐｅ１ＰＨにおける要素のいくつかの値を認識する（または算出できる）ことが可能なので、基準グラントもしくはフォーマットを使用するまたはそれに基づくことができる修正されたまたは仮想のＰＨレポートを送ることが有用であり得る。
【０４３５】
たとえば、ＷＴＲＵがサブフレームに対する実際のグラントの代わりに基準グラント（たとえば１ＲＢ）を使用することができ、それは、グラントに基づくことができる項（たとえば、ＭＰＵＳＣＨ，ｃ（ｉ））を除去することと等価であり得る。
【０４３６】
別の例では、ＷＴＲＵは、ＰＬ項（またはＰＬ項および反復補償項）以外のすべての項を除去することができ、その項（またはそれらの項）に基づいてＰＨを算出することができる。ＷＴＲＵは、ＰＬ項について乗数（たとえばαc）を含めるまたは除外することができる。たとえば、ＷＴＲＵは、以下のように算出され得るＰＨ値に対応することができるＰＨＲを送信することができる。
【０４３７】
ＰＨｃ（ｉ）＝Ｐｃｍａｘ，ｃ（ｉ）−１０ｌｏｇ１０（ＰＬ）
【０４３８】
または
【０４３９】
ＰＨｃ（ｉ）＝Ｐｃｍａｘ，ｃ（ｉ）−１０ｌｏｇ１０（αc×ＰＬ）
【０４４０】
ＰＨＲは、ＰＨｃおよび／またはＰｃｍａｘ，ｃを表す値を含むことができる。
【０４４１】
ＰＨＲは、Ｐ−ＭＰＲが報告されたＰｃｍａｘ，ｃ値に影響を与えていることがあるかどうかに関する標識を含み得るまたは含むこともできる。Ｐ−ＭＰＲは、たとえば、ＷＴＲＵが人体に近接し得るとき、および／またはＷＴＲＵが複数の無線アクセス技術（ＲＡＴ）上で送信し得るときに、たとえば、比吸収率（ＳＡＲ）要件などの特定の要件を満たすために、ＷＴＲＵがとり得る電力管理低減であり得る。
【０４４２】
たとえば、ＷＴＲＵが最大電力などの固定された電力で送信をする場合に、ＰＨ値がｅＮｏｄｅＢに有用であり得るかどうかに関わらず、Ｐｃｍａｘ，ｃの値は、たとえば、ＷＴＲＵが送信中であり得る電力を知るためにｅＮｏｄｅＢに有用であり得る。
【０４４３】
たとえば、カバレッジ拡張を必要とし得るまたは使用し得るＷＴＲＵが、たとえば人間近接性に基づいて、Ｐ−ＭＰＲによって影響されるその最大電力を有することができ、ＷＴＲＵの最大送信電力（または構成された最大出力電力）が変動することが可能である。
【０４４４】
一実施形態では、ＷＴＲＵは、たとえば、全くＰＨｃ値なしに、サービングセルｃのためのＰｃｍａｘ，ｃを含むことができるＰＨＲを送ることができる。
【０４４５】
ＰＬおよび／またはＳｃｅｌｌアクティブ化トリガなどの特定のトリガ（たとえばレガシトリガ）は、ＣＥモードＷＴＲＵによって使用されなくてよい。Ｐ−ＭＰＲトリガは、ＣＥモードＷＴＲＵによって使用されても使用されなくてもよい。
【０４４６】
別の実施形態では、新しいメカニズム、たとえば、新しいＭＡＣ制御要素（ＭＡＣ−ＣＥ）またはＲＲＣシグナリングが、ＷＴＲＵによってＰｃｍａｘ，ｃをｅＮｏｄｅＢに送信するために使用され得る。Ｐ−ＭＰＲが報告されたＰｃｍａｘ，ｃ値に影響を与えていることがあるかどうかに関する標識が新しいシグナリングに含まれ得る。１または複数のＰＨＲトリガ（たとえばレガシＰＨＲトリガ）が、このシグナリングをトリガするために使用され得る。
【０４４７】
ＤＬ制御チャネルに対するリンクアダプテーションが提供および／または使用され得る。実施形態において、（Ｅ）ＰＤＣＣＨのＷＴＲＵ固有探索空間は、動作のモード（たとえば通常モードもしくはＣＥモード）および／またはＣＥレベルに依存し得る。
【０４４８】
ＷＴＲＵ固有探索空間は、通常モードでは（または通常モードのために）、すべてダウンリンクサブフレームにおいて構成され得るのに対し、ＷＴＲＵ固有探索空間は、ＣＥモードでは（またはＣＥモードのために）、サブセットＤＬサブフレームにおいて構成され得る。ＷＴＲＵが通常モードで構成される場合、ＷＴＲＵはすべてのダウンリンクサブフレームにおいて（Ｅ）ＰＤＣＣＨを監視することができ、および／または、ＷＴＲＵがＣＥモードで構成される場合、ＷＴＲＵはＤＬサブフレームのサブセットにおいて（Ｅ）ＰＤＣＣＨを監視することができる。
【０４４９】
ＣＥモードにおける（Ｅ）ＰＤＣＣＨに関するサブフレームのサブセットは、ＣＥレベルに応じて異なり得る。各ＣＥレベルについてのサブフレームのサブセットは、部分的に重複されることがある。ＷＴＲＵは、使用されるＣＥレベルに基づいて、異なるセットのサブフレームにおいて（Ｅ）ＰＤＣＣＨを監視することができる。
【０４５０】
（Ｅ）ＰＤＣＣＨ監視に関するサブフレームのサブセットは、ＣＥレベルについての（Ｅ）ＰＤＣＣＨ反復の数の関数として定義されてよい。
【０４５１】
（Ｅ）ＰＤＣＣＨ監視に関するサブフレームのサブセットは、ＣＥレベルに応じて予め定義されてよい。
【０４５２】
（Ｅ）ＰＤＣＣＨ監視に関するサブフレームのサブセットは、より高い層のシグナリングを介して構成されてよい。
【０４５３】
ＷＴＲＵ固有探索空間は、ＣＥモードについての反復の数を用いて定義され得る。たとえば、ＷＴＲＵ固有探索空間のための表が、アグリゲーションレベルおよび反復の数の組み合わせとして定義され得る。例が表４に提供される。
【０４５４】
ＰＤＣＣＨに関して、ＷＴＲＵは、より高い層のシグナリングによって予め定義されまたは構成され得る反復の数を伴う｛１，２，４，８｝などのアグリゲーションレベルセットを監視することができる。特定のアグリゲーションレベルについて、２つ以上の反復が使用され得る。
【０４５５】
ＥＰＤＣＣＨ分散モードでは、ＷＴＲＵは、より高い層のシグナリングによって予め定義されまたは構成され得る反復の数を組み合わせた｛１，２，４，８，１６｝などのアグリゲーションレベルセットを監視することができる。
【０４５６】
複数の反復レベルを有する特定のアグリゲーションレベルに関して、（Ｅ）ＰＤＣＣＨリソースが部分的に重複され得る。たとえば、アグリゲーションレベル４を有する２つの候補が存在することができ、１つは４回の反復を使用し、他方は８回の反復を使用する場合、最初の４回の反復が２つの候補に関して重複され得る。ＷＴＲＵが、４回の反復を伴う（Ｅ）ＰＤＣＣＨ候補を有する（Ｅ）ＰＤＣＣＨを受信した場合、ＷＴＲＵは、８回の反復を伴う（Ｅ）ＰＤＣＣＨ候補の復号をスキップすることができる。
【０４５７】
反復の数は、たとえば表４に示されるように、アグリゲーションレベルに応じて異なり得る。
【０４５８】
【表４】
2020061785.tif 000066
【０４５９】
別の実施形態では、ＷＴＲＵ固有探索空間におけるアグリゲーションレベルのセットは、たとえば表５に示されるように、動作のモード（たとえば通常モードもしくはＣＥモード）および／またはＣＥレベルに依存し得る。
【０４６０】
アグリゲーションレベルのサブセットは、ＣＥレベルに応じて使用され得る。たとえば、反復のセットを有するアグリゲーションレベルセット｛１，２｝は、ＣＥレベル１に使用されることができ、反復のセットを有するアグリゲーションレベルセット｛４，８｝は、ＣＥレベル２に使用されることができ、ここで、反復のセットは、より高い層のシグナリングによって予め定義されまたは構成され得る。
【０４６１】
アグリゲーションレベルのセットは、各ＣＥレベルについて部分的に重複され得る。たとえば、ＣＥレベル２は、アグリゲーションレベルセット｛４，８｝を使用することができ、ＣＥレベル３は、アグリゲーションレベルセット｛８，１６｝を使用することができる。
【０４６２】
ＥＰＤＣＣＨ局所化された送信が、動作の特定のモードまたは特定のＣＥレベルにおいてサポートされ得る。たとえば、ＥＰＤＣＣＨ局所化された送信は、通常モードおよび／またはＣＥレベル１（たとえば、最少数の反復を使用できる最低ＣＥレベル）において（または、それのみにおいて）サポートされ得る。
【０４６３】
【表５】
2020061785.tif 000067
【０４６４】
別の実施形態では、特定のアグリゲーションレベルがＣＥモードで使用されることができ、反復の数は、ＣＥレベルの関数として決定されることができる。アグリゲーションレベルは、特定のサブフレーム、より高い層の構成された数、または予め定義された数でのＰＲＢの特定の数（たとえば、ＣＥモードに使用され得るＰＲＢ、またはＣＥモードにおける（Ｅ）ＰＤＣＣＨに対する割り振られたＰＲＢの最大数）内の（Ｅ）ＣＣＥの最大数であり得る。たとえば、監視され得る（Ｅ）ＰＤＣＣＨ候補は、特定の数のアグリゲーションレベル（たとえば１６）を有する各ＣＥレベルの反復数に基づいて定義され得る。例が表６に提供される。
【０４６５】
【表６】
2020061785.tif 000068
【０４６６】
別の実施形態では、たとえば、異なる反復数を有する同じアグリゲーションレベルを持つ（Ｅ）ＰＤＣＣＨ候補の間の曖昧さを回避するために、（Ｅ）ＰＤＣＣＨの反復数が、ＤＣＩ（たとえば受信されたＤＣＩ）において示されることができる。あるいは、異なるＣ−ＲＮＴＩが各反復数に対して使用されることができる。たとえば、Ｃ−ＲＮＴＩ−１が、特定のＣＥレベル内の第１の反復数に対して使用されることができ、（たとえば、表６の例におけるＣＥレベル１でのＲ＝２およびＣＥレベル２でのＲ＝８）、Ｃ−ＲＮＴＩ−２が、同じＣＥレベル内の第２の反復数に対して使用されることができる。（Ｅ）ＰＤＣＣＨのための、またはそれによってもしくはそれと共に使用するための、（またはＰＤＣＣＨのためにもしくはそれによって使用される）受信され、示され、または検出された反復数は、関連付けられたＰＤＳＣＨおよび／またはＰＵＳＣＨの開始サブフレームを決定するために使用され得る。
【０４６７】
別の実施形態では、ＷＴＲＵ（たとえば、ＷＴＲＵ受信機実装形態）は、動作のモード（たとえば、通常モードもしくはＣＥモード）および／またはＣＥレベルに応じて、（Ｅ）ＰＤＣＣＨを監視することができる。
【０４６８】
ＷＴＲＵは、より低いアグリゲーションレベルおよび反復数を復号することを開始することができ、ここで、より低いアグリゲーションレベルは、より小さいＬとすることができ、より低い反復数は、より小さいＲとすることができる。ＷＴＲＵが（Ｅ）ＰＤＣＣＨの受信に成功した場合、ＷＴＲＵは、（たとえば追加または別の）（Ｅ）ＰＤＣＣＨの復号をスキップすることができる。
【０４６９】
ＷＴＲＵがＣＥモードにおいて反復Ｒを有する（Ｅ）ＰＤＣＣＨを監視するとき、ＷＴＲＵは、復号されたソフトビット、変調シンボル、および／またはＯＦＤＭシンボルを含むことができる受信された信号を統合してよい。ＷＴＲＵは、反復の数が完了するまで、統合された信号の復号を試みることがない。
【０４７０】
ＷＴＲＵがＣＥモードにおいて反復Ｒを有する（Ｅ）ＰＤＣＣＨを監視するときＷＴＲＵは、受信された信号を統合してよく、各反復においてＣＲＣを復号およびチェックすることを試み続けてよい。
【０４７１】
（Ｅ）ＰＤＣＣＨ共通探索空間のリンクアダプテーションが、提供および／または使用され得る。
【０４７２】
実施形態において、（Ｅ）ＰＤＣＣＨ共通探索空間は、通常モード動作とＣＥモード動作で別々に定義または構成されることができ、ここで、別々にすることは、（ｉ）異なる時間／周波数リソース、（ｉｉ）異なるセットの（Ｅ）ＣＣＥ、および／または（ｉｉｉ）異なるセットの（Ｅ）ＲＥＧなど、異なるリソースに基づくことができる。通常モードおよびＣＥモードのためのリソースは、互いに排他的であってもよく、部分的に重複されてもよい。
【０４７３】
ＷＴＲＵは、ＣＥモード動作のために予約され得る別個の（Ｅ）ＣＣＥを監視することができる。たとえば、各サブフレーム内の最初の１６個のＣＣＥ（たとえば、（Ｅ）ＣＣＥ＃０〜（Ｅ）ＣＣＥ＃１５）が、通常モード動作における（Ｅ）ＰＤＣＣＨ共通探索空間のために使用されることができ、通常モードに使用される（Ｅ）ＣＣＥと重複されていない（Ｅ）ＣＣＥが、ＣＥモード固有共通探索空間のために定義または構成され得る。
【０４７４】
ＣＥモード固有共通探索空間のための（Ｅ）ＣＣＥは、（Ｅ）ＣＣＥ＃１６〜（Ｅ）ＣＣＥ＃２３に配置され得る。ＣＥモードで動作しているＷＴＲＵは、ＣＥモード固有共通探索空間における（Ｅ）ＰＤＣＣＨを監視することができる。
【０４７５】
ＷＴＲＵは、ＣＥモード固有共通探索空間において（Ｅ）ＰＤＣＣＨ（またはＤＣＩ）のサブセットを監視することができ、通常モード共通探索空間においてその他の（Ｅ）ＰＤＣＣＨ（またはＤＣＩ）を監視することができる。たとえば、Ｐ−ＲＮＴＩおよびＲＡ−ＲＮＴＩを有する（Ｅ）ＰＤＣＣＨが、ＣＥモード固有共通探索空間で監視され得るのに対し、その他の（Ｅ）ＰＤＣＣＨが、通常モード共通探索空間で監視され得る。
【０４７６】
別の実施形態では、ＲＮＴＩのサブセットが、ＣＥモード動作のための（Ｅ）ＰＤＣＣＨ共通探索空間においてサポートされ得る。たとえば、ＷＴＲＵは、通常モード共通探索空間において、ＲＡ−ＲＮＴＩ、ＳＩ−ＲＮＴＩ、Ｐ−ＲＮＴＩ、およびｅＩＭＴＡ−ＲＮＴＩのうちの１または複数によってスクランブルされ得るＤＣＩを監視することができるのに対し、ＷＴＲＵは、ＣＥモード共通探索空間において、ＲＡ−ＲＮＴＩおよびＰ−ＲＮＴＩを監視する（たとえば、それらのみを監視する）ことができる。（Ｅ）ＰＤＣＣＨ共通探索空間と共通探索空間は交換可能に使用され得る。
【０４７７】
通常モード共通探索空間では、アグリゲーションレベル、たとえば｛４，８｝が、反復を伴って使用され得るのに対し、ＣＥモード固有共通探索空間では、単一のアグリゲーションレベル（たとえば最大アグリゲーションレベル）が使用され得る。
【０４７８】
別の実施形態では、（Ｅ）ＰＤＣＣＨ共通探索空間は各ＣＥレベルについて別々に定義され得る。たとえば、ＣＥレベル１およびＣＥレベル２に対する共通探索空間は、異なる時間および／もしくは周波数位置、または異なるセットの（Ｅ）ＣＣＥを有する同じ時間および／もしくは周波数位置にあり得る。ＷＴＲＵは、決定または構成されたＣＥレベルに基づいて、対応する共通探索空間における特定のＤＣＩを監視することができる。別の例では、より低いＣＥレベルに対する共通探索空間は、より高いＣＥレベルに対する共通探索空間のサブセットとすることができ、ここで、より低いＣＥレベルは、より小さい数の反復を有することができる。異なるＣＥレベルに対する共通探索空間は、異なる数のアグリゲーションレベルおよび／または反復数を有することができる。
【０４７９】
ＣＥモード固有共通探索空間における（Ｅ）ＰＤＣＣＨ候補は、アグリゲーションレベル（ΝAL）と反復レベル（ＮR）の組み合わせとして定義され得る。特定の総アグリゲーションレベル（ΝTAL＝ΝAL＊ＮR）に対する１または複数の（Ｅ）ＰＤＣＣＨ候補は、ＣＥモード固有共通探索空間において定義され得る。ＣＥモード固有共通探索空間における（Ｅ）ＰＤＣＣＨ候補は、単一のアグリゲーションレベルおよび複数の反復レベルを有することができる。ＣＥモード固有共通探索空間における（Ｅ）ＰＤＣＣＨ候補は、単一の反復レベルを有する複数のアグリゲーションレベルを有することができる。反復レベルおよび／またはアグリゲーションレベルは、ＲＮＴＩおよびＤＣＩフォーマットのうちの少なくとも１つの関数として決定され得る。例において、ＲＡ−ＲＮＴＩによってスクランブルされたＤＣＩを搬送している（Ｅ）ＰＤＣＣＨは、反復レベルＮ1（たとえば２０）で監視されることができ、Ｐ−ＲＮＴＩによってスクランブルされたＤＣＩを搬送している（Ｅ）ＰＤＣＣＨは、反復レベルＮ2（たとえば３０）で監視されることができる。別の例では、ＤＣＩフォーマットＡ（たとえばＤＣＩフォーマット１Ａ）を搬送している（Ｅ）ＰＤＣＣＨは、反復レベルＮ1（たとえば２０）で監視されることができ、ＤＣＩフォーマットＢ（たとえばＤＣＩフォーマット１Ｃ）を搬送している（Ｅ）ＰＤＣＣＨは、反復レベルＮ2（たとえば３０）で監視されることができる。
【０４８０】
ＣＥモード固有共通探索空間は、サブフレームのサブセットに配置され得る。例において、ＣＥモード固有共通探索空間は、連続的なＮCSS個のサブフレームとして定義されることができ、これは、共通検索バーストと呼ばれることがあり、共通検索バーストは周期的様式で配置され得る。ＣＥモード動作におけるＷＴＲＵは、共通探索空間バーストとして定義され得るサブフレームのサブセットにおいてＣＥモード固有共通探索空間（たとえば、それのみ）を監視することができる。連続的なＮCSS個のサブフレーム内で、（Ｅ）ＰＤＣＣＨ候補が反復して送信され得る。
【０４８１】
別の実施形態では、通常モード（Ｅ）ＰＤＣＣＨ共通探索空間のために使用される（Ｅ）ＣＣＥのサブセットが、ＣＥモード固有（Ｅ）ＰＤＣＣＨ共通探索空間のために使用され得る。
【０４８２】
最初の８個の（Ｅ）ＣＣＥ（たとえば、（Ｅ）ＣＣＥ＃０〜（Ｅ）ＣＣＥ＃７）が、ＣＥモード固有共通探索空間のために使用され得る。あるいは、最初の４個の（Ｅ）ＣＣＥが、ＣＥモード固有共通探索空間のために使用され得る。単一のアグリゲーションレベルが使用され得る。たとえば、アグリゲーションレベル８がＣＥモード固有共通探索空間において使用され得る。反復窓が定義されることができ、ＣＥモード固有共通探索空間において送信され得る（Ｅ）ＰＤＣＣＨが、反復窓内で反復して送信され得る。アグリゲーションレベルは、反復窓に応じて変更され得る。たとえば、重複されていない反復窓が、ＣＥモード固有共通探索空間のために定義されることができ、アグリゲーションレベルは、その反復窓に応じて変更され得る。
【０４８３】
ＣＥモード固有共通探索空間は、サブフレームのサブセットに配置され得る。ＣＥモードのために使用される（Ｅ）ＣＣＥのサブセットは、サブフレームのサブセットにおいて（たとえば、それのみにおいて）予約され得る。ＣＥモードで動作しているＷＴＲＵは、サブフレームがＣＥモード固有共通探索空間を含む場合、サブフレームのサブセットにおける共通探索空間を監視することができる。ＣＥモード固有共通探索空間を含むサブフレームのサブセットは、より高い層のシグナリングを介して構成され得る。ＣＥモード固有共通探索空間を含むサブフレームのサブセットは、サブフレーム番号、ＳＦＮ番号、物理セルＩＤ、および／またはＷＴＲＵ−ＩＤのうちの少なくとも１つの関数として定義され得る。
【０４８４】
別の実施形態では、ＲＮＴＩ固有反復窓が定義および／または使用され得る。たとえば、時間領域で重複されることがない複数の反復窓が定義および／または使用されてよく、特定のＲＮＴＩベースの（Ｅ）ＰＤＣＣＨが反復窓ごとに送信され得る。ＲＡ−ＲＮＴＩによってスクランブルされたＤＣＩを搬送している（Ｅ）ＰＤＣＣＨは、特定の反復窓で送信されることができ、Ｐ−ＲＮＴＩによってスクランブルされたＤＣＩを搬送している（Ｅ）ＰＤＣＣＨは、別の反復窓で送信されることができ、この反復窓は、ＲＡ−ＲＮＴＩによってスクランブルされたＤＣＩを搬送している（Ｅ）ＰＤＣＣＨのための反復窓と重複されることがない。特定の反復窓で受信された（Ｅ）ＰＤＣＣＨは、反復窓の時間位置に基づいて特定のＲＮＴＩとして（たとえば黙示的に）決定され得る。ＲＡ−ＲＮＴＩについての反復窓は、カバレッジ拡張されたＰＲＡＣＨリソースの最後のサブフレームの数フレーム後に配置され得る。ＲＮＴＩ固有反復窓についてのリソース構成情報が、ブロードキャストチャネルで送信され得る（たとえばＳＩＢ）。
【０４８５】
ブロードキャストチャネルのリンクアダプテーションが提供および／または使用され得る。レガシＰＢＣＨおよびＣＥ  ＰＢＣＨなど、２つのタイプ（または少なくとも２つのタイプ）のＰＢＣＨがセル内で送信され得る。レガシＰＢＣＨは、すべての無線フレーム内のサブフレーム０において送信されるＰＢＣＨであってよく、無線フレーム内で反復されることがない。ＣＥ  ＰＢＣＨは、サブフレーム０以外のサブフレームにおいて送信されるＰＢＣＨであってよく、無線フレーム内で反復されてよい。ＣＥ  ＰＢＣＨは、レガシＰＢＣＨを含まないＯＦＤＭシンボルにおいてサブフレーム０で送信されてよい。ＷＴＲＵは、レガシＰＢＣＨおよび／またはＣＥ  ＰＢＣＨを受信して、マスタ情報ブロック（ＭＩＢ）情報を得ることができる。いくつかの実施形態では、たとえば、ＣＥ  ＰＢＣＨが無線フレームにおけるレガシＰＢＣＨの反復である場合、レガシＰＢＣＨは、ＣＥ  ＰＢＣＨの反復のうちの１つとみなされ得る。ＣＥｒ  ＰＢＣＨは、レガシＰＢＣＨ送信を含むことがないＣＥ  ＰＢＣＨ送信を表すために使用され得る。
【０４８６】
実施形態において、ＷＴＲＵまたはＷＴＲＵ受信機（たとえば、ＰＢＣＨ受信のためのＷＴＲＵ受信機）がレガシＰＢＣＨの復号を試みることができ、それが失敗することがある場合、ＰＢＣＨを成功裏に復号しＭＩＢを得るために、ＣＥｒ  ＰＢＣＨを復号し、ならびに／またはレガシＰＢＣＨおよび／もしくはＣＥｒ  ＰＢＣＨの１もしくは複数の反復を組み合わせることを試みることができる。
【０４８７】
ＷＴＲＵは、レガシＰＢＣＨの復号を（たとえば最初に）試みることができる。ＷＴＲＵが特定のＰＢＣＨサイクル内でレガシＰＢＣＨを受信および／または復号することに失敗した場合（ここで、特定のＰＢＣＨサイクルは、ＭＩＢ情報が変更されない（または変更されないことが可能な）４０ｍｓの窓であり得る）、ＷＴＲＵは、レガシＰＢＣＨを受信および／または復号しようと試み続けることができる。
【０４８８】
１または複数のイベントが、ＣＥｒ  ＰＢＣＨを復号する（または復号を試みる）ようにＷＴＲＵをトリガし得る。ＣＥｒ  ＰＢＣＨを受信および／または復号することは、ＣＥｒ  ＰＢＣＨの複数の反復を互いにおよび／またはレガシＰＢＣＨと組み合わせることを含むことができる。たとえば、ＷＴＲＵがレガシＰＢＣＨの復号をＫ回失敗した場合、ＷＴＲＵは、ＣＥｒ  ＰＢＣＨの受信および／または復号を開始することができる。数Ｋは、ＷＴＲＵ実装形態において固定された数とすることができる。あるいは、数Ｋは、ＲＳＲＰ測定レベルに応じて異なる数としてもよい。タイマが、レガシＰＢＣＨを介してＭＩＢを受信するために使用されてよく、ＷＴＲＵがタイマが満了する前にＰＢＣＨの復号に成功できない場合、ＷＴＲＵは、タイマが満了したときまたはその後に、ＣＥｒ  ＰＢＣＨの受信および／または復号を開始することができる。
【０４８９】
ＷＴＲＵは、ＣＥｒ  ＰＢＣＨがセル内でサポートされるかどうかをチェックすることができ、サポートされる場合にＣＥｒ  ＰＢＣＨを使用することができる。
【０４９０】
ＷＴＲＵはセル探索手順を行うことができ、セル探索手順が完了されると、ＷＴＲＵはＰＢＣＨの受信を開始することができる。ＷＴＲＵが、セル探索手順を完了する（たとえば、同期チャネルを受信する）ための特定の（たとえば、予め定義された）閾値よりも多い時間を消費する（または消費した）場合、ＷＴＲＵは、ＣＥｒ  ＰＢＣＨの受信および／または復号を開始することができる。ＷＴＲＵは、別様にレガシＰＢＣＨの受信および／または復号を開始してもよい。閾値は、通常モードにおいて、同期チャネル受信のための時間要件として設定され得る。ＷＴＲＵが、セル探索手順を完了するための予め定義された閾値よりも多い時間を消費する（または消費した）場合、ＷＴＲＵは、まず、ＣＥｒ  ＰＢＣＨがセルにおいてサポートされているかどうかをチェックしてもよい。ＣＥｒ  ＰＢＣＨプロービングのために、ＷＴＲＵは、相関器を使用して、レガシＰＢＣＨ信号および無線フレーム内の他の時間位置のレガシＰＢＣＨの反復の相関付けが行われ得るようにすることができる。これら２つの信号の自己相関が予め定義されたレベルよりも高い場合、ＷＴＲＵは、ＣＥｒ  ＰＢＣＨがセルでサポートされるとみなすことができる。次いで、ＷＴＲＵは、ＣＥｒ  ＰＢＣＨによってＰＢＣＨ受信手順を行うことができる。
【０４９１】
ＳＩＢが特定のサブフレームにおいて送信され得る。たとえば、ＳＩＢ１がすべての無線フレーム内のサブフレーム＃５で送信されることができ、スケジューリング情報を搬送できる関連付けられた（Ｅ）ＰＤＣＣＨが、サブフレームにおいてＳＩ−ＲＮＴＩによってスクランブルされたＣＲＣであり得る。リソース割り振りおよびＭＣＳレベルが、ＳＩＢ１送信のために各サブフレームにおいて動的に選択され得る。
【０４９２】
カバレッジ拡張されたＳＩＢ（coverage enhanced SIB：ＣＥ−ＳＩＢ）が、ＣＥモード動作のため、および／またはＣＥモードで動作中であり得るＷＴＲＵのためにシステム情報を搬送することができる。
【０４９３】
実施形態において、ＣＥ−ＳＩＢに対する関連付けられた（Ｅ）ＰＤＣＣＨが、複数のサブフレームにわたって送信され得る。たとえば、関連付けられた（Ｅ）ＰＤＣＣＨは、時間窓内の複数のサブフレームにわたって反復して送信され得る。ＷＴＲＵは、（たとえば最初に）時間窓内でＣＥ−ＳＩＢに対する関連付けられた（Ｅ）ＰＤＣＣＨを受信することができ、（たとえば次いで）関連付けられた（Ｅ）ＰＤＣＣＨを介して搬送された情報に基づいて、ＣＥ−ＳＩＢを受信することができる。ＣＥ−ＳＩＢに対する関連付けられた（Ｅ）ＰＤＣＣＨは、ＣＥ−ＳＩＢに対する特定のＲＮＴＩと共に送信され得る。
【０４９４】
別の実施形態では、ＣＥ−ＳＩＢは、特定の時間／周波数（たとえば時間および／もしくは周波数）位置、ならびに／または特定のＭＣＳレベルで送信され得る。ＷＴＲＵは、関連付けられた（Ｅ）ＰＤＣＣＨ無しにＣＥ−ＳＩＢを受信することができる。特定の時間／周波数位置は予め定義されてもよい。特定の時間／周波数位置はセルＩＤの関数として決定されてもよい。特定の時間／周波数位置はＭＩＢを介して示されてもよい。例において、ＷＴＲＵは、ＣＥ−ＳＩＢのためのスケジューリング情報を提供することができる標識（たとえば、ＭＩＢでシグナリングされ得る標識）を、ｅＮＢから受信することができる。スケジューリング情報は、時間および周波数位置、スケジュール（たとえば、周期性、オフセットなど）、ならびに／またはＣＥ−ＳＩＢのＭＣＳレベルのうちの１または複数を含むことができる。情報がＭＣＳレベルを含まない場合、ＷＴＲＵは、たとえば、使用されていることがあるＭＣＳレベルを決定するために、ＣＥ−ＳＩＢ送信に使用され得るＭＣＳレベルのセットを有するＣＥ−ＳＩＢを復号することができる、または復号しようと試行する必要があり得る。ＭＣＳレベルは、ＣＥ−ＳＩＢのＴＢＳサイズの関数として決定されることができ、変調次数（modulation order）が固定され得る（たとえばＱＰＳＫ）。別の例では、特定の時間／周波数位置および／またはＣＥ−ＳＩＢに対するＭＣＳレベルがセットとして予め定義され得る。ＷＴＲＵは、それがＣＥ−ＳＩＢを受信するまで、時間／周波数位置および／またはＭＣＳレベルのセット内でＣＥ−ＳＩＢを復号しようと試行する必要があり得る。
【０４９５】
実施形態において、ＣＥ−ＳＩＢは、無線フレームのサブセットで送信され得る。ＣＥ−ＳＩＢを含む無線フレームは、物理セルＩＤ（ＰＣＩ）の関数として定義されてよい。ＣＥ−ＳＩＢを含む無線フレームは、ＳＦＮおよびＰＣＩと共に使用され得るモジュロ演算から決定されてよい。たとえば、ＣＥ−ＳＩＢは、ＳＦＮ  ｍｏｄ  ＰＣＩ＝０である無線フレームに配置され得る。ＣＥ−ＳＩＢを含むことができる無線フレームは、ＣＥ−ＳＩＢを含むことができる無線フレームのリスト（たとえば、無線フレームのＳＦＮ）から決定されてよい。
【０４９６】
ＣＥ−ＳＩＢを含む無線フレームは、ＣＥ−ＰＢＣＨの位置に依存してもよい。たとえば、ＣＥ−ＳＩＢとＣＥ−ＰＢＣＨの間のタイミング関係が、定義されおよび／または知られ得る。ＣＥ−ＳＩＢを含む無線フレームは、ＣＥ−ＰＢＣＨを含む最後の無線フレームがｎであり、ｋが正の整数であり得る場合に、ｎ＋ｋの無線フレームに配置され得る。
【０４９７】
ＣＥ−ＳＩＢを含む（または含み得る）サブフレームにおけるＣＥ−ＳＩＢに割り振られる周波数リソースは、ＣＥ−ＳＩＢを含む（または含み得る）サブフレームにおいて予め定義され得る。たとえば、中央のｘ個のＰＲＢが、ＣＥ−ＳＩＢを含むサブフレームにおけるＣＥ−ＳＩＢ送信のために使用されることができ、ここで、ｘは、正の整数とすることができる。あるいは、周波数リソースは、システム帯域幅および／またはサブフレーム番号の関数として定義されてよい。
【０４９８】
ＣＥレベル、拡張されたカバレッジレベル、反復数、反復窓長、およびＣＥ量は、交換可能に使用され得ることが企図されている。さらに、チャネル、物理チャネル、およびＬＴＥ（またはＬＴＥ−Ａ）物理チャネルが交換可能に使用され得ることが企図されている。ＬＴＥ（またはＬＴＥ−Ａ）物理チャネルは、ＰＤＳＣＨ、ＰＵＳＣＨ、ＰＵＣＣＨ、（Ｅ）ＰＤＣＣＨ、ＰＲＡＣＨ、および／またはＰＢＣＨのうちの少なくとも１つとすることができる。
【０４９９】
いくつかの実施形態では、チャネルに対して２つ以上のＣＥレベルが定義および／または構成され得る。ＣＥレベルの数は、物理チャネルおよび／またはトラフィックタイプに依存し得る。あるいは、ＣＥレベルの数は、物理チャネルまたは物理チャネルのグループごとに独立して定義および／または構成されてよい。
【０５００】
ＰＲＡＣＨのためにサポートされる（または使用され得る）ＣＥレベルの数は、ＰＤＳＣＨおよび／またはＰＵＳＣＨなどの１または複数のデータチャネルのためにサポートされる（または使用され得る）ＣＥレベルの数と異なり得る。たとえば、３つのＣＥレベルがＰＲＡＣＨのために使用され得るのに対し、６つのＣＥレベルがＰＤＳＣＨおよび／またはＰＵＳＣＨのために使用され得る。ＰＲＡＣＨのためのＣＥレベルは、ＰＲＡＣＨプリアンブル送信についての反復の数として定義され得る。各ＣＥレベルについての反復数は、予め定義される、ブロードキャストされる、より高い層で構成される、および／またはＰＢＣＨの反復数の関数として決定されることができる。データチャネル（たとえばＰＤＳＣＨおよび／またはＰＵＳＣＨ）のＣＥレベルは、反復の数として定義されることができ、ここで、反復数は、より高い層のシグナリングもしくはブロードキャストチャネル（たとえばＳＩＢ）によって、またはＤＣＩフォーマットからの動的標識によって決定されることができ、ＤＣＩのＣＲＣは、データチャネル（たとえばＣ−ＲＮＴＩ）のために使用される（もしくは使用され得る）ＲＮＴＩ、またはＣＥレベル標識のために使用される（もしくは使用され得る）ＲＮＴＩによってスクランブルされ得る。
【０５０１】
ＣＥレベルの同じ数が、チャネルのグループに対して使用されることができ、サポートされたＣＥレベルのうちの決定されたＣＥレベルが、グループのチャネルに対して適用されることができる。たとえば、ＮCEのＣＥレベルが、ＰＲＡＣＨおよび（Ｅ）ＰＤＣＣＨを含むチャネルのグループに対して定義されることができ、ここで、ＣＥレベルはＰＲＡＣＨについて決定され、同じＣＥレベルが、対応するＲＡＲ受信のための（Ｅ）ＰＤＣＣＨのために使用されることができる。ＣＥレベルがＰＲＡＣＨについて決定される場合、ＣＥレベルは（Ｅ）ＰＤＣＣＨのために使用されることができる。いくつかの実施形態では、反復数は、チャネルについてのＣＥレベルとして使用されてよく、特定のＣＥレベルに関するチャネルについての反復数は、グループ内の別のチャネルについてのＣＥレベルに関して使用される反復数とは異なり得る。たとえば、ＰＲＡＣＨについてのＣＥレベル１は、１０回の反復を使用することができるのに対して、（Ｅ）ＰＤＣＣＨについてのＣＥレベル１は、１５回の反復を使用することができる。他の実施形態では、電力ブーストレベルがチャネルについてのＣＥレベルとして使用されることができ、特定のＣＥレベルでのチャネルについての電力ブーストレベルは、同じＣＥレベルでのグループ内の別のチャネルについての電力ブーストレベルと異なり得る。例において、３ｄＢブーストが（Ｅ）ＰＤＣＣＨについてのＣＥレベル１とみなされてよく、４ｄＢブーストがＰＤＳＣＨについてのＣＥレベルとみなされてよく、電力ブーストレベルは、基準信号とＰＤＳＣＨ  ＲＥとの電力比として定義され得る。
【０５０２】
異なる数のＣＥレベルが、物理チャネルで搬送され得る情報またはトラフィックタイプに応じて使用され得る。たとえば、ユニキャストトラフィックを含むＰＤＳＣＨがＮCEのＣＥレベルを使用することができるのに対し、ブロードキャスト情報を含むＰＤＳＣＨがＭCEのＣＥレベルを使用することができる。
【０５０３】
ＣＥレベルは、（Ｅ）ＰＤＣＣＨ、ＰＤＳＣＨ、および／またはＰＵＳＣＨに対する関連付けられたＤＣＩにおいて動的に示され得る。たとえば、ＮCEのＣＥレベルが、ユニキャストトラフィックを含むＰＤＳＣＨのために使用されることができ、ｌｏｇ2［ＮCE］ビットＣＥレベルインジケータフィールドが、Ｃ−ＲＮＴＩによってスクランブルされた関連付けられたＤＣＩにおいて定義されることができる。ＭCEのＣＥレベルが、ブロードキャスト情報を含むＰＤＳＣＨのために使用されることができ、ｌｏｇ2［ＭCE］ビットＣＥレベルインジケータフィールドが、ＳＩ−ＲＮＴＩによってスクランブルされた関連付けられたＤＣＩにおいて定義されることができる。ＤＣＩ内のＣＥレベル標識フィールドのビットの数は、ＲＮＴＩタイプの関数として定義されてよい。ＤＣＩにおいて示されるＣＥレベルの数は、ＲＮＴＩタイプに応じて決定されてよい。ＣＥレベル標識フィールドのビットの数は、ＤＣＩフォーマットの関数として定義されてよい。ＣＥレベルのために使用される反復数は、予め定義される、たとえばより高い層のシグナリングによってシグナリングされる、ＰＤＳＣＨに含まれ得るＲＮＴＩタイプ、ＤＣＩフォーマットおよび／または情報タイプの関数として決定されることができる。
【０５０４】
ＣＥレベルは、ＣＲＣがＣ−ＲＮＴＩによってスクランブルされ得るＤＣＩなどの、ＰＤＳＣＨおよび／またはＰＵＳＣＨに対する関連付けられたＤＣＩにおいて動的に示され得る。ＣＲＣがＣ−ＲＮＴＩ以外のＲＮＴＩによってスクランブルされるＤＣＩのＣＥレベルは、ＰＲＡＣＨのために使用されるＣＥレベルに基づいて決定され得る。ＳＩＢを含むＰＤＳＣＨ、ページング、および／またはＰＭＣＨに対するＣＥレベルは、ＲＡＣＨ手順で決定され得るＣＥレベルの関数として決定され得る。ユニキャストトラフィックを含むＰＤＳＣＨに対するＣＥレベルは、たとえば、別途、より高い層によって構成される、またはＤＣＩフォーマットによって示されることがない限り、ＲＡＣＨ手順中に決定され得るＣＥレベルのＣＥレベルと同じであり得る。
【０５０５】
いくつかの実施形態では、ＣＥレベルは、ブラインド復号から使用および／または検出された関連付けられた（Ｅ）ＰＤＣＣＨ  ＣＥレベルによって（たとえば黙示的に）示され得る。たとえば、ＣＥモードにおけるＷＴＲＵが複数のＣＥレベルで（Ｅ）ＰＤＣＣＨを監視することができ、特定のＣＥレベルで（Ｅ）ＰＤＣＣＨを受信した場合、ＷＴＲＵは、関連付けられたＰＤＳＣＨまたはＰＵＳＣＨのために同じＣＥが使用され得ることを仮定することができる。
【０５０６】
別の実施形態では、同じ数のＣＥレベルがすべての物理チャネルに対して定義され得る。しかしながら、ＣＥレベルについての反復の数は、チャネル、および／またはチャネルで搬送されるトラフィックタイプの関数として決定され得る。例として、ＮCEのＣＥレベルがＰＲＡＣＨに対して定義されることができ、ここで、ＣＥレベル１はＮrep回の反復に対応することができ、ＰＤＳＣＨについてのＣＥレベル１がＭrep回の反復に対応することができ、ここで、ＮrepおよびＭrepは異なり得る。別の例では、ＮCEのＣＥレベルがＰＤＳＣＨに対して定義されまたは構成されることができ、ここで、ＰＤＳＣＨがブロードキャスト情報を含む場合、ＣＥレベル１はＮrep回の反復に対応することができ、ＰＤＳＣＨがユニキャストトラフィックを含む場合、ＣＥレベル１はＭrep回の反復に対応することができる。ＣＥレベルの数は予め定義されてよく（またはシグナリングされてよく）、対応する反復数は、チャネルごとのより高い層のシグナリングによって構成されてよい。
【０５０７】
いくつかの実施形態では、窓ベースの送信が使用され得る。そのような実施形態では、時間窓が物理チャネルに対して定義されることができ、物理チャネルが時間窓内で反復して送信され得る。一例では、時間窓は、他の選択肢の中でも特に、（Ｅ）ＰＤＣＣＨ、ＰＤＳＣＨ、およびＰＵＳＣＨに対して定義されることができ、ＷＴＲＵは、反復を有する（Ｅ）ＰＤＣＣＨ窓内で（Ｅ）ＰＤＣＣＨを受信することができる。関連付けられたＰＤＳＣＨまたはＰＵＳＣＨは、以下のＰＤＳＣＨまたはＰＵＳＣＨ窓において送信または受信され得る。
【０５０８】
物理チャネルについての窓は、通信の方向（たとえば、ＤＬまたはＵＬ）に関わらず、部分的または完全に重複され得る。たとえば、ＷＴＲＵは（Ｅ）ＰＤＣＣＨ窓内で（Ｅ）ＰＤＣＣＨを監視することができるのに対し、ＷＴＲＵはＰＵＳＣＨ窓内でＰＵＳＣＨを送信することができ、ＰＵＳＣＨ窓は、（Ｅ）ＰＤＣＣＨ窓と完全または部分的に重複され得る。ＷＴＲＵは、サブフレームにおいて同時に送信および受信をすることができる。
【０５０９】
物理チャネルの窓は通信の同じ方向（たとえばＤＬまたはＵＬ）のみで部分的または完全に重複され得る。（Ｅ）ＰＤＣＣＨ窓は、ＰＤＳＣＨ窓と部分的または完全に重複され得る。（Ｅ）ＰＤＣＣＨ窓は、ＰＵＳＣＨ窓と重複され得ない。
【０５１０】
別の実施形態では、（Ｅ）ＰＤＣＣＨの最後のサブフレームからのオフセットが、図８に例として示されるようにＰＤＳＣＨ、ＰＵＳＣＨ、および／またはＰＵＣＣＨ窓のうちの少なくとも１つの開始サブフレームを示すために使用され得る。たとえば、（Ｅ）ＰＤＣＣＨ窓がサブフレームｎで終了する場合、ＰＤＳＣＨ窓の開始サブフレームはサブフレームｎ＋ＮDLとすることができ、ＰＵＳＣＨ窓の開始サブフレームはサブフレームｎ＋ＮULとすることができ、ここで、ＮDLおよびＮULはオフセットとすることができる。
【０５１１】
数ＮDLおよびＮULは、すべてのＷＴＲＵに対して適用される予め定義された数であってよい。あるいは、ＮDLおよびＮULは、セル固有またはＷＴＲＵ固有の様式でより高い層のシグナリングを介して構成されてよい。たとえば、ＮULは、ＰＤＳＣＨ窓の長さに依存し得る。ＮULはＰＤＳＣＨ窓の長さの関数として決定されてよく、たとえば、ＰＤＳＣＨ窓長がＮPDSCHである場合、ＮULはＮPDSCH＋１として決定され、すなわちＮUL＝ＮPDSCH＋１であり得る。ＮDLおよびＮULは、関連付けられたＤＣＩにおいて示され得る。たとえば、ＮDLは、ＰＤＳＣＨに対する関連付けられたＤＣＩにおいて示されてよく、ＮULは、ＰＵＳＣＨに対する関連付けられたＤＣＩにおいて示されてよい。ＮDLおよびＮULは、ＷＴＲＵがＣＥモードで構成された場合、ＰＤＳＣＨおよび／またはＰＵＳＣＨに対する関連付けられたＤＣＩにおいて示され得る。
【０５１２】
ＮDLとＮULの関係は、ＷＴＲＵ機能に依存し得る。たとえば、ＷＴＲＵが全二重モード機能がある場合ＮDL＝１およびＮUL＝４が使用され得るのに対し、ＷＴＲＵが半二重モードおよび／または時間二重モード機能がある場合、ＮDL＝１およびＮUL＝ＮOFFが使用され得る。
【０５１３】
いくつかの実施形態では、ＰＵＳＣＨおよびＰＵＣＣＨ窓は部分的にまたは完全に重複され得る。ＷＴＲＵが同じ（Ｅ）ＰＤＣＣＨ窓でＰＤＳＣＨ割り振りおよびＰＵＳＣＨグラントを受信した場合、ＷＴＲＵは、ＰＤＳＣＨ領域でＰＵＳＣＨとＰＵＣＣＨの両方を送信することができる。したがって、ＨＡＲＱ＿ＡＣＫはデータ上でピギーバックされ得る。あるいは、ＷＴＲＵが、同じ（Ｅ）ＰＤＣＣＨ窓におけるＰＤＳＣＨ割り振りおよびＰＵＳＣＨグラントを受信した場合、ＷＴＲＵは、アップリンクにおけるチャネルのうちの１つを廃棄することができる。
【０５１４】
実施形態において、ワイヤレス送信／受信ユニット（ＷＴＲＵ）において行われる方法は、アップリンク信号についての反復数を決定するステップと、アップリンク信号についてのアップリンク送信電力を導出するステップであって、送信電力は反復数に基づく、ステップと、決定された反復数および導出されたアップリンク送信電力を使用して、反復を伴うアップリンク信号を送信するステップとを含む。
【０５１５】
そのような実施形態では、物理ランダムアクセスチャネル（ＰＲＡＣＨ）に対して使用されるアップリンク信号についての反復数の決定は、ダウンリンク測定値に基づく。反復数の決定は、反復レベルのセットから反復数を選択することによって行われ得る。反復レベルのセットは、拡張されたノード−Ｂ（ｅＮＢ）によって構成され得る。反復数の決定は、反復レベルのセットから反復数を選択することによって行われ得る。
【０５１６】
反復数の決定は、拡張されたノード−Ｂ（ｅＮＢ）から受信された情報に基づいて行われ得る。アップリンク信号は、物理アップリンク共有データチャネル（ＰＵＳＣＨ）上で送られ得る。反復数の決定は、ダウンリンク制御インジケータ（downlink control indicator：ＤＣＩ）において受信された情報に基づいて行われ得る。アップリンク送信電力の導出は、オフセットパラメータを含む電力制御式を使用して行われることができ、オフセットパラメータは、反復数の関数として決定される。アップリンク送信電力を導出するステップは、ターゲット受信電力（target received power）を決定するステップと、ターゲット受信電力からアップリンク送信電力を導出するステップとを含むことができる。
【０５１７】
ターゲット受信電力の決定は、拡張されたノード−Ｂ（ｅＮＢ）から受信された情報に基づいて行われ得る。ターゲット受信電力は、反復の数の関数として決定され得る。
【０５１８】
反復を伴うアップリンク信号は、複数のサブフレームにわたって反復して送信されるアップリンク信号であり得る。
【０５１９】
実施形態において、ワイヤレス送信／受信ユニット（ＷＴＲＵ）において行われる方法は、無線アクセスネットワークからダウンリンク制御情報（ＤＣＩ）メッセージを受信するステップと、ダウンリンク制御情報メッセージに少なくとも部分的に基づいて、ＷＴＲＵと無線アクセスネットワークとの間の少なくとも１つの共有チャネルについての反復レベルを設定するステップとを含む。
【０５２０】
そのような実施形態では、ＷＴＲＵの送信電力は設定されることができ、送信電力は、少なくとも部分的に反復レベルに依存する。ダウンリンク制御情報メッセージは、送信電力制御（ＴＰＣ）コマンドを含むことができ、反復レベルは、送信電力制御コマンドに少なくとも部分的に基づく。反復レベルは、送信電力制御（ＴＰＣ）コマンドに基づいて、物理ダウンリンク制御チャネル（ＰＤＣＣＨ）に対して設定され得る。反復レベルは、送信電力制御（ＴＰＣ）コマンドに基づいて、物理アップリンク制御チャネル（ＰＵＣＣＨ）に対して設定され得る。共有チャネルは、物理ダウンリンク共有チャネル（ＰＤＳＣＨ）である。ＷＴＲＵは、反復レベルを使用して、物理ダウンリンク共有チャネル（ＰＤＳＣＨ）上でデータを受信するように構成され得る。
【０５２１】
電力オフセットが、セル固有基準信号（ＣＲＳ）と物理ダウンリンク共有チャネル（ＰＤＳＣＨ）との間に設定されることができ、電力オフセットは、少なくとも部分的に物理ダウンリンク共有チャネル（ＰＤＳＣＨ）の反復レベルによって決定される。
【０５２２】
共有チャネルは、物理アップリンク共有チャネル（ＰＵＳＣＨ）であり得る。方法は、反復レベルを使用して、物理アップリンク共有チャネル上でデータを送信するステップをさらに含むことができる。
【０５２３】
実施形態において、ワイヤレス送信／受信ユニット（ＷＴＲＵ）は、無線アクセスネットワークから送信電力制御（ＴＰＣ）コマンドを受信するように動作するトランシーバと、送信電力制御（ＴＰＣ）コマンドに応答して、ＷＴＲＵと無線アクセスネットワークとの間の少なくとも１つの共有チャネルについての反復レベルを設定するように動作するデコーダロジックであって、反復レベルは、送信電力制御（ＴＰＣ）コマンドに少なくとも部分的に基づく、デコーダロジックとを含む。
【０５２４】
そのような実施形態では、共有チャネルは、物理ダウンリンク共有チャネル（ＰＤＳＣＨ）とすることができ、デコーダロジックは、反復レベルを使用して物理ダウンリンク共有チャネル（ＰＤＳＣＨ）上でデータを受信するようにさらに動作することができる。共有チャネルは、物理アップリンク共有チャネル（ＰＵＳＣＨ）とすることができ、トランシーバは、反復レベルを使用して物理アップリンク共有チャネル上でデータを送信するように動作することができる。
【０５２５】
実施形態において、ワイヤレス送信／受信ユニット（ＷＴＲＵ）において行われる方法は、無線アクセスネットワークから、複数のサブフレームを含む送信を受信するステップであって、各サブフレームは、複数の制御チャネル要素（ＣＣＥ）を含む、ステップと、ＷＴＲＵがカバレッジ拡張モードにあるかどうかを決定するステップと、ＷＴＲＵがカバレッジ拡張モードにない場合に、物理ダウンリンク制御チャネル（ＰＤＣＣＨ）通信について第１のセットのＣＣＥを監視するステップであって、ＣＣＥの第１のセットは第１の探索空間である、ステップと、ＷＴＲＵがカバレッジ拡張モードにある場合に、物理ダウンリンク制御チャネル（ＰＤＣＣＨ）通信について第２のセットのＣＣＥを監視するステップであって、ＣＣＥの第２のセットは第２の探索空間であり、この探索空間は第１の探索空間と異なる、ステップとを含む。
【０５２６】
そのような実施形態では、物理ダウンリンク制御チャネルは、拡張された物理ダウンリンク制御チャネル（ＥＰＤＣＣＨ）であり得る。第１の探索空間は、複数のアグリゲーションレベルで監視されてよく、第２の探索空間は、単一のアグリゲーションレベルで監視されてよい。第２の探索空間は、単一のアグリゲーションレベルおよび複数の反復レベルで監視されてもよい。第２の探索空間は、複数のアグリゲーションレベルおよび単一の反復レベルで監視されてもよい。
【０５２７】
実施形態において、ワイヤレス送信／受信ユニット（ＷＴＲＵ）は、無線アクセスネットワークから、複数のサブフレームを含む送信を受信するように動作するトランシーバであって、各サブフレームは、複数の制御チャネル要素（ＣＣＥ）を含む、トランシーバを含む。この実施形態では、トランシーバは、ＷＴＲＵがカバレッジ拡張モードにない場合に、物理ダウンリンク制御チャネル（ＰＤＣＣＨ）通信について第１のセットのＣＣＥを監視するように動作し、ＣＣＥの第１のセットは第１の探索空間であり、トランシーバは、ＷＴＲＵがカバレッジ拡張モードにある場合に、物理ダウンリンク制御チャネル（ＰＤＣＣＨ）通信について第２のセットのＣＣＥを監視するように動作し、ＣＣＥの第２のセットは第２の探索空間であり、この探索空間は第１の探索空間と異なる。
【０５２８】
そのような実施形態では、物理ダウンリンク制御チャネルは、拡張された物理ダウンリンク制御チャネル（ＥＰＤＣＣＨ）であり得る。第１の探索空間は、複数のアグリゲーションレベルで監視されてよく、第２の探索空間は、単一のアグリゲーションレベルで監視されてよい。第２の探索空間は、単一のアグリゲーションレベルおよび複数の反復レベルで監視されてもよい。第２の探索空間は、複数のアグリゲーションレベルおよび単一の反復レベルで監視されてもよい。
【０５２９】
実施形態において、ワイヤレス送信／受信ユニット（ＷＴＲＵ）において行われる方法は、第１の通信チャネルのための第１のカバレッジ拡張レベルを、第１の数のカバレッジ拡張レベルから選択するステップと、第２の通信チャネルのための第２のカバレッジ拡張レベルを、第２の数のカバレッジ拡張レベルから選択するステップと、第１のカバレッジ拡張レベルを使用して第１の通信チャネルを介して無線アクセスネットワークと通信するステップと、第２のカバレッジ拡張レベルを使用して第２の通信チャネルを介して無線アクセスネットワークと通信するステップとを含む。
【０５３０】
そのような実施形態では、第１の数のカバレッジ拡張レベルは、第２の数のカバレッジ拡張レベルとは異なり得る。第１のカバレッジ拡張レベルを使用して通信するステップは、第１のカバレッジ拡張レベルによって決定された第１の数の反復を使用して通信するステップを含むことができ、第２のカバレッジ拡張レベルを使用して通信するステップは、第２のカバレッジ拡張レベルによって決定された第２の数の反復を使用して通信するステップを含むことができる。第１のカバレッジ拡張レベルに関連付けられた反復の数は、無線アクセスネットワークからのシグナリングによって決定される。
【０５３１】
第１のカバレッジ拡張レベルを使用して通信するステップは、第１のカバレッジ拡張レベルによって決定された第１の電力ブーストレベルを使用して通信するステップを含むことができ、第２のカバレッジ拡張レベルを使用して通信するステップは、第２のカバレッジ拡張レベルによって決定された第２の電力ブーストレベルを使用して通信するステップを含むことができる。
【０５３２】
第１の通信チャネルは、物理ランダムアクセスチャネル（ＰＲＡＣＨ）としてよく、第２の通信チャネルは、共有チャネルとしてよい。共有チャネルは、物理ダウンリンク共有チャネル（ＰＤＳＣＨ）としてよい。共有チャネルは、物理アップリンク共有チャネル（ＰＵＳＣＨ）としてよい。
【０５３３】
ＰＲＡＣＨを介して通信するステップは、第１のカバレッジ拡張レベルによって決定された反復の数を有するＰＲＡＣＨプリアンブルを送信するステップを含むことができる。第２の数のカバレッジ拡張レベルは、第２の通信チャネルで搬送されたトラフィックのタイプに少なくとも部分的に基づいて決定され得る。
【０５３４】
第２の通信チャネルは、物理ダウンリンク共有チャネル（ＰＤＳＣＨ）とすることができ、第２の数のカバレッジ拡張レベルは、ＰＤＳＣＨがユニキャストトラフィックを搬送しているかそれともブロードキャストトラフィックを搬送しているかに少なくとも部分的に基づいて決定され得る。
【０５３５】
実施形態において、ワイヤレス送信／受信ユニット（ＷＴＲＵ）は、機能のセットを実行するように動作するトランシーバを含み、機能のセットは、第１の数のカバレッジ拡張レベルから、第１の通信チャネルについての第１のカバレッジ拡張レベルを選択する機能と、第２の数のカバレッジ拡張レベルから、第２の通信チャネルについての第２のカバレッジ拡張レベルを選択する機能と、第１のカバレッジ拡張レベルを使用して第１の通信チャネルを介して無線アクセスネットワークと通信する機能と、第２のカバレッジ拡張レベルを使用して第２の通信チャネルを介して無線アクセスネットワークと通信する機能とを含む。
【０５３６】
そのような実施形態では、第１の数のカバレッジ拡張レベルは、第２の数のカバレッジ拡張レベルとは異なり得る。
【０５３７】
第１のカバレッジ拡張レベルを使用して通信する機能は、第１のカバレッジ拡張レベルによって決定された第１の数の反復を使用して通信する機能を含むことができ、第２のカバレッジ拡張レベルを使用して通信する機能は、第２のカバレッジ拡張レベルによって決定された第２の数の反復を使用して通信する機能を含むことができる。
【０５３８】
第１のカバレッジ拡張レベルに関連付けられた反復の数は、無線アクセスネットワークからのシグナリングによって決定され得る。
【０５３９】
第１のカバレッジ拡張レベルを使用して通信する機能は、第１のカバレッジ拡張レベルによって決定された第１の電力ブーストレベルを使用して通信する機能を含むことができ、第２のカバレッジ拡張レベルを使用して通信する機能は、第２のカバレッジ拡張レベルによって決定された第２の電力ブーストレベルを使用して通信する機能を含むことができる。
【０５４０】
第１の通信チャネルは、物理ランダムアクセスチャネル（ＰＲＡＣＨ）としてよく、第２の通信チャネルは、共有チャネルとしてよい。共有チャネルは、物理ダウンリンク共有チャネル（ＰＤＳＣＨ）としてよい。共有チャネルは、物理アップリンク共有チャネル（ＰＵＳＣＨ）としてよい。ＰＲＡＣＨを介して通信することは、第１のカバレッジ拡張レベルによって決定された反復の数を有するＰＲＡＣＨプリアンブルを送信することを含むことができる。
【０５４１】
第２の数のカバレッジ拡張レベルは、第２の通信チャネルで搬送されたトラフィックのタイプに少なくとも部分的に基づいて決定され得る。第２の通信チャネルは、物理ダウンリンク共有チャネル（ＰＤＳＣＨ）とすることができ、第２の数のカバレッジ拡張レベルは、ＰＤＳＣＨがユニキャストトラフィックを搬送しているかそれともブロードキャストトラフィックを搬送しているかに少なくとも部分的に基づいて決定され得る。
【０５４２】
実施形態において、ワイヤレス送信／受信ユニット（ＷＴＲＵ）において行われる方法は、ＷＴＲＵがカバレッジ拡張モードにあるかどうかを決定するステップと、ＷＴＲＵがカバレッジ拡張モードにあるという決定の後、第１のダウンリンク時間窓内で第１のダウンリンク物理チャネルを無線アクセスネットワークから反復を伴って受信するステップと、第１のアップリンク時間窓内で第１のアップリンク物理チャネルを無線アクセスネットワークへ反復を伴って送信するステップとを含む。
【０５４３】
そのような実施形態では、第１のダウンリンク物理チャネルは、物理ダウンリンク制御チャネル（（Ｅ）ＰＤＣＣＨ）であり得る。第１のダウンリンク物理チャネルは、物理ダウンリンク共有チャネル（ＰＤＳＣＨ）である。第１のアップリンク物理チャネルは、物理アップリンク共有チャネル（ＰＵＳＣＨ）であり得る。第１のアップリンク物理チャネルは、物理アップリンク制御チャネル（ＰＵＣＣＨ）であり得る。
【０５４４】
第１のダウンリンク時間窓は、第１のアップリンク時間窓と少なくとも部分的に重複し得る。
【０５４５】
受信するステップの少なくとも一部と送信するステップの少なくとも一部とが両方とも行われる、少なくとも１つのサブフレームがあり得る。
【０５４６】
方法は、第２のダウンリンク時間窓内で第２のダウンリンク物理チャネルを無線アクセスネットワークから反復を伴って受信するステップをさらに含むことができる。第２のダウンリンク時間窓は、第１のダウンリンク時間窓と少なくとも部分的に重複し得る。
【０５４７】
第１のダウンリンク物理チャネルは、物理ダウンリンク制御チャネル（（Ｅ）ＰＤＣＣＨ）とすることができ、第２のダウンリンク物理チャネルは、物理ダウンリンク共有チャネル（ＰＤＳＣＨ）とすることができる。
【０５４８】
方法は、第２のアップリンク時間窓内で第２のアップリンク物理チャネルを無線アクセスネットワークへ反復を伴って送るステップをさらに含むことができる。
【０５４９】
第２のアップリンク時間窓は、第１のアップリンク時間窓と少なくとも部分的に重複し得る。
【０５５０】
第１のアップリンク物理チャネルは、物理アップリンク制御チャネル（ＰＵＣＣＨ）とすることができ、第２のアップリンク物理チャネルは、物理アップリンク共有チャネル（ＰＵＳＣＨ）とすることができる。
【０５５１】
例示的な方法では、第１のダウンリンク物理チャネルは、終端サブフレームを有する物理ダウンリンク制御チャネル（（Ｅ）ＰＤＣＣＨ）とすることができ、第１のアップリンク物理チャネルは、物理アップリンク共有チャネル（ＰＵＳＣＨ）とすることができる。そのような実施形態では、方法は、第２のダウンリンク時間窓内で物理ダウンリンク共有チャネルを無線アクセスネットワークから反復を伴って受信するステップをさらに含むことができ、第２のダウンリンク時間窓は、終端サブフレームの後のダウンリンクオフセットから始まり、第１のアップリンク時間窓は、終端サブフレームの後のアップリンクオフセットから始まる。
【０５５２】
実施形態において、ワイヤレス送信／受信ユニット（ＷＴＲＵ）は、機能のセットを実行するように動作するトランシーバを含み、機能のセットは、ＷＴＲＵがカバレッジ拡張モードにあるかどうかを決定する機能と、ＷＴＲＵがカバレッジ拡張モードにあるという決定の後、第１のダウンリンク時間窓内で第１のダウンリンク物理チャネルを無線アクセスネットワークから反復を伴って受信する機能と、第１のアップリンク時間窓内で第１のアップリンク物理チャネルを無線アクセスネットワークへ反復を伴って送信する機能とを含む。
【０５５３】
そのような実施形態では、第１のダウンリンク物理チャネルは、物理ダウンリンク制御チャネル（（Ｅ）ＰＤＣＣＨ）であり得る。第１のダウンリンク物理チャネルは、物理ダウンリンク共有チャネル（ＰＤＳＣＨ）であり得る。第１のアップリンク物理チャネルは、物理アップリンク共有チャネル（ＰＵＳＣＨ）であり得る。第１のアップリンク物理チャネルは、物理アップリンク制御チャネル（ＰＵＣＣＨ）であり得る。
【０５５４】
第１のダウンリンク時間窓は、第１のアップリンク時間窓と少なくとも部分的に重複し得る。受信することの少なくとも一部と送信することの少なくとも一部とが両方とも行われる、少なくとも１つのサブフレームがあり得る。
【０５５５】
トランシーバは、第２のダウンリンク時間窓内で第２のダウンリンク物理チャネルを無線アクセスネットワークから反復を伴って受信するようにさらに動作することができる。第２のダウンリンク時間窓は、第１のダウンリンク時間窓と少なくとも部分的に重複し得る。第１のダウンリンク物理チャネルは、物理ダウンリンク制御チャネル（（Ｅ）ＰＤＣＣＨ）とすることができ、第２のダウンリンク物理チャネルは、物理ダウンリンク共有チャネル（ＰＤＳＣＨ）とすることができる。
【０５５６】
トランシーバは、第２のアップリンク時間窓内で第２のアップリンク物理チャネルを無線アクセスネットワークへ反復を伴って送るようにさらに動作することができる。第２のアップリンク時間窓は、第１のアップリンク時間窓と少なくとも部分的に重複し得る。第１のアップリンク物理チャネルは、物理アップリンク制御チャネル（ＰＵＣＣＨ）とすることができ、第２のアップリンク物理チャネルは、物理アップリンク共有チャネル（ＰＵＳＣＨ）とすることができる。
【０５５７】
実施形態において、ワイヤレス送信／受信ユニット（ＷＴＲＵ）において行われる方法は、ＷＴＲＵがカバレッジ拡張モードにあるかどうかを決定するステップと、ＷＴＲＵがカバレッジ拡張モードにあるという決定の後、第１のダウンリンク時間窓内で第１のダウンリンク物理チャネルを無線アクセスネットワークから反復を伴って受信するステップと、第１のダウンリンク物理チャネルに少なくとも部分的に基づいて、第２のダウンリンク時間窓および第１のアップリンク時間窓を決定するステップと、第２のダウンリンク時間窓内で第２のダウンリンク物理チャネルを無線アクセスネットワークから反復を伴って受信するステップと、第１のアップリンク時間窓内で第１のアップリンク物理チャネルを無線アクセスネットワークへ反復を伴って送信するステップとを含む。
【０５５８】
そのような実施形態では、第１のダウンリンク物理チャネルは（Ｅ）ＰＤＣＣＨであってよく、第２のダウンリンク物理チャネルはＰＤＳＣＨであってよく、第１のアップリンク物理チャネルはＰＵＳＣＨであってよい。第２のダウンリンク時間窓および第１のアップリンク時間窓を決定するステップは、第２のダウンリンク時間窓を、第１のダウンリンク時間窓に対してダウンリンクオフセットで始まると定義するステップと、第２のアップリンク時間窓を、第１のダウンリンク時間窓に対してアップリンクオフセットで始まると定義するステップと含むことができる。
【０５５９】
ダウンリンクオフセットおよびアップリンクオフセットは予め定義されてよい。ダウンリンクオフセットおよびアップリンクオフセットは、より高い層のシグナリングによって構成されてよい。アップリンクオフセットは、第２のダウンリンク時間窓の長さに依存し得る。ダウンリンクオフセットおよびアップリンクオフセットのうちの少なくとも一方は、ダウンリンク制御情報（ＤＣＩ）メッセージによって構成されてよい。ダウンリンクオフセットおよびアップリンクオフセットは、ＷＴＲＵが全二重通信をサポートするかどうかに少なくとも部分的に依存し得る。
【０５６０】
実施形態において、ワイヤレス送信／受信ユニット（ＷＴＲＵ）は、機能のセットを実行するように動作するトランシーバを含み、機能のセットは、第１のダウンリンク時間窓内で第１のダウンリンク物理チャネルを無線アクセスネットワークから反復を伴って受信する機能と、第１のダウンリンク物理チャネルに少なくとも部分的に基づいて、第２のダウンリンク時間窓および第１のアップリンク時間窓を決定する機能と、第２のダウンリンク時間窓内で第２のダウンリンク物理チャネルを無線アクセスネットワークから反復を伴って受信する機能と、第１のアップリンク時間窓内で第１のアップリンク物理チャネルを無線アクセスネットワークへ反復を伴って送信する機能とを含む。
【０５６１】
第１のダウンリンク物理チャネルは（Ｅ）ＰＤＣＣＨであってよく、第２のダウンリンク物理チャネルはＰＤＳＣＨであってよく、第１のアップリンク物理チャネルはＰＵＳＣＨであってよい。第２のダウンリンク時間窓および第１のアップリンク時間窓を決定する機能は、第２のダウンリンク時間窓を、第１のダウンリンク時間窓に対してダウンリンクオフセットで始まると定義する機能と、第２のアップリンク時間窓を、第１のダウンリンク時間窓に対してアップリンクオフセットで始まると定義する機能とを含むことができる。
【０５６２】
ダウンリンクオフセットおよびアップリンクオフセットは予め定義されてよい。ダウンリンクオフセットおよびアップリンクオフセットは、より高い層のシグナリングによって構成されてよい。アップリンクオフセットは、第２のダウンリンク時間窓の長さに依存し得る。ダウンリンクオフセットおよびアップリンクオフセットのうちの少なくとも一方は、ダウンリンク制御情報（ＤＣＩ）メッセージによって構成されてよい。ダウンリンクオフセットおよびアップリンクオフセットは、ＷＴＲＵが全二重通信をサポートするかどうかに少なくとも部分的に依存し得る。
【０５６３】
特徴および要素が上記で特定の組み合わせで説明されているが、各々の特徴または要素が、単独でまたは他の特徴および要素との任意の組み合わせで使用され得ることは、当業者には理解されよう。加えて本明細書で説明された方法は、コンピュータまたはプロセッサによる実行のためにコンピュータ可読媒体に組み込まれるコンピュータプログラム、ソフトウェア、またはファームウェアで実装され得る。コンピュータ可読媒体の例は、（有線またはワイヤレス接続を介して送信される）電子信号、およびコンピュータ可読記憶媒体を含む。コンピュータ可読記憶媒体の例は、読み出し専用メモリ（ＲＯＭ）、ランダムアクセスメモリ（ＲＡＭ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびデジタル多用途ディスク（ＤＶＤ）などの光媒体を含むがこれらに限定されない。ソフトウェアと関連するプロセッサは、ＷＴＲＵで使用するための無線周波数トランシーバ、ＷＴＲＵ、端末、基地局、ＲＮＣ、または任意のホストコンピュータを実装するために使用され得る。
【産業上の利用可能性】
【０５６４】
本発明は、一般的に無線通信システムに利用することができる。
【符号の説明】
【０５６５】
１０２ａ〜１０２ｄ  ＷＴＲＵ
１０３、１０４、１０５  ＲＡＮ
１０６、１０９  コアネットワーク
１０７、１０８  ＰＳＴＮ
１１０  インターネット
１１２  他のネットワーク
１１４ａ、１１４ｂ  基地局
１１８  プロセッサ
１２０  トランシーバ（送受信機）
１２２  アンテナ
【図１Ａ】
2020061785.tif 000069
【図１Ｂ】
2020061785.tif 000070
【図１Ｃ】
2020061785.tif 000071
【図１Ｄ】
2020061785.tif 000072
【図１Ｅ】
2020061785.tif 000073
【図１Ｆ】
2020061785.tif 000074
【図２】
2020061785.tif 000075
【図３】
2020061785.tif 000076
【図４】
2020061785.tif 000077
【図５】
2020061785.tif 000078
【図６】
2020061785.tif 000079
【図７】
2020061785.tif 000080
【図８】
2020061785.tif 000081